(57)【要約】本願の実施形態は、コンテンションウィンドウサイズを決定する方法及び装置を提供し、通信分野に関係がある。方法は、第１デバイスによって、第１サブバンドを占有する１つ以上のデータパケットを基準時間単位で１つ以上の第２デバイスへ送信することと、第１デバイスによって、１つ以上の第２デバイスによってフィードバックされかつ１つ以上のデータパケットに対応する１つ以上のハイブリッド自動再送要求−確認応答ＨＡＲＱ−ＡＣＫを受信することと、第１デバイスによって、１つ以上のＨＡＲＱ−ＡＣＫに基づいて第１サブバンドのコンテンションウィンドウサイズを決定することとを含む。本願の実施形態で、チャネルへの効率的なアクセス及び周囲の競合ノードとの友好的な共存が実装可能であり、かつ、通知シグナリングオーバーヘッドが低減される。
2021513308.tif 000002
【特許請求の範囲】
【請求項１】
コンテンションウィンドウサイズを決定する方法であって、
第１デバイスによって、第１サブバンドを占有する１つ以上のデータパケットを基準時間単位で１つ以上の第２デバイスへ送信することと、
前記第１デバイスによって、前記１つ以上の第２デバイスによってフィードバックされかつ前記１つ以上のデータパケットに対応する１つ以上のハイブリッド自動再送要求ＨＡＲＱ−確認応答を受信することと、
前記第１デバイスによって、前記１つ以上のＨＡＲＱ−ＡＣＫに基づいて前記第１サブバンドのコンテンションウィンドウサイズを決定することと
を有する方法。
【請求項２】
前記第１デバイスによって、前記１つ以上のＨＡＲＱ−ＡＣＫに基づいて前記第１サブバンドのコンテンションウィンドウサイズを決定することは、
前記１つ以上のデータパケットに対応する前記第１サブバンドについての１つ以上のＨＡＲＱ状態に基づいて前記第１サブバンドの前記コンテンションウィンドウサイズを決定することを有し、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項１に記載の方法。
【請求項３】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロックＴＢについてのＴＢ  ＨＡＲＱ−ＡＣＫを有し、
前記ＴＢ  ＨＡＲＱ−ＡＣＫがＡＣＫであるとき、前記第１データパケットに対応する前記第１サブバンドについてのＨＡＲＱ状態はＡＣＫであり、あるいは、
前記ＴＢ  ＨＡＲＱ−ＡＣＫがＮＡＣＫであるとき、前記第１データパケットに対応する前記第１サブバンドについてのＨＡＲＱ状態はＮＡＣＫである、
請求項１又は２に記載の方法。
【請求項４】
前記複数のサブバンドは、第２サブバンドを更に含み、当該方法は、
前記第１デバイスによって、前記ＴＢ  ＨＡＲＱ−ＡＣＫに基づいて前記第２サブバンドのコンテンションウィンドウサイズを決定することを更に有する、
請求項３に記載の方法。
【請求項５】
前記１つ以上のデータパケットは、第２データパケットを含み、
前記第２データパケットは、１つ以上の符号ブロックグループＣＢＧを有し、前記１つ以上のＨＡＲＱ−ＡＣＫは、前記１つ以上の符号ブロックグループに対応する１つ以上のＣＢＧ  ＨＡＲＱ−ＡＣＫを有し、
前記１つ以上のＣＢＧ  ＨＡＲＱ−ＡＣＫが全てＡＣＫであるとき、前記第２データパケットに対応する前記第１サブバンドについてのＨＡＲＱ状態はＡＣＫであり、あるいは、
前記１つ以上のＣＢＧ  ＨＡＲＱ−ＡＣＫが１つ以上のＮＡＣＫを有するとき、前記第２データパケットに対応する前記第１サブバンドについてのＨＡＲＱ状態はＮＡＣＫである、
請求項１乃至４のうちいずれか一項に記載の方法。
【請求項６】
前記第２データパケットは、少なくとも前記第１サブバンド及び第３サブバンドで運ばれ、前記第１デバイスは、前記１つ以上のＣＢＧ  ＨＡＲＱ−ＡＣＫに基づいて前記第３サブバンドのコンテンションウィンドウサイズを更に決定する、
請求項５に記載の方法。
【請求項７】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有し、
前記第１符号ブロックグループセットの中の前記１つ以上の符号ブロックグループに対応する前記１つ以上のＣＢＧ  ＨＡＲＱ−ＡＣＫが全てＡＣＫであるとき、前記第３データパケットに対応する前記第１サブバンドについてのＨＡＲＱ状態はＡＣＫであり、あるいは、
前記第１符号ブロックグループセットの中の前記１つ以上の符号ブロックグループに対応する前記１つ以上のＣＢＧ  ＨＡＲＱ−ＡＣＫが１つ以上のＮＡＣＫを有するとき、前記第３データパケットに対応する前記第１サブバンドについてのＨＡＲＱ状態はＮＡＣＫである、
請求項１乃至６のうちいずれか一項に記載の方法。
【請求項８】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記第１デバイスは、前記第１符号ブロックグループに対応するＣＢＧ  ＨＡＲＱ−ＡＣＫに基づいて前記第４サブバンドのコンテンションウィンドウサイズを更に決定する、
請求項７に記載の方法。
【請求項９】
コンテンションウィンドウサイズを決定する装置であって、
第１サブバンドを占有する１つ以上のデータパケットを基準時間単位で１つ以上の第２デバイスへ送信するよう構成される送信ユニットと、
前記１つ以上の第２デバイスによってフィードバックされかつ前記１つ以上のデータパケットに対応する１つ以上のハイブリッド自動再送要求ＨＡＲＱ−確認応答を受信するよう構成される受信ユニットと、
前記１つ以上のＨＡＲＱ−ＡＣＫに基づいて前記第１サブバンドのコンテンションウィンドウサイズを決定するよう構成される処理ユニットと
を有する装置。
【請求項１０】
前記処理ユニットは、前記１つ以上のデータパケットに対応する前記第１サブバンドについての１つ以上のＨＡＲＱ状態に基づいて前記第１サブバンドの前記コンテンションウィンドウサイズを決定するよう更に構成され、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項９に記載の装置。
【請求項１１】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロックＴＢについてのＴＢ  ＨＡＲＱ−ＡＣＫを有し、
前記ＴＢ  ＨＡＲＱ−ＡＣＫがＡＣＫであるとき、前記第１データパケットに対応する前記第１サブバンドについてのＨＡＲＱ状態はＡＣＫであり、あるいは、
前記ＴＢ  ＨＡＲＱ−ＡＣＫがＮＡＣＫであるとき、前記第１データパケットに対応する前記第１サブバンドについてのＨＡＲＱ状態はＮＡＣＫである、
請求項９又は１０に記載の装置。
【請求項１２】
前記複数のサブバンドは、第２サブバンドを更に含み、
前記処理ユニットは、前記ＴＢ  ＨＡＲＱ−ＡＣＫに基づいて前記第２サブバンドのコンテンションウィンドウサイズを決定するよう更に構成される、
請求項１１に記載の装置。
【請求項１３】
前記１つ以上のデータパケットは、第２データパケットを含み、
前記第２データパケットは、１つ以上の符号ブロックグループＣＢＧを有し、前記１つ以上のＨＡＲＱ−ＡＣＫは、前記１つ以上の符号ブロックグループに対応する１つ以上のＣＢＧ  ＨＡＲＱ−ＡＣＫを有し、
前記１つ以上のＣＢＧ  ＨＡＲＱ−ＡＣＫが全てＡＣＫであるとき、前記第２データパケットに対応する前記第１サブバンドについてのＨＡＲＱ状態はＡＣＫであり、あるいは、
前記１つ以上のＣＢＧ  ＨＡＲＱ−ＡＣＫが１つ以上のＮＡＣＫを有するとき、前記第２データパケットに対応する前記第１サブバンドについてのＨＡＲＱ状態はＮＡＣＫである、
請求項９乃至１２のうちいずれか一項に記載の装置。
【請求項１４】
前記第２データパケットは、少なくとも前記第１サブバンド及び第３サブバンドで運ばれ、前記第１デバイスは、前記１つ以上のＣＢＧ  ＨＡＲＱ−ＡＣＫに基づいて前記第３サブバンドのコンテンションウィンドウサイズを更に決定する、
請求項１３に記載の装置。
【請求項１５】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有し、
前記第１符号ブロックグループセットの中の前記１つ以上の符号ブロックグループに対応する前記１つ以上のＣＢＧ  ＨＡＲＱ−ＡＣＫが全てＡＣＫであるとき、前記第３データパケットに対応する前記第１サブバンドについてのＨＡＲＱ状態はＡＣＫであり、あるいは、
前記第１符号ブロックグループセットの中の前記１つ以上の符号ブロックグループに対応する前記１つ以上のＣＢＧ  ＨＡＲＱ−ＡＣＫが１つ以上のＮＡＣＫを有するとき、前記第３データパケットに対応する前記第１サブバンドについてのＨＡＲＱ状態はＮＡＣＫである、
請求項９乃至１４のうちいずれか一項に記載の装置。
【請求項１６】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記第１デバイスは、前記第１符号ブロックグループに対応するＣＢＧ  ＨＡＲＱ−ＡＣＫに基づいて前記第４サブバンドのコンテンションウィンドウサイズを更に決定する、
請求項１５に記載の装置。
【請求項１７】
プロセッサ及びメモリを有する通信装置であって、
前記メモリは、コンピュータ実行可能命令を記憶するよう構成され、
前記プロセッサは、当該通信装置が請求項１乃至８のうちいずれか一項に記載の方法を実行するように、前記メモリに記憶されている前記コンピュータ実行可能命令を実行するよう構成される、
通信装置。
【請求項１８】
命令を記憶し、該命令がコンピュータで実行されるときに、該コンピュータは、請求項１乃至８のうちいずれか一項に記載の方法を実行することを可能にされる、
コンピュータ可読記憶媒体。
【発明の詳細な説明】
【技術分野】
【０００１】
本願の実施形態は、通信分野に、より具体的には、コンテンションウィンドウサイズを決定する方法及び装置に関係がある。
【背景技術】
【０００２】
無線通信ネットワークで、デバイスは、情報を伝送するために周波数リソースを使用する必要がある。周波数リソースは、スペクトル又は周波数帯域とも呼ばれる。周波数帯域は、認可周波数帯域又は無認可周波数帯域を含んでよい。許可されていない周波数帯域は、免許不要周波数帯域とも呼ばれる。認可周波数帯域は、いくつかのオペレータの専用の周波数リソースである。免許不要周波数帯域は、無線通信ネットワークにおける共通周波数リソースであり、無料で使用され得る。異なるデバイスが、免許不要周波数帯域での周波数リソースを共有してよい。通信技術の発展とともに、無線通信ネットワークで伝送される情報の量は増えている。免許不要周波数帯域を使用することによって情報を伝送することは、無線通信ネットワークにおけるデータスループットを改善し、かつ、ユーザ要求をより良く満足することができる。
【０００３】
第５世代（the  5th  generation，５Ｇ）通信システム及びニュー・ラジオ（new  radio，ＮＲ）に基づく通信システムなどの将来の通信システムでは、データ通信は、免許不要周波数帯域リソースを使用することによって実行される可能性がある。免許不要周波数帯域リソースのためのリソース競合方法は、リッスン・ビフォア・トーク（listen  before  talk，ＬＢＴ、あるいは、チャネルリスニングと呼ばれる）規則を含む。以上の背景に基づいて、チャネルへの効率的なアクセス及び周囲の競合ノードとの友好的な共存を達成するために、免許不要周波数帯域で動作するｙＮＲシステムのためのコンテンションウィンドウ（contention  window，ＣＷ）サイズを決定する方法が、本願で解決されるべき課題である。
【発明の概要】
【０００４】
本願の実施形態は、コンテンションウィンドウサイズを決定する方法及び装置を提供する。
【０００５】
第１の態様に従って、本願の実施形態は、第１デバイスによって、第１サブバンドを占有する１つ以上のデータパケットを基準時間単位で１つ以上の第２デバイスへ送信することと、第１デバイスによって、１つ以上の第２デバイスによってフィードバックされかつ１つ以上のデータパケットに対応する１つ以上のハイブリッド自動再送要求ＨＡＲＱ−確認応答を受信することと、第１デバイスによって、１つ以上のＨＡＲＱ−ＡＣＫに基づいて第１サブバンドのコンテンションウィンドウサイズを決定することとを含む、コンテンションウィンドウサイズ決定方法を提供する。
【０００６】
本願のこの実施形態で提供される方法に従って、チャネルへの効率的なアクセス及び周囲の競合ノードとの友好的な共存は実施可能であり、かつ、通知シグナリングオーバーヘッドは低減される。
【０００７】
任意に、第１デバイスはアクセスネットワークデバイスであり、第２デバイスは端末デバイスである。例えば、ダウンリンク伝送中に、第１デバイスは、１つ以上のダウンリンクデータパケットを基準時間単位で１つ以上の第２デバイスへ送信する。
【０００８】
任意に、第１デバイスは端末デバイスであり、第２デバイスはアクセスネットワークデバイスである。例えば、アップリンク伝送中に、第１デバイスは、１つ以上のアップリンクデータパケットを基準時間単位で１つ以上の第２デバイスへ送信する。
【０００９】
任意に、ダウンリンク伝送中に、第１デバイスは、１つ以上のデータパケットを１つ以上の第２デバイスへ送信する。第１デバイスは、少なくとも１つのデータパケットを１つ以上の第２デバイスのうちのいずれか１つへ送信する。従って、１つ以上のデータパケットは、第１デバイスによって基準時間単位で１つ以上の第２デバイスの全てへ送信される少なくとも１つのデータパケットを含む。
【００１０】
任意に、アップリンク伝送中に、第１デバイスは、１つ以上のデータパケットを１つの第２デバイスへ送信する。
【００１１】
任意に、１つ以上のデータパケットは、１つのデータパケットであり、制限なしに、後述される第１データパケット、第２データパケット、又は第３データパケットを含む。
【００１２】
可能な実施では、第１デバイスによって、１つ以上のＨＡＲＱ−ＡＣＫに基づいて第１サブバンドのコンテンションウィンドウサイズを決定することは、１つ以上のデータパケットに対応する第１サブバンドについての１つ以上のＨＡＲＱ状態に基づいて第１サブバンドのコンテンションウィンドウサイズを決定することを含み、第１サブバンドの前記コンテンションウィンドウサイズは、次の情報：１つ以上のデータパケットに対応する第１サブバンドについての１つ以上のＨＡＲＱ状態の中のＮＡＣＫの割合、又は１つ以上のデータパケットに対応する第１サブバンドについての１つ以上のＨＡＲＱ状態の中のＡＣＫの割合、又は１つ以上のデータパケットに対応する第１サブバンドについての１つ以上のＨＡＲＱ状態の中のＮＡＣＫの数、又は１つ以上のデータパケットに対応する第１サブバンドについての１つ以上のＨＡＲＱ状態の中のＡＣＫの数、又は１つのデータパケットに対応する第１サブバンドについてのＨＡＲＱ状態がＮＡＣＫであるかどうか、又は１つのデータパケットに対応する第１サブバンドについてのＨＡＲＱ状態がＡＣＫであるかどうか、のうちの１つに基づいて決定され、１つ以上のデータパケットに対応する第１サブバンドについての１つ以上のＨＡＲＱ状態は、１つ以上のＨＡＲＱ−ＡＣＫによって表される。
【００１３】
１つ以上のデータパケットの夫々は、第１サブバンドについての１つのＨＡＲＱ状態を有する（各ＨＡＲＱ状態は、ＡＣＫ又はＮＡＣＫであってよい）。１つ以上のデータパケットは、１つ以上のデータパケットに対応する第１サブバンドについての１つ以上のＨＡＲＱ状態、すなわち、第１サブバンドについてのＨＡＲＱ状態セットを有する。ＮＡＣＫの割合は、１つ以上のデータパケットに対応する第１サブバンドについてのＨＡＲＱ状態セット内のＮＡＣＫの割合である。例えば、１つ以上のデータパケットがｍ（ｍは正の整数である）個のデータパケットであるとき、ｍ個のデータパケットに対応する第１サブバンドについてのＨＡＲＱ状態はｍ個のＨＡＲＱ状態であり、ｍ個のＨＡＲＱ状態はｍ個のデータパケットと一対一で対応し、ＮＡＣＫの割合はｍ個のＨＡＲＱ状態に対するＮＡＣＫ状態の割合である。
【００１４】
同様に、１つ以上のデータパケットに対応する第１サブバンドについての１つ以上のＨＡＲＱ状態の中のＡＣＫの割合は、１つ以上のデータパケットに対応する第１サブバンドについてのＨＡＲＱ状態セット内のＡＣＫの割合である。１つ以上のデータパケットに対応する第１サブバンドについての１つ以上のＨＡＲＱ状態の中のＮＡＣＫ／ＡＣＫの数は、１つ以上のデータパケットに対応する第１サブバンドについてのＨＡＲＱ状態セット内のＮＡＣＫ／ＡＣＫの数である。
【００１５】
以上の説明は、第１データパケットセット内のデータパケットに対応する第２サブバンドについてのＨＡＲＱ状態に対するＮＡＣＫ／ＡＣＫの割合、ＨＡＲＱ状態の中のＮＡＣＫ／ＡＣＫの数、第２データパケットセット内のデータパケットに対応する第３サブバンドについてのＨＡＲＱ状態に対するＮＡＣＫ／ＡＣＫの割合、ＨＡＲＱ状態の中のＮＡＣＫ／ＡＣＫの数、第３データパケット内のデータパケットに対応する第４サブバンドについてのＨＡＲＱ状態に対するＮＡＣＫ／ＡＣＫの割合、及びＨＡＲＱ状態の中のＮＡＣＫ／ＡＣＫの数にも当てはまる。
【００１６】
任意に、１つ以上のデータパケットに対応する第１サブバンドについての１つ以上のＨＡＲＱ状態は、１つ以上のＨＡＲＱ−ＡＣＫによって表される。これは、第１デバイスが、１つ以上の受信されたＨＡＲＱ−ＡＣＫに基づいて又はそれを参照して、第１サブバンドについての１つ以上のＨＡＲＱ状態を取得することを意味する。具体的に、第１デバイスは、第１サブバンドのコンテンションウィンドウサイズを決定するために、１つ以上のＨＡＲＱ−ＡＣＫを第１サブバンドについての１つ以上のＨＡＲＱ状態に変換する。例えば、１つ以上のデータパケットのうちのいずれか１つについて、第１デバイスは、そのいずれかのデータパケットに対応するＨＡＲＱ−ＡＣＫを、そのいずれかのデータパケットに対応する第１サブバンドについてのＨＡＲＱ状態に変換又は変形する。
【００１７】
任意に、１つ以上のデータパケットに対応する第１サブバンドについての１つ以上のＨＡＲＱ状態は、１つ以上のＨＡＲＱ−ＡＣＫによって表される。これは、１つ以上のデータパケットのうちのいずれか１つについて、そのいずれかのデータパケットに対応する第１サブバンドについてのＨＡＲＱ状態が、そのいずれかのデータパケットに対応するＨＡＲＱ−ＡＣＫであることを意味する。言い換えれば、いずれかのデータパケットに対応するＨＡＲＱ−ＡＣＫを受信した後、第１デバイスは、そのいずれかのデータパケットに対応するＨＡＲＱ−ＡＣＫに基づいて第１サブバンドのコンテンションウィンドウサイズを直接決定する。
【００１８】
１つ以上のデータパケットに対応する第１サブバンドについての１つ以上のＨＡＲＱ状態の以上の説明は、データパケットセット（第１データパケットセット、第２データパケットセット、又は第３データパケットセット）内のデータパケットに対応するサブバンド（第２サブバンド、第３サブバンド、又は第４サブバンド）についてのＨＡＲＱ状態にも当てはまる。
【００１９】
任意に、１つ以上のデータパケットのうちのいずれか１つは、１つ以上のＨＡＲＱ−ＡＣＫに含まれる１つのＨＡＲＱ−ＡＣＫに対応してよい。例えば、いずれかのデータパケットについて第１デバイスによって受信されるＨＡＲＱ−ＡＣＫは、ＴＢ  ＨＡＲＱ−ＡＣＫであり、そのいずれかのデータパケットは、ＴＢ  ＨＡＲＱ−ＡＣＫに対応する。
【００２０】
任意に、１つ以上のデータパケットのうちのいずれか１つは、１つ以上のＨＡＲＱ−ＡＣＫの中の複数のＨＡＲＱ−ＡＣＫに対応する。例えば、いずれかのデータパケットについて第１デバイスによって受信されるＨＡＲＱ−ＡＣＫは、ＣＢＧ  ＨＡＲＱ−ＡＣＫであり、そのいずれかのデータパケットは、１つ以上のＣＢＧ  ＨＡＲＱ−ＡＣＫに対応する。
【００２１】
１つ以上のデータパケットのうちのいずれか１つが１つのＨＡＲＱ−ＡＣＫ又は複数のＨＡＲＱ−ＡＣＫに対応するという以上の説明は、データパケットセット（第１データパケットセット、第２データパケットセット、又は第３データパケットセット）内のいずれかのデータパケット及びそのデータパケットに対応する１つ以上のＨＡＲＱ−ＡＣＫにも当てはまる。
【００２２】
更に、１つ以上のデータパケットは、第１デバイスによって基準時間単位で送信されかつ第１サブバンドを占有する全てのデータパケットを含む。
【００２３】
任意に、第１サブバンドのコンテンションウィンドウサイズは、１つ以上のデータパケットに対応する第１サブバンドについての１つ以上のＨＡＲＱ状態に基づき決定され、あるいは、第１サブバンドのコンテンションウィンドウサイズは、１つ以上のデータパケットに対応する第１サブバンドについてのＨＡＲＱ状態に少なくとも１つのＡＣＫがあるかどうか、又は１つ以上のデータパケットに対応する第１サブバンドについてのＨＡＲＱ状態に少なくとも１つのＮＡＣＫがあるかどうかに基づき決定されてもよい。
【００２４】
可能な実施において、１つ以上のデータパケットは、第１データパケットを含み、第１データパケットは、第１サブバンドを含む複数のサブバンドにおいて運ばれ、１つ以上のＨＡＲＱ−ＡＣＫは、第１データパケットに対応するトランスポートブロックＴＢについてのＴＢ  ＨＡＲＱ−ＡＣＫを含む。ＴＢ  ＨＡＲＱ−ＡＣＫがＡＣＫであるとき、第１データパケットに対応する第１サブバンドについてのＨＡＲＱ状態はＡＣＫであり、あるいは、ＴＢ  ＨＡＲＱ−ＡＣＫがＮＡＣＫであるとき、第１データパケットに対応する第１サブバンドについてのＨＡＲＱ状態はＮＡＣＫである。
【００２５】
具体的に、ＴＢ  ＨＡＲＱ−ＡＣＫは、ＨＡＲＱ−ＡＣＫである。
【００２６】
任意に、１つ以上のデータパケットに対応する第１サブバンドについての１つ以上のＨＡＲＱ状態は、第１データパケットに対応する第１サブバンドについてのＨＡＲＱ状態を含む。
【００２７】
可能な実施にといて、複数のサブバンドは、第２サブバンドを更に含み、第１デバイスは、ＴＢ  ＨＡＲＱ−ＡＣＫに基づいて第２サブバンドのコンテンションウィンドウサイズを更に決定する。
【００２８】
本願のこの実施形態で提供される方法に従って、サブバンドのＣＷＳは、同じ免許不要スペクトルで動作する隣接ノードとの友好的な共存を実装するために、ＨＡＲＱ−ＡＣＫフィードバックオーバーヘッドを増大させずに正確に調整され得る。
【００２９】
本願のこの実施形態で提供される方法に従って、ワイドバンドデータパケットが複数のサブバンドを占有するとき、送信ノードは、各サブバンドのＣＷＳを調整するために、ワイドバンドデータパケットに対応するＨＡＲＱ−ＡＣＫを繰り返し使用する。
【００３０】
可能な実施において、第１デバイスがＴＢ  ＨＡＲＱ−ＡＣＫに基づいて第２サブバンドのコンテンションウィンドウサイズを更に決定することは、第１デバイスによって、第１データパケットに対応する第２サブバンドについてのＨＡＲＱ状態に基づいて、第２サブバンドのコンテンションウィンドウサイズを決定することを含み、ＴＢ  ＨＡＲＱ−ＡＣＫがＡＣＫであるとき、第１データパケットに対応する第２サブバンドについてのＨＡＲＱ状態はＡＣＫであり、あるいは、ＴＢ  ＨＡＲＱ−ＡＣＫがＮＡＣＫであるとき、第１データパケットに対応する第２サブバンドについてのＨＡＲＱ状態はＮＡＣＫである。
【００３１】
可能な実施において、１デバイスによって、第１データパケットに対応する第２サブバンドについてのＨＡＲＱ状態に基づいて、第２サブバンドのコンテンションウィンドウサイズを決定することは、第１デバイスによって、第１データパケットセット内のデータパケットに対応する第２サブバンドについてのＨＡＲＱ状態に基づいて、第２サブバンドのコンテンションウィンドウサイズを決定することを含み、第１データパケットセットは、第１デバイスによって基準時間単位で送信されかつ第２サブバンドを占有する少なくとも１つのデータパケットを含み、第１データパケットセットは、第１データパケットを含む。第２サブバンドのコンテンションウィンドウサイズは、次の情報：第１データパケットセット内のデータパケットに対応する第２サブバンドについてのＨＡＲＱ状態に対するＮＡＣＫの割合、又は第１データパケットセット内のデータパケットに対応する第２サブバンドについてのＨＡＲＱ状態に対応するＡＣＫの割合、又は第１データパケットセット内のデータパケットに対応する第２サブバンドについてのＨＡＲＱ状態の中のＮＡＣＫの数、又は第１データパケットセット内のデータパケットに対応する第２サブバンドについてのＨＡＲＱ状態の中のＡＣＫの数、又は第１データパケットセット内のデータパケットに対応する第２サブバンドについてのＨＡＲＱ状態がＮＡＣＫであるかどうか、又は第１データパケットセット内のデータパケットに対応する第２サブバンドについてのＨＡＲＱ状態がＡＣＫであるかどうか、のうちの１つに基づいて決定される。第１データパケットセット内のデータパケットに対応する第２サブバンドについてのＨＡＲＱ状態は、第１データパケットセット内のデータパケットに対応する１つ以上のＨＡＲＱ−ＡＣＫによって表される。
【００３２】
更に、第１データパケットセット内のデータパケットは、第１データパケットセット内の全てのデータパケットである。
【００３３】
更に、第１データパケットセットは、第１デバイスによって基準時間単位で送信されかつ第２サブバンドを占有する全てのデータパケットを含む。
【００３４】
具体的に、第１データパケットセット内のデータパケットは、第１デバイスによって１つ以上の受信デバイスへ送信されるデータパケットを含む。これは、第１デバイスが１つ以上のデータパケットを１つ以上の第２デバイスへ送信することと同様である。
【００３５】
具体的に、第１データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する上記の１つ以上のＨＡＲＱ−ＡＣＫと同様である。１つ以上の受信デバイス及び１つ以上の第２デバイスは同じセットであってよく、あるいは、異なるセットであってもよい。
【００３６】
ここで、第１データパケットセット内のデータパケットと第１データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第１データパケットセット内のいずれかのデータパケットは、１つ以上のＨＡＲＱ−ＡＣＫに対応し得る。
【００３７】
任意に、第１データパケットセット内のデータパケットに対応する第２サブバンドについてのＨＡＲＱ状態は、第１データパケットに対応する第２サブバンドについてのＨＡＲＱ状態を含む。
【００３８】
任意に、第２サブバンドのコンテンションウィンドウサイズは、１つ以上のデータパケットに対応する第２サブバンドについての１つ以上のＨＡＲＱ状態に基づいて決定され、あるいは、第２サブバンドのコンテンションウィンドウサイズは、１つ以上のデータパケットに対応する第２サブバンドについての１つ以上のＨＡＲＱ状態に少なくとも１つのＡＣＫがあるかどうか、又は１つ以上のデータパケットに対応する第２サブバンドについての１つ以上のＨＡＲＱ状態に少なくとも１つのＮＡＣＫがあるかどうかに基づいて決定されてもよい。
【００３９】
可能な実施において、１つ以上のデータパケットは、第２データパケットを含み、第２データパケットは、１つ以上の符号ブロックグループＣＢＧを含み、１つ以上のＨＡＲＱ−ＡＣＫは、１つ以上の符号ブロックグループに対応する１つ以上のＣＢＧ  ＨＡＲＱ−ＡＣＫを含む。１つ以上のＣＢＧ  ＨＡＲＱ−ＡＣＫが全てＡＣＫであるとき、第２データパケットに対応する第１サブバンドについてのＨＡＲＱ状態はＡＣＫであり、あるいは、１つ以上のＣＢＧ  ＨＡＲＱ−ＡＣＫが１つ以上のＮＡＣＫを含むとき、第２データパケットに対応する第１サブバンドについてのＨＡＲＱ状態はＮＡＣＫである。
【００４０】
第２データパケットは、１つ以上符号ブロックグループを含む。言い換えれば、１つ以上の符号ブロックグループは、第２データパケットに含まれる全ての符号ブロックグループを含む。
【００４１】
更に、１つ以上の符号ブロックグループは、複数の符号ブロックグループである。
【００４２】
可能な実施において、第２データパケットは、少なくとも第１サブバンド及び第３サブバンドで運ばれ、第１デバイスは、１つ以上のＣＢＧ  ＨＡＲＱ−ＡＣＫに基づいて第３サブバンドのコンテンションウィンドウサイズを更に決定する。
【００４３】
本願のこの実施形態で提供される方法に従って、同じ場合に取得されるＮＡＣＫ又はＡＣＫの割合は、周囲ノードとの友好的な共存をより良く実装するために、一致する。
【００４４】
可能な実施において、第１デバイスが１つ以上のＣＢＧ  ＨＡＲＱ−ＡＣＫに基づいて第３サブバンドのコンテンションウィンドウサイズを更に決定することは、第１デバイスによって、第２データパケットに対応する第３サブバンドについてのＨＡＲＱ状態に基づいて、第３サブバンドのコンテンションウィンドウサイズを更に決定することを含み、１つ以上のＣＢＧ−確認応答が全てＡＣＫであるとき、第２データパケットに対応する第３サブバンドについてのＨＡＲＱ状態はＡＣＫであり、あるいは、１つ以上のＣＢＧ−確認応答が１つ以上のＮＡＣＫを含むとき、第２データパケットに対応する第３サブバンドについてのＨＡＲＱ状態はＮＡＣＫである。
【００４５】
可能な実施において、第１デバイスによって、第２データパケットに対応する第３サブバンドについてのＨＡＲＱ状態に基づいて、第３サブバンドのコンテンションウィンドウサイズを更に決定することは、第１デバイスによって、第２データパケットセット内のデータパケットに対応する第３サブバンドについてのＨＡＲＱ状態に基づいて、第３サブバンドのコンテンションウィンドウサイズを決定することを含み、第２データパケットセットは、第１デバイスによって基準時間単位で送信されかつ第３サブバンドを占有する少なくとも１つのデータパケットを含み、第２データパケットセットは、第２データパケットを含む。第３サブバンドのコンテンションウィンドウサイズは、次の情報：第２データパケットセット内のデータパケットに対応する第３サブバンドについてのＨＡＲＱ状態に対するＮＡＣＫの割合、又は第２データパケットセット内のデータパケットに対応する第３サブバンドについてのＨＡＲＱ状態に対応するＡＣＫの割合、又は第２データパケットセット内のデータパケットに対応する第３サブバンドについてのＨＡＲＱ状態の中のＮＡＣＫの数、又は第２データパケットセット内のデータパケットに対応する第３サブバンドについてのＨＡＲＱ状態の中のＡＣＫの数、又は第２データパケットセット内のデータパケットに対応する第３サブバンドについてのＨＡＲＱ状態がＮＡＣＫであるかどうか、又は第２データパケットセット内のデータパケットに対応する第３サブバンドについてのＨＡＲＱ状態がＡＣＫであるかどうか、のうちの１つに基づいて決定される。第２データパケットセット内のデータパケットに対応する第３サブバンドについてのＨＡＲＱ状態は、第２データパケットセット内のデータパケットに対応する１つ以上のＨＡＲＱ−ＡＣＫによって表される。
【００４６】
更に、第２データパケットセット内のデータパケットは、第２データパケットセット内の全てのデータパケットである。
【００４７】
更に、第２データパケットセットは、第１デバイスによって基準時間単位で送信されかつ第３サブバンドを占有する全てのデータパケットを含む。
【００４８】
具体的に、第２データパケットセット内のデータパケットは、第１デバイスによって１つ以上の受信デバイスへ送信されるデータパケットを含む。これは、第１デバイスが１つ以上のデータパケットを１つ以上の第２デバイスへ送信することと同様である。
【００４９】
具体的に、第２データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する１つ以上のＨＡＲＱ−ＡＣＫと同様である。１つ以上の受信デバイス及び１つ以上の第２デバイスは同じセットであってよく、あるいは、異なるセットであってもよい。
【００５０】
ここで、第２データパケットセット内のデータパケットと第２データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第２データパケットセット内のいずれかのデータパケットは、１つ以上のＨＡＲＱ−ＡＣＫに対応し得る。
【００５１】
任意に、１つ以上のデータパケットに対応する第１サブバンドについての１つ以上のＨＡＲＱ状態は、第２データパケットに対応する第１サブバンドについてのＨＡＲＱ状態を含む。
【００５２】
任意に、第２データパケットセット内のデータパケットに対応する第３サブバンドについてのＨＡＲＱ状態は、第２データパケットに対応する第３サブバンドについてのＨＡＲＱ状態を含む。
【００５３】
任意に、第３サブバンドのコンテンションウィンドウサイズは、１つ以上のデータパケットに対応する第３サブバンドについての１つ以上のＨＡＲＱ状態に基づいて決定され、あるいは、第３サブバンドのコンテンションウィンドウサイズは、１つ以上のデータパケットに対応する第３サブバンドについての１つ以上のＨＡＲＱ状態に少なくとも１つのＡＣＫがあるかどうか、又は１つ以上のデータパケットに対応する第３サブバンドについての１つ以上のＨＡＲＱ状態に少なくとも１つのＮＡＣＫがあるかどうかに基づいて決定されてもよい。
【００５４】
可能な実施において、１つ以上のデータパケットは、第３データパケットを含み、第３データパケットは、第１サブバンドを含む複数のサブバンドにおいて運ばれ、第３データパケットは、第１符号ブロックグループセットを含み、第１符号ブロックグループセットは、第１サブバンドを占有する１つ以上の符号ブロックグループから成り、１つ以上のＨＡＲＱ−ＡＣＫは、第１符号ブロックグループセットの中の１つ以上の符号ブロックグループに対応する１つ以上のＣＢＧ  ＨＡＲＱ−ＡＣＫを含む。第１符号ブロックグループセットの中の１つ以上の符号ブロックグループに対応する１つ以上のＣＢＧ  ＨＡＲＱ−ＡＣＫが全てＡＣＫであるとき、第３データパケットに対応する第１サブバンドについてのＨＡＲＱ状態はＡＣＫであり、あるいは、第１符号ブロックグループセットの中の１つ以上の符号ブロックグループに対応する１つ以上のＣＢＧ  ＨＡＲＱ−ＡＣＫが１つ以上のＮＡＣＫを含むとき、第３データパケットに対応する第１サブバンドについてのＨＡＲＱ状態はＮＡＣＫである。
【００５５】
具体的に、第１符号ブロックグループセットが、第１サブバンドを占有する１つ以上の符号ブロックグループを含むことは、第１符号ブロックグループセットが、全て第１データパケットに含まれる符号ブロックグループであってかつ第１サブバンドを占有する全ての符号ブロックグループを含むセットである、ことを意味する。
【００５６】
更に、第１符号ブロックグループセットは、複数の符号ブロックグループを含む。
【００５７】
更に、１つ以上のＨＡＲＱ−ＡＣＫは、第１符号ブロックグループセット内の全ての符号ブロックグループに対応するＣＢＧ  ＨＡＲＱ−ＡＣＫを含む。
【００５８】
可能な実施において、第１符号ブロックグループセットは、第１符号ブロックグループを含み、第１符号ブロックグループは、第１サブバンド及び第４サブバンドを占有し、第３データパケットは、第２符号ブロックグループセットを更に含み、第２符号ブロックグループセットは、第４サブバンドを占有する１つ以上の符号ブロックグループから成り、第２符号ブロックグループセットは、第１符号ブロックグループを含み、第１デバイスは、第１符号ブロックグループに対応するＣＢＧ  ＨＡＲＱ−ＡＣＫに基づいて第４サブバンドのコンテンションウィンドウサイズを更に決定する。
【００５９】
具体的に、第２符号ブロックグループセットが、第４サブバンドを占有する１つ以上の符号ブロックグループを含むことは、第２符号ブロックグループセットが、全て第３データパケットに含まれる符号ブロックグループであってかつ第４サブバンドを占有する全ての符号ブロックグループを含むセットである、ことを意味する。
【００６０】
更に、第２符号ブロックグループセットは、複数の符号ブロックグループを含む。可能な実施において、第１デバイスが、第１符号ブロックグループに対応するＣＢＧ  ＨＡＲＱ−ＡＣＫに基づいて第４サブバンドのコンテンションウィンドウサイズを更に決定することは、第１デバイスによって、第３データパケットに対応する第４サブバンドについてのＨＡＲＱ状態に基づいて、第４サブバンドのコンテンションウィンドウサイズを更に決定することを含み、第２符号ブロックグループ内の符号ブロックグループに対応するＣＢＧ  ＨＡＲＱ−ＡＣＫが全てＡＣＫであるとき、第３データパケットに対応する第４サブバンドについてのＨＡＲＱ状態はＡＣＫであり、あるいは、第２符号ブロックグループ内の符号ブロックグループに対応するＣＢＧ  ＨＡＲＱ−ＡＣＫが１つ以上のＮＡＣＫを含むとき、第３データパケットに対応する第４サブバンドについてのＨＡＲＱ状態はＮＡＣＫである。
【００６１】
更に、第２符号ブロックグループセット内の符号ブロックグループに対応するＣＢＧ  ＨＡＲＱ−ＡＣＫは、第２符号ブロックグループセット内の全ての符号ブロックグループに対応するＣＢＧ  ＨＡＲＱ−ＡＣＫを含む。
【００６２】
任意に、第４サブバンドのコンテンションウィンドウサイズは、１つ以上のデータパケットに対応する第４サブバンドについての１つ以上のＨＡＲＱ状態に基づいて決定され、あるいは、第４サブバンドのコンテンションウィンドウサイズは、１つ以上のデータパケットに対応する第４サブバンドについての１つ以上のＨＡＲＱ状態に少なくとも１つのＡＣＫがあるかどうか、又は１つ以上のデータパケットに対応する第４サブバンドについての１つ以上のＨＡＲＱ状態に少なくとも１つのＮＡＣＫがあるかどうかに基づいて決定されてもよい。
【００６３】
可能な実施において、第１デバイスによって、第３データパケットに対応する第４サブバンドについてのＨＡＲＱ状態に基づいて、第４サブバンドのコンテンションウィンドウサイズを更に決定することは、第１デバイスによって、第３データパケットセット内のデータパケットに対応する第４サブバンドについてのＨＡＲＱ状態に基づいて、第４サブバンドのコンテンションウィンドウサイズを決定することを含み、第３データパケットセットは、第１デバイスによって基準時間単位で送信されかつ第４サブバンドを占有する１つ以上のデータパケットを含み、第３データパケットセットは、第３データパケットを含む。第４サブバンドのコンテンションウィンドウサイズは、次の情報：第３データパケットセット内のデータパケットに対応する第４サブバンドについてのＨＡＲＱ状態に対するＮＡＣＫの割合、又は第３データパケットセット内のデータパケットに対応する第４サブバンドについてのＨＡＲＱ状態に対応するＡＣＫの割合、又は第３データパケットセット内のデータパケットに対応する第４サブバンドについてのＨＡＲＱ状態の中のＮＡＣＫの数、又は第３データパケットセット内のデータパケットに対応する第４サブバンドについてのＨＡＲＱ状態の中のＡＣＫの数、又は第３データパケットセット内のデータパケットに対応する第４サブバンドについてのＨＡＲＱ状態がＮＡＣＫであるかどうか、又は第３データパケットセット内のデータパケットに対応する第４サブバンドについてのＨＡＲＱ状態がＡＣＫであるかどうか、のうちの１つに基づいて決定される。第３データパケットセット内のデータパケットに対応する第４サブバンドについてのＨＡＲＱ状態は、第３データパケットセット内のデータパケットに対応する１つ以上のＨＡＲＱ−ＡＣＫによって表される。
【００６４】
更に、第３データパケットセット内のデータパケットは、第３データパケットセット内の全てのデータパケットである。
【００６５】
更に、第３データパケットセットは、第１デバイスによって基準時間単位で送信されかつ第４サブバンドを占有する全てのデータパケットを含む。
【００６６】
具体的に、第３データパケットセット内のデータパケットは、第１デバイスによって１つ以上の受信デバイスへ送信されるデータパケットを含む。これは、第１デバイスが１つ以上のデータパケットを１つ以上の第２デバイスへ送信することと同様である。
【００６７】
具体的に、第３データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する１つ以上のＨＡＲＱ−ＡＣＫと同様である。１つ以上の受信デバイス及び１つ以上の第２デバイスは同じセットであってよく、あるいは、異なるセットであってもよい。
【００６８】
ここで、第３データパケットセット内のデータパケットと第３データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第３データパケットセット内のいずれかのデータパケットは、１つ以上のＨＡＲＱ−ＡＣＫに対応し得る。
【００６９】
任意に、１つ以上のデータパケットに対応する第１サブバンドについての１つ以上のＨＡＲＱ状態は、第３データパケットに対応する第１サブバンドについてのＨＡＲＱ状態を含む。
【００７０】
任意に、第３データパケットセット内のデータパケットに対応する第４サブバンドについてのＨＡＲＱ状態は、第３データパケットに対応する第４サブバンドについてのＨＡＲＱ状態を含む。
【００７１】
任意に、データパケットセット（例えば、第１データパケットセット、第２データパケットセット、又は第３データパケットセット）は、データパケットを含み、制限なしに、後述される第１データパケット、第２データパケット、又は第３データパケットを含む。
【００７２】
第２の態様に従って、本願の実施形態は、コンテンションウィンドウサイズ決定装置を提供する。装置は、アクセスネットワークデバイスに適用され、第１の態様におけるステップを実行するよう構成されたユニット又は手段（means）を含む。
【００７３】
第３の態様に従って、本願の実施形態は、コンテンションウィンドウサイズ決定装置を提供する。装置は、端末デバイスに適用され、第１の態様におけるステップを実行するよう構成されたユニット又は手段（means）を含む。
【００７４】
第４の態様に従って、本願は、プロセッサ及びメモリを含む通信装置を提供する。メモリは、コンピュータ実行可能命令を記憶するよう構成され、プロセッサは、通信装置が第１の態様に従う方法を実行するように、メモリに記憶されているコンピュータ実行可能命令を実行するよう構成される。
【００７５】
第５の態様に従って、本願は、コンピュータ可読記憶媒体を提供する。コンピュータ可読記憶媒体は、命令を記憶し、命令がコンピュータ実行されるときに、コンピュータは、第１の態様に従う方法を実行することを可能にされる。
【００７６】
第６の態様に従って、本願は、チップを提供する。チップは、メモリへ接続されてよく、第１の態様に従う方法を実装するように、メモリに記憶されているソフトウェアプログラムを読み出して実行するよう構成される。
【００７７】
第７の態様に従って、本願は、通信システムを提供する。通信システムは、第２の態様に従うアクセスネットワークデバイスと、第３の態様に従う端末デバイスとを含む。
【００７８】
本願は、免許不要スペクトルで動作するサブバンド又はワイドバンドのＣＷＳを調整する方法を提供する。ワイドバンドデータパケットが複数のサブバンドを占有するとき、送信ノードは、各サブバンドのＣＷＳを調整するために、ワイドバンドデータパケットに対応するＨＡＲＱ−ＡＣＫを繰り返し使用する。更に、受信ノードがＣＢＧ−ＡＣＫをフィードバックするとき、送信ノードは、同じデータパケットに対応するサブバンドのための複数のＣＢＧ−ＡＣＫをＴＢ−ＡＣＫに変換し、それから、サブバンドのＣＷＳを調整するためにＴＢ−ＡＣＫを使用する。このようにして、チャネルへの効率的なアクセス及び周囲の競合ノードとの友好的な共存は実装可能であり、かつ、通知シグナリングオーバーヘッドは低減される。
【図面の簡単な説明】
【００７９】
【図１】本願の実施形態に従う無線通信システムの略アーキテクチャ図である。
【図２】本願の実施形態に従うアクセスネットワークデバイスの略構造図である。
【図３】本願の実施形態に従う端末デバイスの略構造図である。
【図４】ＬＴＥマルチキャリア伝送システムにおけるサブバンドのためのＣＷＳ調整の概略図である。
【図５】（ａ）及び（ｂ）は、本願の実施形態に従う動的チャネルリスニングメカニズムの概略図である。
【図６】本願の実施形態に従うＣＷＳ調整方法のフローチャートである。
【図７】（ａ）及び（ｂ）は、本願の実施形態に従うＣＢＧマッピングモードの概略図である。
【図８】本願の実施形態に従うダウンリンクＣＷＳ調整の概略図である。
【図９】本願の実施形態に従うアップリンクＣＷＳ調整の概略図である。
【図１０】（ａ）及び（ｂ）は、本願の実施形態に従うＣＷＳ調整の概略図である。
【図１１】本願の実施形態に従う他のＣＷＳ調整の概略図である。
【図１２】本願の実施形態に従う他のＣＷＳ調整の概略図である。
【図１３】本願の実施形態に従う他のＣＷＳ調整の概略図である。
【図１４】本願の実施形態に従うＣＷＳ決定装置の概略図である。
【発明を実施するための形態】
【００８０】
以下は、本願の実施形態における添付の図面を参照して、本願の実施形態における技術的解決法について記載する。本願の実施形態における技術的解決法及び特徴は、矛盾が生じない場合に相互に組み合わされ得ることが留意されるべきである。
【００８１】
本願の実施形態において、「１つの〜」は単一の個体を意味し、「１つの〜」が１つの個体であることしかできず、他の個体に当てはめられ得ないことを示すものではない。例えば、本願の実施形態において、「端末デバイス」は、特定の端末デバイスであり、これは、「端末デバイス」が１つの特定の端末デバイスにしか当てはめられ得ないことを意味しない。語「システム」及び「ネットワーク」は、本願では同義的に使用され得る。
【００８２】
本願における「実施形態」（又は「実施」）又は「複数の実施形態」（又は「複数の実施」）との言及は、実施形態で記載される具体的な特徴、構造、特性などが少なくとも１つの実施形態に含まれることを意味する。従って、本明細書の全体を通して現れる「実施形態において」又は「複数の実施形態において」は、同じ実施形態を表さない。
【００８３】
更に、本願の実施形態において、「Ａ及び／又はＢ」及び「Ａ及びＢの少なくとも１つ」の場合に使用される語「及び／又は」及び「少なくとも１つ」は、３つのシナリオ：Ａは含まれるがＢは除かれるシナリオ、Ｂは含まれるがＡは除かれるシナリオ、及び選択肢Ａ及びＢの両方が含まれるシナリオ、のうちのいずれか１つを含む。他の例では、「Ａ、Ｂ、及び／又はＣ」及び「Ａ、Ｂ、及び／又はＣの少なくとも１つ」の場合に、この言い回しは、６つのシナリオ：Ａは含まれるがＢ及びＣの両方は除かれるシナリオ、Ｂは含まれるがＡ及びＣの両方は除かれるシナリオ、Ｃは含まれるがＡ及びＢの両方は除かれるシナリオ、Ａ及びＢの両方は含まれるがＣは除かれるシナリオ、Ｂ及びＣの両方は含まれるがＡは除かれるシナリオ、Ａ及びＢの両方は含まれるがＣは除かれるシナリオ、３つの選択肢Ａ、Ｂ、及びＣが含まれるシナリオ、のうちのいずれか１つを含む。当該技術及び関連技術において通常の知識を有する者によって容易に理解されるように、全ての他の同様の記載は、本願の実施形態において同様に理解され得る。
【００８４】
図１は、無線デバイスと無線通信システムとの間の通信の概略図である。無線通信システムは、様々な無線アクセス技術（radio  access  technology，ＲＡＴ）が適用されるシステム、例えば、符号分割多重アクセス（code  division  multiple  access，ＣＤＭＡ）、時分割多重アクセス（time  division  multiple  access，ＴＤＭＡ）、周波数分割多重アクセス（frequency  division  multiple  access，ＦＤＭＡ）、直交周波数分割多重アクセス（orthogonal  frequency-division  multiple  access，ＯＦＤＭＡ）、単一搬送波周波数分割多重アクセス（single  carrier  FDMA，ＳＣ−ＦＤＭＡ）、及び他のシステム、であってよい。例えば、無線通信システムは、ロング・ターム・エボリューション（long  term  evolution，ＬＴＥ）システム、ＣＤＭＡシステム、ワイドバンド符号分割多重アクセス（wideband  CDMA，ＷＣＤＭＡ）システム、グローバル・フォー・モバイル・コミュニケーションズ（global  system  for  mobile  communications，ＧＳＭ）システム、無線ローカル・エリア・ネットワーク（wireless  local  area  network，ＷＬＡＮ）システム、ニュー・ラジオ（New  Radio，ＮＲ）システム、様々な進化した又は収束されたシステム、及び将来の通信技術を使用するシステムであってよい。本願の実施形態で記載されるシステムアーキテクチャ及びサービスシナリオは、本願の実施形態における技術的解決法をより明りょうに記載するよう意図され、本願の実施形態で提供される技術的解決法に対する制限を構成しない。当業者であれば、ネットワークアーキテクチャの進化及び新しいサービスシナリオの出現により、本願の実施形態で提供される技術的解決法は同様の技術的問題にも適用可能である、と分かる。
【００８５】
簡潔さのために、図１は、１つのアクセスネットワークデバイス１０２と２つの無線デバイス１０４（例えば、端末デバイス）との間の通信を示す。通常、無線通信システムは、ネットワークデバイスをいくつでも、かつ、端末デバイスをいくつでも含んでよい。無線通信システムは、１つ以上のコアネットワークデバイス、仮想ネットワーク機能を支援するために使用されるデバイス、などを更に含んでもよい。アクセスネットワークデバイス１０２は、１つ以上の搬送波を使用することによって無線デバイスのためのサービスを提供してよい。本願では、アクセスネットワークデバイス及び端末デバイスは、総称的に無線装置とも呼ばれる。
【００８６】
本願で、アクセスネットワークデバイス１０２は、端末デバイスのための無線通信機能を提供するために無線アクセスネットワークに配置される装置である。アクセスネットワークデバイスは、様々な形態でマクロ基地局（base  station，ＢＳ）、ミクロ基地局（又はスモールセルと呼ばれる）、中継ノード、アクセスポイント、などを含んでよい。異なる無線アクセス技術を使用するシステムでは、無線アクセス機能を有しているデバイスの名称は異なることがある。例えば、ＬＴＥシステムでは、デバイスは、エボルブド・ノードＢ（evolved  NodeB，ｅＮＢ又はｅＮｏｄｅＢ）と呼ばれ、第３世代（3rd  Generation，３Ｇ）システムでは、デバイスは、ノードＢ（ＮｏｄｅＢ）と呼ばれる、など。説明の容易のために、本願では、無線アクセス機能を有しているデバイスは、簡潔にアクセスネットワークデバイスと呼ばれるか、あるいは、時々、基地局と呼ばれる。
【００８７】
本願の実施形態における無線デバイスは、無線通信機能を有している様々な手持ち式デバイス、車載型デバイス、装着型デバイス、若しくはコンピュータデバイス、又は無線モデムへ接続されている他の処理デバイスを含んでよい。無線デバイスは、端末デバイスと呼ばれることがあり、あるいは、移動局（mobile  station，略してＭＳ）、端末（terminal）、ユーザ装置（user  equipment，ＵＥ）、などと呼ばれることがある。無線デバイスは、加入者ユニット（subscriber  unit）、携帯電話機（cellular  phone）、スマートフォン（smartphone）、無線データカード、パーソナル・デジタル・アシスタント（personal  digital  assistant，ＰＤＡ）コンピュータ、タブレットコンピュータ、モデム（modem）若しくはモデムプロセッサ（modem  processor）、手持ち式（handheld）デバイス、ラップトップコンピュータ（laptop  computer）、ネットブック、コードレス電話機（cordless  phone）、又は無線ローカルループ（wireless  local  loop）局、ブルートゥースデバイス、マシンタイプ通信（machine  type  communication，ＭＴＣ）端末、などを含んでよい。記載の容易のために、これらの無線デバイスは、本願では簡潔に端末デバイス又はＵＥと呼ばれる。
【００８８】
無線デバイスは、無線通信のために使用される１つ以上の無線技術、例えば、５Ｇ、ＬＴＥ、ＷＣＤＭＡ、ＣＤＭＡ、１Ｘ、時分割同期符号分割多重アクセス（Time  Division-Synchronous  Code  Division  Multiple  Access，ＴＳ−ＳＣＤＭＡ）、ＧＳＭ、８０２．１１、などをサポートしてよい。無線デバイスはまた、キャリアアグリゲーション技術をサポートしてもよい。
【００８９】
複数の無線デバイスは、同じ又は異なるサービス、例えば、モバイルブロードバンドサービス、エンハンスド・モバイルブロードバンド（enhance  mobile  broadband，ｅＭＢＢ）サービス、及び超高信頼低遅延通信（Ultra-Reliable  and  Low-Latency  Communication，ＵＲＬＬＣ）サービスを実行してよい。
【００９０】
更に、アクセスネットワークデバイス１０２の可能な略構造図は、図２に示され得る。アクセスネットワークデバイス１０２は、本願の実施形態で提供される方法を実行することができる。アクセスネットワークデバイス１０２は、コントローラ又はプロセッサ２０１（プロセッサ２０１が、以下、説明のための例として使用される）と、トランシーバ２０２とを含んでよい。コントローラ／プロセッサ２０１は、時々、モデムプロセッサ（modem  processor）とも呼ばれる。モデムプロセッサ２０１は、ベースバンドプロセッサ（baseband  processor，ＢＢＰ）（図示せず）を含んでよい。ベースバンドプロセッサは、信号において伝送された情報又はデータビットを取り出すように、受信されたデジタル化された信号を処理する。そのため、要件又は期待に基づいて、ＢＢＰは、通常は、モデムプロセッサ２０１において１つ以上のデジタル信号プロセッサ（digital  signal  processor，ＤＳＰ）で実装されるか、あるいは、別個の集積回路（integrated  circuit，ＩＣ）として実装される。
【００９１】
トランシーバ２０２は、アクセスネットワークデバイス１０２と端末デバイスとの間の情報の受信及び送信をサポートし、かつ、端末デバイス間の無線通信をサポートするよう構成されてよい。プロセッサ２０１は、端末デバイスと他のアクセスネットワークデバイスとの間の通信のための様々な機能を実行するよう更に構成されてもよい。アップリンクで、端末デバイスからのアップリンク信号は、アンテナを通じて受信され、トランシーバ２０２によって復調され、端末デバイスによって送信されたサービスデータ及び／又はシグナリング情報を回復するようにプロセッサ２０１によって更に処理される。ダウンリンクで、サービスデータ及び／又はシグナリングメッセージは、端末デバイスによって処理され、ダウンリンク信号を生成するようにトランシーバ２０２によって変調され、アンテナを通じてＵＥへ送信される。アクセスネットワークデバイス１０２は、メモリ２０３を更に含んでもよく、メモリ２０３は、アクセスネットワークデバイス１０２のプログラムコード及び／又はデータを記憶するよう構成されてよい。トランシーバ２０２は、独立した受信器回路及び独立した送信器回路を含んでよく、あるいは、受信及び送信機能を実装する回路を含んでもよい。アクセスネットワークデバイス１０２は、アクセスネットワークデバイス１０２と他のネットワークエンティティとの間の通信をサポートするよう構成された、例えば、コアネットワーク内のアクセスネットワークデバイスなどと通信することにおいてアクセスネットワークデバイス１０２を支援するよう構成された通信ユニット２０４を更に含んでもよい。
【００９２】
任意に、アクセスネットワークデバイスは、バスを更に含んでもよい。トランシーバ２０２、メモリ２０３、及び通信ユニット２０４は、バスを通じてプロセッサ２０１へ接続され得る。例えば、バスは、ペリフェラル・コンポーネント・インターコネクト（Peripheral  Component  Interconnect，ＰＣＩ）バス、拡張業界標準アーキテクチャ（Extended  Industry  Standard  Architecture，ＥＩＳＡ）バス、などであってよい。バスは、アドレスバス、データバス、制御バス、などを含んでよい。
【００９３】
図３は、上記の無線通信システムにおける端末デバイスの可能な略構造図である。端末デバイスは、本願の実施形態で提供される方法を実行することができる。端末デバイスは、２つの端末デバイス１０４のどちらか一方であってよい。端末デバイスは、トランシーバ３０１と、アプリケーションプロセッサ（application  processor）３０２と、メモリ３０３と、モデムプロセッサ（modem  processor）３０４とを含む。
【００９４】
トランシーバ３０１は、出力サンプルを調整し（例えば、出力サンプルに対してアナログ変換、フィルタリング、増幅、及びアップコンバージョンを実行し）、アップリンク信号を生成する。アップリンク信号は、アンテナを通じて上記の実施形態における基地局へ送信される。ダウンリンクで、アンテナは、アクセスネットワークデバイスによって送信されたダウンリンク信号を受信する。トランシーバ３０１は、アンテナから受信された信号を調整し（例えば、信号に対してフィルタリング、増幅、ダウンコンバージョン、及びデジタル化を実行し）、入力サンプルを供給する。
【００９５】
モデムプロセッサ３０４は、時々、コントローラ又はプロセッサとも呼ばれ、ベースバンドプロセッサ（baseband  processor，ＢＢＰ）（図示せず）を含んでよい。ベースバンドプロセッサは、受信されたデジタル化された信号を処理して、信号において伝送された情報又はデータビットを取り出す。要件又は期待に基づいて、ＢＢＰは、通常は、モデムプロセッサ３０４において１つのデジットで実装されるか、あるいは、別個の集積回路（ＩＣ）として実装される。
【００９６】
設計において、モデムプロセッサ（modem  processor）３０４は、符号器３０４１、変調器３０４２、復号器３０４３、及び復調器３０４４を含んでよい。符号器３０４１は、送信されるべき信号を符号化するよう構成される。例えば、符号器３０４１は、アップリンクで送信されるべきサービスデータ及び／又はシグナリングメッセージを受け取り、サービスデータ及びシグナリングメッセージに対して処理（例えば、フォーマッティング、エンコーディング、又はインターリービング）を実行するよう構成されてよい。変調器３０４２は、符号器３０４１の出力信号を変調するよう構成される。例えば、変調器は、符号器の出力信号に対して符号マッピング及び／又は変調などの処理を実行し、出力サンプルを供給し得る。復調器３０４４は、入力信号を復調するよう構成される。例えば、復調器３０４４は、入力サンプルを処理し、シンボル推定を供給する。復号器３０４３は、復調された入力信号を復号するよう構成される。例えば、復号器３０４３は、復調された入力信号に対してデインターリービング及び／又は復号化などの処理を実行し、復号された信号（データ及び／又はシグナリング）を出力する。符号器３０４１、変調器３０４２、復調器３０４４、及び復号器３０４３は、集積モデムプロセッサ３０４によって実装されてよい。これらのユニットは、無線アクセスネットワークで使用される無線アクセス技術に基づく処理を実行する。
【００９７】
モデムプロセッサ３０４は、アプリケーションプロセッサ３０２から、音声、データ、又は制御情報を表し得るデジタル化されたデータを受け取り、デジタル化された信号を伝送のために処理する。モデムプロセッサは、複数の通信システムの複数の無線通信プロトコルの１つ以上、例えば、ＬＴＥ、ニュー・ラジオ、ユニバーサル・モバイル・コミュニケーションズ・システム（Universal  Mobile  Telecommunications  System，ＵＭＴＳ）、及び高速パケットアクセス（High  Speed  Packet  Access，ＨＳＰＡ）をサポートしてよい。任意に、モデムプロセッサ３０４は、１つ以上のメモリを含んでもよい。
【００９８】
任意に、モデムプロセッサ３０４及びアプリケーションプロセッサ３０２は、１つのプロセッサチップに集積されてよい。
【００９９】
メモリ３０３は、通信において端末デバイスを支援するために使用されるプログラムコード（時々、プログラム、命令、ソフトウェア、などと呼ばれる）及び／又はデータを記憶するよう構成される。
【０１００】
メモリ２０３及びメモリ３０３は、１つ以上の記憶ユニットを含んでよく、例えば、プロセッサ２０１又はモデムプロセッサ３０４又はアプリケーションプロセッサ３０２に含まれかつプログラムコードを記憶するために使用される記憶ユニットであってよく、あるいは、プロセッサ２０１又はモデムプロセッサ３０４又はアプリケーションプロセッサ３０２から独立した外付けの記憶ユニットであってよく、あるいは、プロセッサ２０１又はモデムプロセッサ３０４又はアプリケーションプロセッサ３０２の中にある記憶ユニットと、プロセッサ２０１又はモデムプロセッサ３０４又はアプリケーションプロセッサ３０２から独立している外付けの記憶ユニットとを含むコンポーネントであってよい。
【０１０１】
プロセッサ２０１及びモデムプロセッサ３０１は、同じタイプのプロセッサであってよく、あるいは、異なるタイプのプロセッサであってよく、例えば、中央演算処理装置（central  processing  unit，ＣＰＵ）、汎用プロセッサ、デジタル信号プロセッサ（digital  signal  processor，ＤＳＰ）、特定用途向け集積回路（application-specific  integrated  circuit，ＡＳＩＣ）、フィールド・プログラマブル・ゲート・アレイ（field  programmable  gate  array，ＦＰＧＡ）若しくは他のプログラム可能な論理デバイス、トランジスタ論理デバイス、ハードウェア部品、他の集積回路、又はそれらの任意の組み合わせとして実装されてよい。プロセッサ２０１及びモデムプロセッサ３０１は、本願の実施形態で開示される内容を参照して記載される論理ブロック、モジュール、及び回路の様々な例を実装又は実行してよい。代替的に、プロセッサは、計算機能を実装するコンポーネントの組み合わせ、例えば、１つ以上のマイクロプロセッサの組み合わせ、ＤＳＰ及びマイクロプロセッサの組み合わせ、又はシステム・オン・ア・チップ（system-on-a-chip，ＳＯＣ）であってよい。
【０１０２】
当業者であれば、本開示で開示される様々な態様を参照して記載される様々な例となる論理ブロック、モジュール、回路、及びアルゴリズムは、電子ハードウェア、メモリ若しくは他のコンピュータ可読媒体に記憶されておりプロセッサ若しくは他の処理デバイスによって実行される命令、又はそれらの組み合わせとして実装されてよい、と理解し得る。例において、本明細書で記載されるデバイスは、如何なる回路、ハードウェア部品、ＩＣ、又はＩＣチップにも適用されてよい。本願で開示されるメモリは、如何なるサイズでの如何なるタイプのメモリであってもよく、如何なるタイプの必要とされる情報も記憶するよう構成されてよい。そのような互換性について明りょうに説明するために、様々な例となるコンポーネント、ブロック、モジュール、回路及びステップは、機能に基づいて一般的に記載されてきた。そのような機能をどのように実装するかは、全体のシステムに課された特定の用途、設計選択、及び／又は設計制約に依存する。当業者であれば、記載される機能を夫々の特定の用途ごとに実装するために、異なる方法を使用し得るが、そのような実装は、本願の範囲を超えることが考えられるべきではない。
【０１０３】
ロング・ターム・エボリューション（long  term  evolution，ＬＴＥ）及び５Ｇシステムは、直交周波数分割多重化（orthogonal  frequency  division  multiplexing，ＯＦＤＭ）技術を使用する。データ伝送のために使用される最小限のリソースは、時間領域では１つのＯＦＤＭシンボル及び周波数領域では１つのサブキャリアに対応するリソース要素（resource  element，ＲＥ）である。これに基づき、リソースブロック（resource  block，ＲＢ）は、時間領域における複数の連続したＯＦＤＭシンボル及び周波数領域における複数の連続したサブキャリアを含み、基本リソーススケジューリング単位である。
【０１０４】
ＬＴＥシステムでは、データチャネルのサブキャリア間隔は、固定で１５ｋＨｚである。５Ｇ  ＮＲシステムでは、より柔軟にリソースを使用し、より変化に富んだ通信環境をサポートするよう、複数の任意のサブキャリア間隔は、１５ｋＨｚ、３０ｋＨｚ、６０ｋＨｚ、などを含め、サポートされ得る。より大きいサブキャリア間隔は、より短いアップリンクシンボル長さに対応する。１５ｋＨｚ×２ｎのサブキャリア間隔（ｎは正の整数である）の場合に、サブキャリア間隔に対応するシンボル長さは、１５ｋＨｚの原サブキャリア間隔に対応するシンボル長さの１／２ｎに変化し、相応して、スロット（slot）又はデータパケットに対応する伝送時間インターバル（transmission  time  interval，ＴＴＩ）の長さも、元の長さの１／２ｎに変化する。
【０１０５】
利用可能な周波数帯域を広げるよう、キャリアアグリゲーション（carrier  aggregation，ＣＡ）技術がＬＴＥシステムに導入され、複数の搬送波がデータ情報を伝送するために使用される。各搬送波（コンポーネント搬送波（component  carrier，ＣＣ）と呼ばれる）は１つ以上のトランスポートブロック（transport  block，ＴＢ）を運ぶ。各搬送波でのダウンリンク／アップリンクデータ伝送は、アクセスネットワークデバイスによって送信される対応するスケジューリングシグナリング（ＤＬ  ｇｒａｎｔ／ＵＬ  ｇｒａｎｔ）を使用することによってスケジューリングされる。キャリア、及びスケジューリング信号を運ぶキャリアは、同じキャリアであってよく（サブキャリアスケジューリング）、あるいは、異なるキャリアであってよい（クロスキャリアスケジューリング）。
【０１０６】
５Ｇ  ＮＲシステムでは、キャリアアグリゲーションによるデータ伝送に加えて、ワイドバンド（wideband，ＷＢ）伝送技術が更にサポートされてよく、搬送波によって占有される帯域幅は、例えば、ＬＴＥシステムでの２０ＭＨｚの元の帯域幅からＮ×２０ＭＨｚに広げられる。その上、高速フーリエ変換又は逆高速フーリエ変換（ＦＦＴ又はＩＦＦＴ）の複雑さを減らすよう、サブキャリア間隔も増大され得る。例えば、ＬＴＥシステムでの１５ｋＨｚの元の間隔は、Ｎ×１５ｋＨｚに増やされ、それにより、サンプリングレートは不変なままである一方で、帯域幅は増える。例えば、ＮＲワイドバンドシステムの搬送波は４０ＭＨｚに広げられ、搬送波は２つのサブバンド（SubBanD，ＳＢＤ）を含み、各サブバンドの帯域幅は２０ＭＨｚである。１つの物理リソースブロック（physical  resource  block，ＰＲＢ）は１２個のサブキャリアを含み、サブキャリア間隔は３０ｋＨｚである。１つのサブフレームは１４個の時間領域シンボルを含み、各時間領域シンボルは、ＬＴＥ（１５ｋＨｚのサブキャリア間隔を有する）時間領域シンボルの長さの１／２であり、サブフレームの長さは０．５ｍｓである。トランスポートブロックは、４０ＭＨｚ搬送波×０．５ｍｓ時間周波数リソースで運ばれ得る。
【０１０７】
免許を受けた周波数帯域では利用可能な周波数領域リソースの量が比較的に少ないという問題を解消するよう、ロング・ターム・エボリューションを使用する免許補助アクセス（licensed-assisted  access  using  long  term  evolution，ＬＡＡ−ＬＴＥ）技術がＬＴＥのリリース１３で紹介されており、進化した免許補助アクセス（enhanced  LAA，ｅＬＡＡ）技術がリリース１４で紹介されている。利用可能な周波数帯域は、キャリアアグリゲーション技術を使用することによって、免許不要の周波数帯域に拡張されてよく、ダウンリンク及びアップリンク情報は、免許を受けた周波数帯域の助けを借りて免許不要の周波数帯域で伝送される。ＬＡＡ及びｅＬＡＡに基づいて、マルチファイア標準は更に、免許を受けた周波数帯域、すなわち、スタンドアローン伝送の助けなしで、もっぱら免許不要の周波数帯域で、ＬＴＥシステムのアップリンク及びダウンリンク伝送（トラフィックチャネル及び制御チャネルを含む）を実装する。
【０１０８】
異なるオペレータのアクセスネットワークデバイス及び端末デバイスと、免許不要の周波数帯域でのＷｉ−Ｆｉなどの異なるシステムにおける無線ノードとの友好的な共存を実装するよう、ＬＡＡ／ｅＬＡＡ／マルチファイアは、ＬＢＴチャネルアクセスメカニズムを使用する。免許不要の周波数帯域で情報を送る前に、送信ノードはチャネルにリッスンする必要があり、チャネルがアイドル状態であるとリッスンにより知った後、ダウンリンク情報を送信する。リソースを占有する前に、送信ノードは、チャネルがアイドル状態であるとリッスンにより知る。これは、ＬＢＴ成功と呼ばれる。リソースを占有する前に、送信ノードは、チャネルがアイドル状態でないとリッスンにより知る。これは、ＬＢＴ失敗と呼ばれる。
【０１０９】
チャネルを占有した後、送信ノードは、情報を送るために、引き続きチャネルを占有してよい。時間領域リソースを連続的に占有することは、バースト（burst）と呼ばれる。チャネルを占有した後、送信ノードが連続的に情報を送ることができる最大時間長さは、最大チャネル占有時間（maximum  channel  occupancy  time，ＭＣＯＴ）である。ＭＣＯＴの間にチャネルを連続的に占有した後、送信ノードはチャネルを解放する必要があり、ＬＢＴを再び実行した後に、再びチャネルにアクセスすることができる。送信ノードがチャネルにリッスンする場合に、２つのチャネル状態：アイドル状態及びビジー状態が存在する。チャネル状態決定基準は次の通りである：無線通信デバイスは、リッスンスロットにおいてチャネルで受け取られる電力をクリアチャネル評価エネルギ検出（clear  channel  assessment-energy  detection，ＣＣＡ−ＥＤ）閾値と比較する。電力が検出閾値よりも大きい場合には、チャネルはビジー状態にある。電力が検出閾値に満たない場合には、チャネルはアイドル状態にある。
【０１１０】
送信ノードは、複数のチャネルアクセス優先順位クラス（priority  class）のうちの１つを使用することによってチャネルにリッスンしてよい。各優先順位クラスは、チャネルリッスンパラメータ（コンテンションウィンドウサイズ（contention  window  size，ＣＷＳ）、ＭＣＯＴ長さ、などの値範囲を含む）の組に対応する。例えば、より高い優先度を有する優先順位クラスに対応する最大ＣＷＳ値は、より小さく（チャネルにアクセスするのがより容易である）、ＤＬ  ＭＣＯＴ長さは、より短い（チャネルはより速く解放される必要がある）。各優先順位クラスに対応するチャネルリッスンパラメータの組は、プロトコル又は規定において指定される。例えば、アップリンク伝送については４つのアクセス優先度：アクセス優先度１のＣＷセット｛３，７｝、アクセス優先度２のＣＷセット｛７，１５｝、アクセス優先度３のＣＷセット｛１５，３１，６３，１２７，２５５，５１１，１０２３｝、及びアクセス優先度４のＣＷセット｛１５，３１，６３，１２７，２５５，５１１，１０２３｝がある。他の例として、ダウンリンク伝送については４つのアクセス優先度：アクセス優先度１のＣＷセット｛３，７｝、アクセス優先度２のＣＷセット｛７，１５｝、アクセス優先度３のＣＷセット｛１５，３１，６３｝、及びアクセス優先度４のＣＷセット｛１５，３１，６３，１２７，２５５，５１１，１０２３｝がある。
【０１１１】
アクセスネットワークデバイスは、ランダムバックオフクリアチャネル評価（clear  channel  assessment，ＣＣＡ）アクセスチャネルを通じてダウンリンク情報を送信してよい。端末デバイスはまた、ランダムバックオフＣＣＡアクセスチャネルを通じてアップリンク情報を送信してもよい。ランダムバックオフＣＣＡは、タイプ１チャネルアクセス（type  1  channel  access）とも呼ばれる。ランダムバックオフＣＣＡでは、送信デバイスは、バックオフカウンタをランダムに生成し、チャネルがアイドル状態であるとリッスンにより知る場合にバックオフカウンタを１減らし、バックオフカウンタのカウントダウンを完了した後にチャネルにアクセスする。具体的なランダムバックオフＣＣＡプロシージャは次の通りである：送信デバイスは、０から初期ＣＷの間でバックオフカウンタＮを一様にかつランダムに生成し、リッスンスロット（ＣＣＡスロット）の粒度（例えば、９μｓ）でチャネルにリッスンし、チャネルがリッスンスロットでアイドル状態であると送信デバイスが検出する場合にバックオフカウンタＮを１減らす。対照的に、チャネルがリッスンスロットでビジーであると送信デバイスが検出する場合には、送信デバイスはバックオフカウンタを一時停止する。言い換えれば、バックオフカウンタＮは、チャネルがビジーであるときには不変なままであり、バックオフカウンタは、チャネルがアイドル状態であることが検出されるときにのみカウントダウンする。Ｎは自然数である。バックオフカウンタがゼロまで減ると、チャネルリッスンは成功したと見なされ、送信デバイスは直ちに、情報を送信するためにチャネルを占有し得る。
【０１１２】
更に、バックオフカウンタがゼロまで減った後、送信デバイスは、直ちに情報を送信するのではなく、代替的に、ある期間待機してもよい。待機が終わった後、送信デバイスは、情報が送信される必要がある時点の前に、追加のスロットでリッスンを実行する。チャネルがアイドル状態であると追加のスロットにおけるリッスンにより送信デバイスが知る場合に、チャネルリッスンは成功したと見なされ、送信デバイスは直ちに情報を送信し得る。情報が送信される必要がある時点の前にバックオフカウンタがゼロまで減らない場合、又は追加のリッスンスロットでチャネルがビジーであることが検出される場合には、チャネルリッスンは失敗したと見なされる。送信デバイスは、端末デバイス又はアクセスネットワークデバイスを含む。アクセスネットワークデバイスがランダムバックオフＣＣＡを成功裏に実行した後、対応するＭＣＯＴはＤＬ  ＭＣＯＴである。端末デバイスがランダムバックオフＣＣＡを成功裏に実行した後、対応するＭＣＯＴはＵＬ  ＭＣＯＴである。ＣＷ長さは、ＣＷサイズ（contention  window  size，ＣＷＳ）とも呼ばれる。
【０１１３】
免許不要の周波数帯域での隣接ノードとの友好的な共存と、チャネルアクセス効率の改善とのバランスをとるよう、送信ノードはＣＷＳを動的に調整し、次のチャネルリッスンのためにＣＷＳを使用する。具体的に、情報を送信する前に、送信ノードは、データパケットが送信された前回の基準時間単位を決定し、基準時間単位でデータパケットに基づいて受信ノードによってフィードバックされたＨＡＲＱ−ＡＣＫ（hybrid  automatic  repeat  request-acknowledge，ＨＡＲＱ−ＡＣＫ）（又はＨＡＲＱ確認応答、ＨＡＲＱ情報、ＨＡＲＱフィードバック、ＨＡＲＱ確認応答フィードバック、ＨＡＲＱ受信状態、などと呼ばれる）に基づいてＣＷＳを動的に調整する。受信ノードは、ＨＡＲＱ−ＡＣＫを送信ノードへフィードバックし、それにより、送信ノードは、不正確に送信されたデータパケットを再送する。例えば、基準時間単位でのデータパケットに対応するＨＡＲＱ−ＡＣＫが確認応答（acknowledgement，ＡＣＫ）状態を含まないか、あるいは、否定応答（negative  acknowledgement，ＮＡＣＫ）状態の割合が比較的に大きいとき、送信ノードは、拡張されたリッスン期間を犠牲にして周囲の競合ノードとの衝突を回避するように、ＣＷＳを増大させ、次のＬＢＴ中に、増大されたＣＷに基づいてチャネルリッスンを実行し、それによって、周囲の競合ノードとの友好的な共存を実装する。基準時間単位でのデータパケットに対応するＨＡＲＱ−ＡＣＫがＡＣＫ状態を含むか、あるいは、ＮＡＣＫ状態の割合が比較的に小さいとき、送信ノードは、リッスン期間を短縮し、チャネルアクセス効率を改善するように、ＣＷＳを低減する。他の例として、送信ノードが基準時間単位について１つ以上のＡＣＫを受け取るとき、送信ノードはＣＷＳを低減し、送信ノードが基準時間単位について１つ以上のＮＡＣＫを受け取るとき、送信ノードはＣＷＳを増大させる。
【０１１４】
５Ｇ  ＮＲシステムでは、免許不要スペクトルでのダウンリンク伝送及びアップリンク伝送もサポートされてよく、もっぱら免許不要スペクトルでのスタンドアローン伝送がサポートされてよい。その上、５Ｇ  ＮＲでは、ワイドバンドＷＢ技術が、免許不要スペクトルで更に使用されてよい。ワイドバンド技術は、データ伝送のための時間領域粒度を短くし、例えば、時間領域シンボルの長さ及びサブフレームの長さは短縮される。ＬＴＥ及びＮＲシステムにおける送信ノードは、シンボル又はサブフレームの粒度で免許不要スペクトルでのチャネルアクセスを実行する。従って、ＬＴＥシステムにおけるナローバンドシステムのチャネルプリエンプション効率と比較して、免許不要スペクトルで動作するワイドバンドシステムのチャネルプリエンプション効率は改善される。例えば、サブキャリア間隔が１５ｋＨｚであるとき、スロットの長さは１ｍｓであり、１ｍｓ内にただ１つのチャネルアクセス機会しか存在しない。サブキャリア間隔が３０ｋＨｚであるとき、スロットの長さは０．５ｍｓである。従って、１ｍｓ内に２つのチャネルアクセス機会が存在する。
【０１１５】
更に、ＮＲワイドバンドシステムは、制御シグナリングオーバーヘッドを更に低減する。例えば、同じサブキャリア間隔（subcarrier  space，ＳＣＳ）を有するＣＡシステム及びＷＢシステムの場合に、Ｎ×２０ＭＨｚのＣＡシステムでは、１つのデータパケットが各２０ＭＨｚ搬送波で運ばれ、１つのスケジューリング情報を必要とし、全部でＮ個のスケジューリング情報が必要とされる。しかし、Ｎ×２０ＭＨｚのＷＢシステムでは、１つのデータパケットが全体のＮ×２０ＭＨｚ搬送波で運ばれ、全部で１つのスケジューリング情報しか必要とされない。同様に、Ｎ×２０ＭＨｚのＣＡシステムでは、受信ノードは、Ｎ個のデータパケットについてＮ個のＨＡＲＱ確認応答情報をフィードバックする必要があり、一方、Ｎ×２０ＭＨｚのＷＢシステムでは、受信ノードは、全体のＮ×２０ＭＨｚ搬送波についてただ１つのＨＡＲＱ確認応答情報しかフィードバックする必要がない。
【０１１６】
既存のＬＴＥマルチキャリア伝送システムでは、送信ノードは、各搬送波で独立してＬＢＴを実行する。如何なる搬送波についても、ＬＢＴが成功した後に、送信ノードは、データパケットを送信するために搬送波を占有する。図４は、ＬＴＥマルチキャリア伝送システムでのサブバンドのためのＣＷＳ調整の概略図である。図４中、アクセスネットワークデバイスは、搬送波１から搬送波４までで別々にＬＢＴを実行する。搬送波１から搬送波３までのＬＢＴのリッスンは成功し、それら３つの搬送波は占有される。搬送波１における基準時間単位でのデータパケット１に対応するＨＡＲＱ−ＡＣＫがＡＣＫである場合に、搬送波１のＣＷＳは低減される。搬送波２における基準時間単位でのデータパケット２に対応するＨＡＲＱ−ＡＣＫ及び搬送波３における基準時間単位でのデータパケット３に対応するＨＡＲＱ−ＡＣＫがＮＡＣＫである場合に、搬送波２及び搬送波３のＣＷＳは夫々増大される。
【０１１７】
免許不要スペクトルでのＮＲワイドバンドシステムでは、チャネル使用効率を改善するために、動的ワイドバンドチャネルリッスンメカニズムが使用されてよい。具体的に言えば、送信ノード（アクセスネットワークデバイス又は端末デバイス）は、１つのデータパケットを送信するために複数のサブバンドを占有し得るが、ＬＢＴは依然としてサブバンドの粒度（例えば、２０ＭＨｚサブバンド）で実行される。その上、送信ノードは、データパケット又はデータパケットの一部を送信するために、ＬＢＴが成功したサブバンドのみを占有し、ＬＢＴが失敗したサブバンドを占有しない。従って、リッスンが全体の搬送波で実行され、ＬＢＴが成功した後に、搬送波の全ての帯域幅がデータパケットを送信するために占有され得、ＬＢＴが失敗する場合には、搬送波の帯域幅は全て解放されるところのＬＴＥシステムとは異なり、免許不要スペクトルでのＮＲワイドバンドシステムでは、ＬＢＴが搬送波で実行された後に、搬送波でのいくつのサブバンドのみが占有され得る。言い換えれば、ＮＲワイドバンドシステムでは、データパケットによって占有される周波数領域範囲（又はＨＡＲＱ−ＡＣＫに対応する周波数領域範囲）は、送信ノードによって実行されるＬＢＴに対応する周波数領域範囲とは異なり得る。例えば、前者は、後者よりも大きくなり得る。
【０１１８】
図５（ａ）及び図５（ｂ）は、動的ワイドバンドチャネルリッスンメカニズムの概略図である。図５（ａ）及び図５（ｂ）中、データパケット１は搬送波１を占有し、搬送波１は｛サブバンド１，サブバンド２，サブバンド３，及びサブバンド４｝を含む。データパケット１を送信する前に、端末デバイスは、サブバンド１からサブバンド４で別々にＬＢＴを実行し、データパケット１を送信するために、ＬＢＴが成功したサブバンドのみを占有する。ＬＢＴが一部のサブバンドでしか成功せず他のサブバンドでは失敗する場合に、ＬＢＴが成功したサブバンドがデータパケット１のいくらかの情報を運ぶ。図５（ａ）中、ＬＢＴが全てのサブバンドで成功する場合には、サブバンド１からサブバンド４がデータパケット１を送信するために占有される。図５（ｂ）中、サブバンド４でのＬＢＴが失敗し、サブバンド１からサブバンド３まででのＬＢＴが成功する場合には、データパケット１の一部の情報のみがサブバンド１からサブバンド３で送信され、サブバンド４上の情報は捨てられる（又はパンクチャリング、パンクチャと呼ばれる）。
【０１１９】
ＮＲシステムはＬＴＥマルチキャリアシステムでのそれと類似した伝送ソリューションを再利用し得るが、１つのデータパケットはただ１つのサブバンドでしか運ばれず、言い換えれば、１つのＨＡＲＱ−ＡＣＫはただ１つのサブバンドについてしか生成されない。このようにして、各サブバンドのＣＷＳは、サブバンドに対応するＨＡＲＱ−ＡＣＫに基づいて調整され得る。なお、この方法は、ＮＲワイドバンドシステムではシグナリングオーバーヘッド（すなわち、上記のスケジューリング情報及びＨＡＲＱ−ＡＣＫ情報）を低減することができない。
【０１２０】
従って、ＮＲワイドバンド伝送中、受信されるＨＡＲＱ−ＡＣＫはサブバンドを横断し、言い換えれば、１つのＨＡＲＱ−ＡＣＫは複数のサブバンドのチャネル状態を反映する。ワイドバンドデータパケットに対応するＨＡＲＱ−ＡＣＫに基づいていかにしてサブバンドのＣＷＳを決定するかは、検討される必要がある問題である。
【０１２１】
上記の問題を解決するよう、本願の実施形態は、ワイドバンドＣＷＳ決定方法を提供し、それにより、免許不要スペクトルでのワイドバンドＮＲシステムにおけるワイドバンドデータパケットが複数のサブバンドを占有するとき、サブバンドＣＷＳは、ワイドバンドデータパケットに対応するワイドバンドＨＡＲＱ−ＡＣＫに基づいて調整され得る。図６に示されるように、ワイドバンドＣＷＳ調整方法は、図１に示されるネットワークアーキテクチャに適用されてよく、方法中のアクセスネットワークデバイスは、図２中の略構造図に適用されてよく、端末デバイスは、図３中の略構造図に適用されてよい。本願のこの実施形態で提供される方法では、第１デバイスがアクセスネットワークデバイスであるとき、第２デバイスは端末デバイスである。第１デバイスが端末デバイスであるとき、第２デバイスはアクセスネットワークデバイスである。方法は次のステップを含む。
【０１２２】
ステップ６０１：第１デバイスは、第１サブバンドを占有する１つ以上のデータパケットを基準時間単位で１つ以上の第２デバイスへ送信する。
【０１２３】
本願でのデータパケット（例えば、第１データパケット、第２データパケット、第３データパケット、第４データパケット、又は第５データパケット）は、変調及び符号化の前にビット列であってよく、トランスポートブロックＴＢ、原セル、又は媒体アクセス制御プロトコルデータ単位（media  access  control  protocol  data  unit，ＭＡＣ  ＰＤＵ）とも呼ばれる、ことが理解されるべきである。代替的に、データパケットは、変調及び符号化の後で得られるデータ情報であってもよい。この場合に、データパケットは、変調及び符号化がＴＢ又はＭＡＣ  ＰＤＵに対して実行された後に得られるデータ情報に対応する。データパケットに対応する時間領域リソースは、伝送時間インターバル（transmission  time  interval，ＴＴＩ）である。データパケットが１つ以上のサブバンドで運ばれること（例えば、後述されるように、第１データパケットは、第１サブバンドを含む複数のサブバンドで運ばれ、第２データパケットは、少なくとも第１サブバンド及び第３サブバンドで運ばれ、第３データパケットは、第１サブバンドを含む複数のサブバンドで運ばれ、あるいは、第４データパケットは、第１サブバンドを含む１つ以上のサブバンドで運ばれる）は、データパケットがマッピングされる周波数領域リソースが１つ以上のサブバンドに対応することを意味する。受信デバイスによってフィードバックされるＨＡＲＱ−ＡＣＫは、データパケットごとにフィードバックされてよい。言い換えれば、受信デバイスは、１つのデータパケットについて１つのＨＡＲＱ−ＡＣＫをフィードバックする。代替的に、受信デバイスは、１つのデータパケットについて複数のＨＡＲＱ−ＡＣＫをフィードバックしてもよい。
【０１２４】
任意に、データパケットは、完全なデータパケットである。完全なデータパケットは、完全なセルビット情報及び完全な符号化情報を含む。例えば、データパケットは、完全なＴＢ又は完全なＭＡＣ  ＰＤＵである。他の例として、データパケットは、第１デバイスが完全なＴＢ又は完全なＭＡＣ  ＰＤＵに対して変調及び符号化を実行した後に得られる完全な情報シーケンスであり、ＴＢ又はＭＡＣ  ＰＤＵの完全なセルシーケンス及び完全な符号化情報を含む。
【０１２５】
任意に、データパケットは部分的なデータパケットであり、すなわち、データパケットは、完全なデータパケット内の一部のデータ情報を含む。例えば、データパケットは、完全なＴＢ内の一部の情報を含むが、完全なＴＢ内の他の情報を含まない。代替的に、データパケットは、完全なＭＡＣ  ＰＤＵ内の一部の情報を含むが、完全なＭＡＣ  ＰＤＵ内の他の情報を含まない。他の例として、データパケットは、第１デバイスが完全なＴＢ又は完全なＭＡＣ  ＰＤＵに対して変調及び符号化を実行した後に得られる完全な情報シーケンスの一部分であり、完全な情報シーケンスの他の部分を含まない。第１デバイスがワイドバンドデータパケット（完全なデータパケット）を送信すると期待されるとき、第１デバイスは、ワイドバンドに含まれる各サブバンドで独立してＬＢＴを実行する必要がある。いくつかのサブバンド、すなわち、１つ以上のサブバンドで実行されるＬＢＴは成功し得るが、他のサブバンドでのＬＢＴは失敗する。この場合に、第１デバイスは、その１つ以上のサブバンドしか占有せず、他のサブバンドで運ばれるワイドバンドデータパケット内の情報をパンクチャリング（puncture）する。この場合に、１つ以上のサブバンドを占有することによって第１デバイスによって送信されるデータパケットは、ワイドバンドデータパケットの部分である。従って、データパケットは部分的なデータパケットである。
【０１２６】
本願では、サブバンドは、ダウンリンク情報又はアップリンク情報を運ぶために使用される周波数領域リソースであってよい、ことが理解されるべきである。サブバンドは、１つ以上のサブバンドに含まれるサブバンドであってよく、あるいは、第１サブバンド、第２サブバンド、第３サブバンド、第４サブバンド、又は第５サブバンドであってよい。任意に、サブバンドは、１つ以上のサブキャリア（subcarrier）を含んでよく、あるいは、サブバンドは、１つ以上の物理リソースブロック（physical  resource  block，ＰＲＢ）を含んでよく、あるいは、サブバンドは、５ＭＨｚ、１０ＭＨｚ、１５ＭＨｚ、又は２０ＭＨｚの帯域幅に対応する周波数領域リソースであってよい。例えば、この周波数帯域は、ＬＴＥシステムで１つの搬送波によって占有される周波数領域リソースに対応してよい。代替的に、サブバンドは、搬送波であってよく、あるいは、サブバンドは、帯域幅部分（bandwidth  part，ＢＷＰ）と呼ばれ得る。
【０１２７】
任意に、サブバンドは、アクセスネットワークデバイス又は端末デバイスがチャネルリッスンを実行する周波数領域単位である。例えば、第１デバイスは、サブバンドに対するチャネルリッスンプロシージャを実行し（他の異なるサブバンドに対しては他の独立したチャネルリッスンプロシージャを実行し）、あるいは、サブバンドのためのＣＷＳを維持する（他のサブバンドのためには他の独立したＣＷＳを維持する）。言い換えれば、第１デバイスは、異なるサブバンドごとに独立したチャネルリッスンプロシージャを実行し、あるいは、異なるサブバンドごとに独立したコンテンションウィンドウサイズを維持する。他の例として、チャネルリッスンを実行するとき、第１デバイスは、サブバンド上のリッスンスロットで検出されたエネルギ又は電力を、サブバンドに対応するリッスン閾値ＣＣＡ−ＥＤと比較して、チャネルがビジー又はアイドル状態であるかどうかを判定する（他のサブバンドがビジー又はアイドル状態であるかどうかを独立して判定する）。他の例として、第１デバイスは、サブバンドでのＬＢＴが成功した後にのみ、情報を送信するためにサブバンドを占有することができる（他のサブバンドでのＬＢＴが成功したかどうかを独立して判定する）。
【０１２８】
任意に、サブバンドは、受信デバイスがチャネルを測定する周波数領域単位である。例えば、サブバンドの粒度で受信デバイスによって実行されるチャネル測定は、チャネル品質インジケータ（channel  quality  indication，ＣＱＩ）／記録行列インジケータ（precoding  matrix  indicator，ＰＭＩ）測定又は無線リソース管理（radio  resource  management，ＲＲＭ）測定を含む。言い換えれば、受信デバイスは、１つのサブバンドでＣＱＩ／ＰＭＩ／ＲＲＭ測定結果を報告する。言い換えれば、受信デバイスは、１つのサブバンドの限られた範囲内でＣＱＩ／ＰＭＩ／ＲＲＭ測定を実行し、交差サブバンド測定を実行しない。
【０１２９】
本願では、時間単位（例えば、基準時間単位）は、時間において連続している１つ以上の連続した伝送時間インターバル、１つ以上の連続したスロット（slot）、又は１つ以上の時間領域シンボル（symbol）である。時間単位に含まれる各ＴＴＩは、完全なＴＴＩであってよく（具体的に言えば、ＴＴＩに対応する全ての時間領域リソースが、情報を送るために占有される）、あるいは、部分的なＴＴＩであってよい（具体的に言えば、ＴＴＩに対応するいくらかの時間領域リソースが、情報を送信するために占有され、他の時間領域リソースは、アイドル状態に保たれる）。任意に、時間単位はスロット又はＴＴＩであってよい。スロットは１ｍｓスロットであってよく、あるいは、１ｍｓの長さを有するサブフレームと呼ばれてもよく、あるいは、１ｍｓよりも短くてもよい。スロットは、１４個の時間領域シンボルに対応してよく、あるいは、１４個に満たない時間領域シンボルに対応してもよい。スロットが１４個に満たない時間領域シンボルを含むとき、スロットはショート伝送時間インターバル（short  TTI，ｓＴＴＩ）に対応する。この場合に、スロットは、ミニスロット（mini-slot）又はノンスロット（non-slot）と呼ばれる。アップリンク伝送の場合に、スロットは、アップリンクリソース割り当て又はアップリンク伝送のための時間領域粒度であり、あるいは、スロットは、端末デバイスがアップリンク伝送を実行するか又はアップリンクデータパケットを送信する最小時間領域単位である。アップリンクミニスロットによってサポートされ得る任意の長さは、７つのアップリンクシンボル、１つのアップリンクシンボル、２つのアップリンクシンボル、３つのアップリンクシンボル、又は４つのアップリンクシンボルを含む。アップリンクシンボルは、単一搬送波周波数分割多重アクセスシンボル（single  charrier  frequency  division  multiplexing  access  symbol，ＳＣ−ＦＤＭＡシンボル）であってよく、あるいは、直交周波数分割多重アクセスシンボル（orthogonal  frequency  division  multiplexing  access  symbol，ＯＦＤＭＡシンボル）であってよい。ダウンリンク伝送の場合に、スロットは、ダウンリンクリソース割り当て又はダウンリンク伝送のための時間領域粒度であり、あるいは、スロットは、アクセスネットワークデバイスがダウンリンク伝送を実行するか又はダウンリンクデータパケットを送信する最小時間領域単位である。ダウンリンクミニスロットによってサポートされ得る任意の長さは、７つのダウンリンクシンボル、１つのダウンリンクシンボル、２つのダウンリンクシンボル、３つのダウンリンクシンボル、又は４つのダウンリンクシンボルを含む。ダウンリンクシンボルはＯＦＤＭＡシンボルであってよい。アップリンクミニスロット又はダウンリンクミニスロットは、１ｍｓよりも短い他のＴＴＩ長さもサポートする。任意に、時間単位は、代替的に、時間において連続している少なくとも２つのスロットであってよい。例えば、免許不要スペクトルで、時間単位は、時間において連続している複数のＴＴＩを含むバースト（burst）であってよい。
【０１３０】
本願では、バースト（例えば、第１アップリンクバースト又は第１ダウンリンクバースト）は、情報を送信するために第１デバイスによって占有される１つ以上の連続した時間単位である。アップリンクバーストは、アップリンク情報を送信するために端末デバイスによって占有される１つ以上の連続した時間単位を含んでよい。ダウンリンクバーストは、ダウンリンク情報を送信するためにアクセスネットワークデバイスによって占有される１つ以上の連続した時間単位を含んでよい。バーストが少なくとも２つの連続した時間単位を含むとき、ここでの「連続した」は、チャネル上の連続占有を意味し得る。具体的に言えば、第１デバイスは、情報を送信するために少なくとも２つの時間単位を連続的に占有する。ここでの「連続した」は、代替的に、時間単位（例えば、ＴＴＩ、サブフレーム、スロットslot、又はサブシンボル）の連続したシーケンス番号を意味する。言い換えれば、１つのバーストに含まれる少なくとも２つの連続した時間単位の中のいずれか２つの隣接する時間単位の間にギャップがあってもなくてもよい。具体的に、第１アップリンクバースト又は第１ダウンリンクバーストは、基準時間単位を含むバーストである。
【０１３１】
第１デバイスによって基準時間単位で送信されかつ１つ以上のサブバンドで運ばれるｃ番目（ｃは正の整数である）のデータパケット（例えば、第１データパケット、第２データパケット、第３データパケット、第４データパケット、若しくは第５データパケット、又は第１データパケットセット内のデータパケット、第２データパケットセット内のデータパケット、若しくは第３データパケットセット内のデータパケット）の場合に、ｃ番目のデータパケットがただ１つのサブバンド（例えば、第１サブバンド）でしか運ばれないとき、データパケットは、ナローバンドデータパケットと呼ばれてもよく、あるいは、ｃ番目のデータパケットが少なくとも２つのサブバンドで運ばれるとき、ｃ番目のデータパケットはワイドバンドデータパケットと呼ばれてもよい、ことが理解されるべきである。
【０１３２】
更に、１つ以上のサブバンドのいずれか１つ（例えば、第１サブバンド、第２サブバンド、第３サブバンド、又は第４サブバンド）について、そのいずれかのサブバンドがｃ番目のデータパケットを運ぶと見なされ得る。
【０１３３】
任意に、ｃ番目のデータパケットが少なくとも１つのサブバンド（例えば、第１サブバンドを含む複数のサブバンド、又は第１サブバンド及び第３サブバンド）で運ばれることは、ｃ番目のデータパケットが少なくとも１つのサブバンドしか占有せず、その少なくとも１つのサブバンド以外のサブバンドを占有しないことを意味する。言い換えれば、ｃ番目のデータパケット内の全ての情報は、少なくとも１つのサブバンドにマッピングされる。
【０１３４】
任意に、ｃ番目のデータパケットが少なくとも１つのサブバンドで運ばれることは、ｃ番目のデータパケットが少なくとも１つのサブバンドを占有することを意味する。この場合に、ｃ番目のデータパケットは、少なくとも１つのサブバンド以外のサブバンドを更に占有してもよい。これは制限されない。例えば、ｃ番目のデータパケット内の一部の情報は少なくとも１つのサブバンドにマッピングされ、他の情報は少なくとも１つのサブバンド以外のサブバンドにマッピングされる。
【０１３５】
任意に、ｄ番目（ｄは正の整数である）のＣＢＧ（例えば、第２データパケットに含まれる１つ以上のＣＢＧ、第２符号ブロックグループセット内のＣＢＧ、第２符号ブロックグループセット内のＣＢＧ、又は第１ＣＢＧ）が少なくとも１つのサブバンド（例えば、第１サブバンド及び／又は第４サブバンド）で運ばれることは、ｄ番目のＣＢＧが少なくとも１つのサブバンドしか占有せず、その少なくとも１つのサブバンド以外のサブバンドを占有しないことを意味する。言い換えれば、ｄ番目のＣＢＧ内の全ての情報は、少なくとも１つのサブバンドにマッピングされる。
【０１３６】
任意に、ｄ番目のＣＢＧが少なくとも１つのサブバンドで運ばれることは、ｄ番目のＣＢＧがそのサブバンドを占有することを意味する。この場合に、ｄ番目のＣＢＧは、そのバンド以外のサブバンドを更に占有してもよい。これは制限されない。例えば、ｄ番目のＣＢＧ内の一部の情報は少なくとも１つのサブバンドにマッピングされ、他の情報は少なくとも１つのサブバンド以外のサブバンドにマッピングされる。
【０１３７】
ｃ番目データパケットを運ぶ１つ以上のサブバンドの中のいずれかのサブバンド（例えば、第１サブバンドから第４サブバンド）について、ｃ番目のデータパケットはそのサブバンドを占有すると見なされ得る、ことが理解されるべきである。具体的に、ｃ番目のデータパケットがサブバンドを占有することは、ｃ番目のデータパケットがサブバンドの全て又はいくつかの周波数領域リソースを占有するか、あるいは、ｃ番目のデータパケットがサブバンドの少なくとも１つの物理リソースブロック（physical  resource  block，ＰＲＢ）にマッピングされる、ことを意味する。更に、ここでの周波数領域リソースは、具体的に、データ情報を運ぶために使用され得る周波数領域リソースである。ｃ番目のデータパケットがサブバンドのいくつかの周波数領域リソースを占有するとき、サブバンドの他の周波数領域リソースは、第１デバイスが送信すべきであるｃ番目のデータパケット以外の情報、例えば、ｃ番目のデータパケットに対応する受信デバイス以外の受信デバイスへ送信される情報を運ぶために使用されてよく、あるいは、第１デバイス以外の送信デバイスによって送信される情報を運ぶために使用されてよい。
【０１３８】
更に、ｃ番目のデータパケットがサブバンドを占有することは、ｃ番目のデータパケット内の全て又は一部の情報がそのサブバンドにマッピングされることを意味する。その上、ｃ番目のデータパケットは、場合により、他のサブバンドを占有する。例えば、ｃ番目のデータパケット内の一部の情報はそのサブバンドにマッピングされ、他の情報は他のサブバンドにマッピングされる。言い換えれば、ｃ番目のデータパケットは交差サブバンドデータパケットである。
【０１３９】
同様に、ｄ番目のＣＢＧが１つのサブバンド（例えば、第１サブバンドから第４サブバンド）を占有することは、ｄ番目のＣＢＧがそのサブバンドの全て又はいくつかの周波数領域リソースを占有することを意味する。その上、ｄ番目のＣＢＧがサブバンドを占有することは、ｄ番目のＣＢＧ内の全て又は一部の情報がそのサブバンドにマッピングされることを意味する。その上、ｄ番目のＣＢＧは、場合により、他のサブバンドを占有する。例えば、ｄ番目のＣＢＧ内の一部の情報はそのサブバンドにマッピングされ、他の情報は他のサブバンドにマッピングされる。言い換えれば、ｄ番目のＣＢＧは交差サブバンドＣＢＧである。
【０１４０】
任意に、第１デバイスがアクセスネットワークデバイスであり、第２デバイスが端末デバイスであるとき、１つ以上のデータパケットはダウンリンクデータパケットであり、基準時間単位はダウンリンク基準時間単位である。
【０１４１】
任意に、第１デバイスが端末デバイスであり、第２デバイスがアクセスネットワークデバイスであるとき、１つ以上のデータパケットはアップリンクデータパケットであり、基準時間単位はアップリンク基準時間単位である。
【０１４２】
任意に、第１デバイスは送信デバイスであり、第２デバイスは受信デバイスである。
【０１４３】
ステップ６０２：第１デバイスは、１つ以上の第２デバイスによってフィードバックされかつ１つ以上のデータパケットに対応する１つ以上のハイブリッド自動再送要求ＨＡＲＱ−ＡＣＫを受信する。
【０１４４】
ＬＴＥシステムでは、ＡＣＫ又はＮＡＣＫフィードバック及びＨＡＲＱ再送は両方とも、１つのトランスポートブロックＴＢで実行される。言い換えれば、各ＴＢは１つのＨＡＲＱ−ＡＣＫに対応する。符号化及び復号化の複雑性と、高速な符号化及び復号化処理の利点とを考えると、１つのトランスポートブロックＴＢは、別々のチャネル符号化及び復号化のために複数の符号ブロック（code  block，ＣＢ）に分割されてよい。通常、各ＣＢは、独立したチェック機能を有している。例えば、ターボ符号の場合に、ＣＢ巡回冗長検査（cyclic  redundancy  check，ＣＲＣ）が、符号化の前に各ＣＢに対して実行される。このようにして、各ＣＢを復号した後に、受信ノードは、ＣＲＣチェックにより、現在のＣＢが正確に復号されているかどうかを判定し得る。
【０１４５】
ＬＤＰＣ（Low  Density  Parity  Check  Code，低密度パリティ検査符号）が５Ｇ  ＮＲシステムに導入され、１つのＴＢはより多くのＣＢに分割され得る。ＬＤＰＣの場合に、ＣＢ  ＣＲＣはやはり各ＣＢに対して実行されてよく、あるいは、ＬＤＰＣの符号化行列がチェック機能を有している。具体的に言えば、ＬＤＰＣの各ＣＢもチェック機能を有し得る。従って、ＴＢのいくつかのＣＢが正確に受信されない場合に、端末デバイスはアクセスネットワークデバイスへＮＡＣＫをフィードバックし、アクセスネットワークデバイスはその後に全体のＴＢ（ＴＢ内の全てのＣＢを含む）に対してＨＡＲＱ再送を実行する、ことが知られ得る。正確に受信されないＣＢは少量であって、他のＣＢは全て正確に受信される場合に、先行技術でＴＢに基づき実行されたＨＡＲＱフィードバック及び再送の効率は低下する。その結果、システム伝送効率は影響を及ぼされる。従って、より細かい粒度によるＨＡＲＱフィードバックがＮＲシステムに導入され、１つのＴＢはＫ＞１個のＣＢグループ（CP  group，ＣＧＢ）に分割される。Ｋは正の整数である。各ＣＢＧは１つ以上のＣＢを含み、１つのデータパケットは１つ以上のＣＢＧを含む。ＨＡＲＱ−ＡＣＫは１つのＣＢＧにおいてフィードバックされる。言い換えれば、受信デバイスは、１つのＣＢＧについて１つのＨＡＲＱ−ＡＣＫをフィードバックし、各ＨＡＲＱ−ＡＣＫは１つのＣＢＧに対応する。ＴＢ内のいずれかのＣＢＧに対応するＨＡＲＱ−ＡＣＫがＮＡＣ又は不連続伝送（discontinuous  transmission，ＤＴＸ）であるとき、それは、ＴＢが正確に受信されないことを示す。しかし、再送中に、送信デバイスは、正確に受信されないＣＢＧのみを送信すればよく、同じＴＢ内の正確に受信されたＣＢＧを再送する必要はなく、それによって、再送中にリソースを節約する。ＮＲシステムは、１つのＴＢにおけるＨＡＲＱ−ＡＣＫフィードバックをサポートし、これは、ＴＢ  ＨＡＲＱ−ＡＣＫ又はＴＢ−確認応答（ＴＢ−ＡＣＫ）も呼ばれ、また、１つのＣＢＧにおけるＨＡＲＱ−ＡＣＫフィードバックもサポートし、これは、ＣＢＧ  ＨＡＲＱ−ＡＣＫ又はＣＢＧ−確認応答（ＣＢＧ−ＡＣＫ）と呼ばれる。データパケットに含まれる複数のＣＢＧは、図７（ａ）に示されるように、データパケットによって占有されるワイドバンド範囲内で、最初に周波数領域で、次いで時間領域で物理リソースにマッピングされてよい。代替的に、データパケットに含まれる複数のＣＢＧは、データパケットによって占有されるワイドバンド範囲内で、周波数領域で、次いで時間領域で各サブバンドにマッピングされてよい。図７（ｂ）に示されるように、サブバンドが完全にマッピングされるたびに、マッピングは次のサブバンドに対して実行される。
【０１４６】
第１デバイスは、１つ以上のデータパケットに対応しかつ１つ以上の第２デバイスによってフィードバックされる１つ以上のＨＡＲＱ−ＡＣＫを受信する、ことが理解されるべきである。１つ以上のデータパケットのうちのいずれか１つは１つ以上のＨＡＲＱ−ＡＣＫに対応してよい。例えば、いずれかのデータパケットに対応するＨＡＲＱ−ＡＣＫは、いずれかのデータパケットに対応するＴＢ−ＡＣＫであってよく、あるいは、いずれかのデータパケットに含まれる１つ以上のＣＢＧに対応する１つ以上のＣＢＧ−ＡＣＫであってよい。いずれかのデータパケットに対応するＨＡＲＱ−ＡＣＫは、次の場合のうちの１つであってよい。
【０１４７】
（１）いずれかのデータパケットに対応する全てのＨＡＲＱ−ＡＣＫ（例えば、後述される実施例１及び実施例２）。例えば、第２デバイスによってフィードバックされるＨＡＲＱ−ＡＣＫがＴＢ−確認応答であるとき、いずれかのデータパケットに対応するＨＡＲＱ−ＡＣＫは１つのＨＡＲＱ−ＡＣＫ、すなわち、ＴＢ−ＡＣＫである。他の例として、１つ以上のデータパケットは複数のＣＢＧを含み、第２デバイスによってフィードバックされるＨＡＲＱ−ＡＣＫがＣＢＧ  ＨＡＲＱ−ＡＣＫであるとき、いずれかのデータパケットに対応するＨＡＲＱ−ＡＣＫは、１つ以上のデータパケットのための全てのＣＢＧ−ＡＣＫである。
【０１４８】
（２）いずれかのデータパケットに対応する全てのＨＡＲＱ−ＡＣＫのうちのいくつか。具体的に言えば、いずれかのデータパケットに対応する全てのＨＡＲＱ−ＡＣＫのうちのいくつかが含まれ、他のＨＡＲＱ−ＡＣＫは含まれない（例えば、後述される実施例４）。言い換えれば、いずれかのデータパケットに対応するＨＡＲＱ−ＡＣＫは、いずれかのデータパケット内の一部の情報に対応するＨＡＲＱ−ＡＣＫである。具体的に、いずれかのデータパケットに対応するＨＡＲＱ−ＡＣＫは、いずれかのデータパケットに含まれる１つ以上のＣＢＧに対応する１つ以上のＣＢＧ  ＨＡＲＱ−ＡＣＫである。例えば、１つ以上のデータパケットは、Ｐ＞１個のＣＢＧを含み、いずれかのデータパケットに対応するＨＡＲＱ−ＡＣＫは、Ｍ個のＣＢＧに対応するＣＢＧ−ＡＣＫであり、Ｍ＜Ｐであり、Ｍ及びＰは自然数である。
【０１４９】
１つ以上のデータパケットのうちのいずれか１つについて、そのいずれかのデータパケットに対応するＨＡＲＱ−ＡＣＫは、第２デバイス又は受信デバイスによって送信される制御情報において運ばれてよい。例えば、第１デバイスがアクセスネットワークデバイスであり、第２デバイス／受信デバイスが端末デバイスであるとき、いずれかのデータパケットに対応するＨＡＲＱ−ＡＣＫは物理アップリンク制御チャネルＰＵＣＣＨ又は物理アップリンクサービスチャネルＰＵＳＣＨで運ばれ得る。第１デバイスが端末デバイスであり、第２デバイス／受信デバイスがアクセスネットワークデバイスであるとき、いずれかのデータパケットに対応するＨＡＲＱ−ＡＣＫは物理ダウンリンク制御チャネルＰＤＣＣＨで運ばれ得る。具体的に、いずれかのデータパケットに対応する全てのＨＡＲＱ−ＡＣＫは、ＰＤＣＣＨでスケジューリング情報において運ばれてよく、又は、ＰＤＣＣＨでフィードバック情報において運ばれてよく、あるいは、いくつかのＨＡＲＱ−ＡＣＫは、スケジューリング情報において運ばれてよく、他のＨＡＲＱ−ＡＣＫは、フィードバック情報において運ばれてよい。スケジューリング情報は、アップリンク情報を送信するよう端末デバイスをスケジューリングするために使用される制御情報である。例えば、スケジューリング情報はＵＬグラントであり、ＵＬグラントにおけるＮＤＩフィールドは、アップリンクデータパケットに対応するＨＡＲＱ−ＡＣＫを示すために使用されてよい。フィードバック情報は、アップリンクデータパケットに対応するＨＡＲＱ−ＡＣＫを含むが、スケジューリング情報を含まない。具体的に、フィードバック情報は、ビットマップ（bit  map）により、ＨＡＲＱプロセス番号セット内の各ＨＡＲＱプロセス番号に対応するＨＡＲＱ−ＡＣＫを示す。例えば、各ビットはＨＡＲＱプロセス番号に対応し、ＡＣＫは２進数で‘１’により表され、ＮＡＣＫは２進数で‘０’により表される。代替的に、フィードバック情報は、ビットマップにより、ＨＡＲＱプロセス番号セット内の各ＨＡＲＱプロセス番号の各ＣＢＧに対応するＨＡＲＱ−ＡＣＫを示す。例えば、各ビットはＨＡＲＱプロセス番号におけるＣＢＧに対応し、ＡＣＫは２進数で‘１’により表され、ＮＡＣＫは２進数で‘０’により表される。
【０１５０】
ダウンリンク基準時間単位での１つ以上のデータパケット又は１つ以上のデータパケットに含まれるＣＢＧに対応する如何なるＨＡＲＱ−ＡＣＫ（すなわち、１つ以上のＨＡＲＱ−ＡＣＫのうちのいずれか１つ、又は第２符号ブロックグループセット内の符号ブロックグループに対応するＣＢＧ  ＨＡＲＱ−ＡＣＫ）も、ＡＣＫ又はＮＡＣＫであり得る、ことが理解されるべきである。任意に、ダウンリンク基準時間単位での１つ以上のデータパケット又は１つ以上のデータパケットに含まれるＣＢＧに対応する如何なるＨＡＲＱ−ＡＣＫ（すなわち、１つ以上のＨＡＲＱ−ＡＣＫのうちのいずれか１つ）も、ＡＣＫ、ＮＡＣＫ、又はＤＴＸであり得る。例えば、データパケット／ＣＢＧが正確に受信されると端末デバイスが決定する場合に、対応するＨＡＲＱ−ＡＣＫはＡＣＫである。データパケット／ＣＢＧが不正確に受信されると端末デバイスが決定する場合に、ＨＡＲＱ−ＡＣＫはＮＡＣＫである。データパケット／ＣＢＧ又はデータパケット／ＣＢＧが位置するダウンリンクデータチャネルを端末デバイスが検出しない場合、又はデータパケット／ＣＢＧに対して端末デバイスによってフィードバックされたＨＡＲＱ情報をアクセスネットワークデバイスが検出しない場合に、ＨＡＲＱ−ＡＣＫはＤＴＸである。代替的に、データパケット／ＣＢＧが位置するダウンリンクデータチャネルを端末デバイスが検出しない場合に、ＨＡＲＱ−ＡＣＫはＮＡＣＫである。言い換えれば、ＮＡＣＫは、データパケット又はダウンリンクデータチャネルが検出されないことを示すために使用される。
【０１５１】
アップリンク基準時間単位での１つ以上のデータパケット又は１つ以上のデータパケットに含まれるＣＢＧに対応する如何なるＨＡＲＱ−ＡＣＫ（すなわち、１つ以上のＨＡＲＱ−ＡＣＫのうちのいずれか１つ、又は第２符号ブロックグループセット内の符号ブロックグループに対応するＣＢＧ  ＨＡＲＱ−ＡＣＫ）も、ＡＣＫ又はＮＡＣＫであり得る、ことが理解されるべきである。例えば、データパケット／ＣＢＧが正確に受信されるとアクセスネットワークデバイスが決定する場合に、対応するＨＡＲＱ−ＡＣＫはＡＣＫである。代替的に、データパケット／ＣＢＧが不正確に受信されるとアクセスネットワークデバイスが決定する場合に、対応するＨＡＲＱ−ＡＣＫはＮＡＣＫである。代替的に、データパケット／ＣＢＧ又はデータパケット／ＣＢＧが位置するアップリンクデータチャネルをアクセスネットワークデバイスが検出しない場合に、ＨＡＲＱ−ＡＣＫはＮＡＣＫである。言い換えれば、ＮＡＣＫは、データパケットが検出されないことを示すために使用される。代替的に、端末デバイスが、データパケット／ＣＢＧに対してアクセスネットワークデバイスによってフィードバックされたＨＡＲＱ情報を検出しないとき、ＨＡＲＱ−ＡＣＫはＤＴＸである。
【０１５２】
１つ以上のＨＡＲＱ−ＡＣＫのうちのいずれか１つについて、「１つ」は、「１つの」ＨＡＲＱ−ＡＣＫが１つのデータパケット、１つのＴＢ、１つのＣＢＧ、又は１つのＨＡＲＱ状態に対応することを意味する、ことが理解されるべきである。例えば、「１つの」ＨＡＲＱ−ＡＣＫはＮＡＣＫ状態、ＡＣＫ状態、又はＤＴＣ状態にある。例えば、ＨＡＲＱ−ＡＣＫがＴＢ−ＡＣＫであるとき、「１つの」ＨＡＲＱ−ＡＣＫは１つのデータパケット又は１つのＴＢに対応する。ＨＡＲＱ−ＡＣＫがＣＢＧ−ＡＣＫであるとき、「１つの」ＨＡＲＱ−ＡＣＫは１つのＣＢＧに対応する。
【０１５３】
ステップ６０３：第１デバイスは、１つ以上のＨＡＲＱ−ＡＣＫに基づいて第１サブバンドのコンテンションウィンドウサイズを決定する。
【０１５４】
第１デバイスは、基準時間単位で運ばれるデータパケット（例えば、第１データパケット、第２データパケット、第３データパケット、若しくは第４データパケット、又は第１データパケットセット内のデータパケット、第２データパケットセット内のデータパケット、若しくは第３データパケットセット内のデータパケット）に対応するＨＡＲＱ−ＡＣＫに基づいてＣＷＳを決定し、ＣＷに基づいてチャネルリッスン（例えば、ランダムバックオフＣＣＡ）を実行する、ことが理解されるべきである。言い換えれば、基準時間単位は、第１デバイスがＣＷＳを調整する時間単位である。基準時間単位は、第１デバイスがＣＷＳを決定する時点、又は第１デバイスがチャネルリッスンを開始する時点よりも早い。更に、ＣＷＳを調整する前に、第１デバイスは、ＨＡＲＱフィードバック時間シーケンス又はＨＡＲＱフィードバック能力の観点から、基準時間単位でデータパケットに対応するＨＡＲＱ−ＡＣＫを取得すると期待される。例えば、第１デバイスがスロット＃ｎ（＃ｎはｎ番目のスロットを表し、ｎは自然数であり、これは以下で同じであるか又は同様であり、詳細は更に記載されない）でデータパケットを送信する場合に、第１デバイスは、第２デバイスに、スロット＃ｎ＋ｋ（ｋは正の整数である）において、基準時間単位でデータパケットに対応するＨＡＲＱ−ＡＣＫをフィードバックするように指示してよい。代替的に、アクセスネットワークデバイスによって前もって定義されるか若しくは構成されるフィードバックレイテンシ、又は第２デバイスのフィードバック能力に基づいて、第２デバイスは、スロット＃ｎ＋ａ（ａは自然数である）において、基準時間単位でデータパケットに対応するＨＡＲＱ−ＡＣＫをフィードバックすることが可能であり、あるいは、第２デバイスは、スロット＃ｎ＋ａ（ａは自然数である）において、基準時間単位でデータパケットに対応するＨＡＲＱ−ＡＣＫをフィードバックする必要がある。この場合に、第１デバイスは、スロット＃ｎ＋ａの後でＣＷＳを決定する場合に＃ｎを基準時間単位として使用し得る。
【０１５５】
任意に、基準時間単位がダウンリンク基準時間単位であるとき、第１デバイスによって決定されるダウンリンク基準時間単位は、第１デバイスがＣＷＳを決定するか又はチャネルリッスンを実行する前のダウンリンクバースト（第１ダウンリンクバーストと呼ばれる）におけるダウンリンク時間単位である。具体的に、ダウンリンク基準時間単位は、第１ダウンリンクバーストにおける第１ダウンリンク時間単位である。更に、第１ダウンリンクバーストは、ＣＷＳが決定されるか又はチャネルリッスンが実行される前の最後のダウンリンクバーストである。更に、第１ダウンリンクバーストは、第１デバイスが、ＣＷＳを決定し又はチャネルリッスンを実行するときに、ダウンリンク基準時間単位でデータパケットに対応するＨＡＲＱ−ＡＣＫを取得すると期待される（最後の）ダウンリンクバーストである。更に、第１ダウンリンクバーストは、第１デバイスがランダムバックオフＣＣＡアクセスチャネルにより送信を実行するダウンリンクバーストである。
【０１５６】
任意に、基準時間単位がアップリンク基準時間単位であるとき、アップリンク基準時間単位は、アップリンクデータパケットに対応するＨＡＲＱ−ＡＣＫを示すために使用される受信されたダウンリンク制御情報に基づいて第１デバイスによって決定される。具体的に、アップリンク基準時間単位は、第１デバイスがダウンリンク制御情報を受信する時間単位に（例えば、ダウンリンク制御情報を運ぶダウンリンク時間単位）の前のアップリンクバースト（第１アップリンクバーストと呼ばれる）におけるアップリンク時間単位である。具体的に、アップリンク基準時間単位は、第１アップリンクバーストにおける第１アップリンク時間単位である。その上、第１アップリンクバーストは、第１デバイスがランダムバックオフＣＣＡによりチャネルにアクセスすることによって送信を実行するアップリンクバーストである。その上、基準時間単位は、第１デバイスがアップリンク共有チャネル（uplink-shared  channel，ＵＬ−ＳＣＨ）を送信する時間単位である。
【０１５７】
任意に、第１アップリンクバーストは、ダウンリンク制御情報を運ぶダウンリンク時間単位の前の最後のアップリンクバーストである。
【０１５８】
任意に、第１アップリンクバーストは、目標時間単位の前の最後のアップリンクバーストであり、目標時間単位と、ダウンリンク制御情報を運ぶダウンリンク時間単位との間の時間インターバルは、第１時間インターバルである。例えば、ダウンリンク制御情報がアップリンクグラントＵＬｇｒａｎｔ（又はアップリンクダウンリンク制御情報（uplink  downlink  control  information，ＵＬ  ＤＣＩ））である場合に、ＵＬグラントが受信されるダウンリンク時間単位はスロット＃ｎであり、第１時間インターバルはｂ個（ｂは自然数である）のスロットであり、第２アップリンクバーストは、スロット＃ｎ−ｂの前の最後のアップリンクバーストである。
【０１５９】
任意に、基準時間単位は、複数の非連続的な時間単位を更に含んでもよく、複数の時間単位のうちのいずれか１つは、第１デバイスがＣＷＳを決定する時点、又は第１デバイスがチャネルリッスンを開始する時点よりも早い。言い換えれば、１つ以上のデータパケット（すなわち、後述される第１データパケットセット、第２データパケットセット、又は第３データパケットセット）が異なる時間単位で第１デバイスによって送信される。
【０１６０】
任意に、第１デバイスが１つ以上のＨＡＲＱ−ＡＣＫに基づいて第１サブバンドのコンテンションウィンドウサイズを決定することは：
第１デバイスによって、１つ以上のデータパケットに対応する第１サブバンドについての１つ以上のＨＡＲＱ状態に基づいて第１サブバンドのコンテンションウィンドウサイズを決定することを含み、
第１サブバンドのコンテンションウィンドウサイズは、次の情報：
１つ以上のデータパケットに対応する第１サブバンドについての１つ以上のＨＡＲＱ状態の中のＮＡＣＫの割合、又は
１つ以上のデータパケットに対応する第１サブバンドについての１つ以上のＨＡＲＱ状態の中のＡＣＫの割合、又は
１つ以上のデータパケットに対応する第１サブバンドについての１つ以上のＨＡＲＱ状態の中のＮＡＣＫの数、又は
１つ以上のデータパケットに対応する第１サブバンドについての１つ以上のＨＡＲＱ状態の中のＡＣＫの数、又は
１つのデータパケットに対応する第１サブバンドについてのＨＡＲＱ状態がＮＡＣＫであるかどうか、又は
１つのデータパケットに対応する第１サブバンドについてのＨＡＲＱ状態がＡＣＫであるかどうか
のうちの１つに基づいて決定され、
１つ以上のデータパケットに対応する第１サブバンドについての１つ以上のＨＡＲＱ状態は、１つ以上のＨＡＲＱ−ＡＣＫによって表される。
【０１６１】
任意に、第１サブバンドのコンテンションウィンドウサイズは、１つ以上のデータパケットに対応する第１サブバンドについての１つ以上のＨＡＲＱ状態に基づいて決定されるか、あるいは、第１サブバンドのコンテンションウィンドウサイズは、１つ以上のデータパケットに対応する第１サブバンドについてのＨＡＲＱ状態に少なくとも１つのＡＣＫがあるかどうか、又は１つ以上のデータパケットに対応する第１サブバンドについてのＨＡＲＱ状態に少なくとも１つのＮＡＣＫがあるかどうかに基づいて決定されてもよい。
【０１６２】
１つ以上のデータパケットに対応する第１サブバンドについての１つ以上のＨＡＲＱ状態のうちのいずれか１つは、ＡＣＫ又はＮＡＣＫを含む、ことが理解されるべきである。任意に、１つ以上のデータパケットに対応する第１サブバンドについての１つ以上のＨＡＲＱ状態のうちの１つは、１つ以上のＨＡＲＱ−ＡＣＫのうちの１つであってよい。例えば、第１サブバンドについての、１つ以上のデータパケットに対応するＨＡＲＱ状態は、データパケットに対応するＨＡＲＱ−ＡＣＫと同等である（例えば、実施例１及び実施例６）。任意に、１つ以上のデータパケットに対応する第１サブバンドについての１つ以上のＨＡＲＱ状態のうちの１つは、代替的に、１つ以上のＨＡＲＱ−ＡＣＫのうちの少なくとも１つから変換されてもよい。１つ以上のデータパケットに含まれかつ第１サブバンドを占有する１つのデータパケットの変換方法は、次の通りである：例えば、データパケットに対応するＨＡＲＱ−ＡＣＫがＡＣＫであるとき、第１サブバンドについての、そのデータパケットに対応するＨＡＲＱ状態は、ＡＣＫであり、データパケットに対応するＨＡＲＱ−ＡＣＫがＮＡＣＫであるとき、第１サブバンドについての、そのデータパケットに対応するＨＡＲＱ状態は、ＮＡＣＫである。他の例として、データパケットに対応するＨＡＲＱ−ＡＣＫがＤＴＸであるとき、第１サブバンドのコンテンションウィンドウサイズの決定中に、第１サブバンドについての、データパケットに対応するＨＡＲＱ状態は、無視されるか、あるいは、データパケットに対応するＨＡＲＱ−ＡＣＫが無視される。他の例として、データパケットに対応するＨＡＲＱ−ＡＣＫがＤＴＸであるとき、第１サブバンドについての、データパケットに対応するＨＡＲＱ状態は、ＮＡＣＫである。他の例として、データパケットは複数のＣＢＧ  ＨＡＲＱ−ＡＣＫに対応し、第１デバイスは、複数のＣＢＧ  ＨＡＲＱ−ＡＣＫを第１サブバンドについての１つのＨＡＲＱ状態に変換する（例えば、実施例２、実施例３、及び実施例４）。
【０１６３】
任意に、１つ以上のデータパケットの夫々は、第１サブバンドについての１つのＨＡＲＱ状態を有している。具体的に、１つ以上のデータパケットがｍ（ｍは正の整数である）個のデータパケットである場合に、第１デバイスは、ｍ個のデータパケットに対応する第１サブバンドについてのｍ個のＨＡＲＱ状態に基づいて、第１サブバンドのコンテンションウィンドウサイズを決定する。例えば、ｍ個のＨＡＲＱ状態において、ＮＡＣＫの割合が第１の前もってセットされた割合を超えるか、あるいは、ＡＣＫの割合が第２の前もってセットされた割合を超えないか、あるいは、ＮＡＣＫの数が第１の前もってセットされた閾数を超えるか、あるいは、ＡＣＫの割合が第２の前もってセットされた閾数を超えないか、あるいは、ＡＣＫがないとき、第１サブバンドのコンテンションウィンドウサイズは増大されるべきである。他の例として、ｍ個のＨＡＲＱ状態において、ＮＡＣＫの割合が第１の前もってセットされた割合を超えないか、あるいは、ＡＣＫの割合が第２の前もってセットされた割合を超えるか、あるいは、ＮＡＣＫの数が第１の前もってセットされた閾数を超えないか、あるいは、ＡＣＫの割合が第２の前もってセットされた閾数を超えるか、あるいは、少なくとも１つのＡＣＫがあるとき、第１サブバンドのコンテンションウィンドウサイズは低減されるべきである。他の例として、１つ以上のデータパケットは１つのデータパケットであり、第１サブバンドについての、データパケットに対応するＨＡＲＱ状態がＮＡＣＫであるとき、第１サブバンドのコンテンションウィンドウサイズは、増大されるべきである。他の例として、１つ以上のデータパケットは１つのデータパケットであり、第１サブバンドについての、データパケットに対応するＨＡＲＱ状態がＡＣＫであるとき、第１サブバンドのコンテンションウィンドウサイズは低減されるべきである。
【０１６４】
更に、上記の方法は、第１デバイスが、第１サブバンドについての、データパケットセット（例えば、第１データパケットセット、第２データパケットセット、又は第３データパケットセット）に対応するＨＡＲＱ状態に基づいて、サブバンド（例えば、第２サブバンド、第３サブバンド、又は第４サブバンド）のコンテンションウィンドウサイズを決定するときにも、適用可能である。
【０１６５】
第１デバイスが１つ以上のＨＡＲＱ−ＡＣＫに基づいて第１サブバンドのコンテンションウィンドウサイズを決定した後、第１デバイスは、第１サブバンドのＣＷＳに基づいて、第１サブバンドに対してチャネルリッスンを実行する、ことが理解されるべきである。具体的に、第１デバイスは、第１サブバンドに対してランダムバックオフＣＣＡを実行する。具体的なリッスンプロシージャは上述されており、詳細は再び記載されない。その上、上記の説明は、下記の説明にも適用可能である：第１デバイスは、第２サブバンドのＣＷＳに基づいて第２サブバンドに対してチャネルリッスンを実行し、第１デバイスは、第３サブバンドのＣＷＳに基づいて第３サブバンドに対してチャネルリッスンを実行し、第１デバイスは、第４サブバンドのＣＷＳに基づいて第４サブバンドに対してチャネルリッスンを実行し、第１デバイスは、第５サブバンドのＣＷＳに基づいて第５サブバンドに対してチャネルリッスンを実行する。
【０１６６】
第１デバイスは、次のいくつかの方法で、１つ以上のデータパケットに対応する１つ以上のＨＡＲＱ−ＡＣＫに基づいてサブバンドのＣＷＳを調整してよい。
【実施例１】
【０１６７】
１つ以上のサブバンドは第１サブバンド及び第２サブバンドを含み、１つ以上のデータパケットは第１データパケットを含み、第１データパケットは、第１サブバンドを含む複数のサブバンド（すなわち、少なくとも２つのサブバンド）で運ばれ、１つ以上のＨＡＲＱ−ＡＣＫは、第１データパケットに対応するトランスポートブロックＴＢについてのＴＢ  ＨＡＲＱ−ＡＣＫを含む。第１デバイスは、ＴＢ  ＨＡＲＱ−ＡＣＫに基づいて第１サブバンドのＣＷＳを決定する。
【０１６８】
本願のこの実施形態で、第１デバイスによって送信される第１データパケットが、少なくとも２つのサブバンドを占有するワイドバンドデータパケットであるとき、１つの第２デバイスは、データパケットについての１つのＨＡＲＱ−ＡＣＫをフィードバックしてよい。言い換えれば、１つ以上のＨＡＲＱ−ＡＣＫは１つのＴＢ  ＨＡＲＱ−ＡＣＫであり、ＴＢ  ＨＡＲＱ−ＡＣＫはワイドバンドＨＡＲＱ−ＡＣＫ、ＴＢ確認応答（ＴＢ−ＡＣＫ
）、又はＴＢ  ＨＡＲＱ−ＡＣＫと呼ばれる。
【０１６９】
第１デバイスはＴＢ  ＨＡＲＱ−ＡＣＫを受け取るが、プロトコル又は規制において規定されているＬＢＴのための周波数領域粒度はサブバンド粒度であるから、上記の欠点で記載されたように、データ送信帯域幅の適応調整を容易にするために、第１デバイスは、ワイドバンドチャネルリッスンを実行せず（例えば、８０ＭＨｚワイドバンドデータパケットの場合に、第１デバイスがＬＢＴを実行する周波数領域範囲も８０ＭＨｚである）、サブバンドチャネルリッスンを実行し得る（例えば、８０ＭＨｚワイドバンドデータパケットの場合に、第１デバイスは、各２０ＭＨｚサブバンドで独立してＬＢＴを実行する）。このようにして、ワイドバンドのアクセス効率は改善される。この場合に、ＴＢ  ＨＡＲＱ−ＡＣＫに対応する周波数領域範囲は、チャネルリッスンのための周波数領域範囲よりも広い。１つ以上のサブバンドに含まれる第１サブバンドの例では、第１デバイスは、ワイドバンドデータパケットに対応するＴＢ  ＨＡＲＱ−ＡＣＫに基づいて、第１サブバンドのＣＷＳを調整する。
【０１７０】
任意に、ＨＡＲＱ−ＡＣＫは、データパケットに対応するトランスポートブロックＴＢについてのＴＢ  ＨＡＲＱ−ＡＣＫであり、１つのデータパケットは、１つのＴＢ  ＨＡＲＱ−ＡＣＫに対応する。第２デバイスがＴＢに対してＨＡＲＱフィードバックを実行するとき、１つのＴＢ又は１つのデータパケットは１つのＴＢ  ＨＡＲＱ−ＡＣＫ、すなわち、１つのＴＢ−ＡＣＫに対応する。言い換えれば、少なくとも２つのサブバンド上のワイドバンドデータパケットはただ１つのＡＣＫ、１つのＮＡＣＫ、又は１つのＤＴＸに対応し、第１デバイスは、ＴＢ−ＡＣＫに基づいてサブバンドのＣＷＳを調整する。
【０１７１】
任意に、第１デバイスが、第１データパケットに対応するＴＢ  ＨＡＲＱ−ＡＣＫに基づいて第１サブバンドを調整する方法は、次の通りである：ＴＢ  ＨＡＲＱ−ＡＣＫがＡＣＫであるとき、第１サブバンドについての、第１データパケットに対応するＨＡＲＱ状態はＡＣＫであり、あるいは、ＴＢ  ＨＡＲＱ−ＡＣＫがＮＡＣＫであるとき、第１サブバンドについての、第１サブバンドに対応するＨＡＲＱ状態はＮＡＣＫである。
【０１７２】
更に、ＴＢ  ＨＡＲＱ−ＡＣＫがＤＴＸであるとき、ＴＢ  ＨＡＲＱ−ＡＣＫはＮＡＣＫとして表され、第１サブバンドのＣＷＳを決定するために使用され（具体的に言えば、第１サブバンドについての、第１データパケットに対応するＨＡＲＱ状態はＮＡＣＫである）、あるいは、ＨＡＲＱ−ＡＣＫは、第１サブバンドのＣＷＳの調整中、無視される。
【０１７３】
更に、第１デバイスは、ＴＢ  ＨＡＲＱ−ＡＣＫに基づいて第２サブバンドのＣＷＳを決定し、第２サブバンドは、第１データパケットを運ぶ少なくとも２つのサブバンドに含まれる。第１デバイスは、第２サブバンドのＣＷＳに基づいて第２サブバンドでチャネルリッスンを実行する。
【０１７４】
第１データパケットが少なくとも２つのサブバンドで運ばれることを考えると、第１データパケットは、第１サブバンドに加えて少なくとも第２サブバンドを占有する。この場合に、第２サブバンドのチャネル状態もＴＢ  ＨＡＲＱ−ＡＣＫに寄与するので、ＴＢ  ＨＡＲＱ−ＡＣＫは、第２サブバンドのＣＷＳを調整するためにも使用される。例えば、ＴＢ  ＨＡＲＱ−ＡＣＫがＡＣＫ／ＮＡＣＫ／ＤＴＸであるとき、ＡＣＫ／ＮＡＣＫ／ＤＴＸ状態は、第１サブバンドのＣＷＳを調整するためだけでなく、第２サブバンドのＣＷＳを調整するためにも使用される。具体的に、第２サブバンドについての、第１データパケットに対応するＨＡＲＱ状態は、ＴＢ  ＨＡＲＱ−ＡＣＫによって表される。具体的に、第１デバイスは、第２サブバンドについての、第１データパケットに対応するＨＡＲＱ状態に基づいて、第２サブバンドのＣＷＳを決定する。これは、第１サブバンドについての、第１データパケットに対応するＨＡＲＱ状態に基づいて、第１サブバンドのＣＷＳを決定する方法と類似している。
【０１７５】
具体的に言えば、第１デバイスが、ＴＢ  ＨＡＲＱ−ＡＣＫに基づいて第２サブバンドのコンテンションウィンドウサイズを更に決定することは：第１デバイスによって、第２サブバンドについての、第１データパケットに対応するＨＡＲＱ状態に基づいて、第２サブバンドのコンテンションウィンドウサイズを更に決定することを含み、このとき、ＴＢ  ＨＡＲＱ−ＡＣＫがＡＣＫである場合に、第２サブバンドについての、第１データパケットに対応するＨＡＲＱ状態はＡＣＫであり、あるいは、ＴＢ  ＨＡＲＱ−ＡＣＫがＮＡＣＫである場合に、第２サブバンドについての、第１データパケットに対応するＨＡＲＱ状態はＮＡＣＫである。
【０１７６】
第１デバイスによって、第２サブバンドについての、第１データパケットに対応するＨＡＲＱ状態に基づいて、第２サブバンドのコンテンションウィンドウサイズを決定することは：第１デバイスによって、第２サブバンドについての、第１データパケットセット内のデータパケットに対応するＨＡＲＱ状態に基づいて、第２サブバンドのコンテンションウィンドウサイズを決定することを含み、このとき、第１データパケットセットは、第１デバイスによって基準時間単位で送信されかつ第２サブバンドを占有する少なくとも１つのデータパケットを含み、第１データパケットセットは、第１データパケットを含む。第２サブバンドのコンテンションウィンドウサイズは、次の情報：第１データパケットセット内のデータパケットに対応する第２サブバンドについてのＨＡＲＱ状態に対するＮＡＣＫの割合、又は第１データパケットセット内のデータパケットに対応する第２サブバンドについてのＨＡＲＱ状態に対応するＡＣＫの割合、又は第１データパケットセット内のデータパケットに対応する第２サブバンドについてのＨＡＲＱ状態の中のＮＡＣＫの数、又は第１データパケットセット内のデータパケットに対応する第２サブバンドについてのＨＡＲＱ状態の中のＡＣＫの数、又は第１データパケットセット内のデータパケットに対応する第２サブバンドについてのＨＡＲＱ状態がＮＡＣＫであるかどうか、又は第１データパケットセット内のデータパケットに対応する第２サブバンドについてのＨＡＲＱ状態がＡＣＫであるかどうか、のうちの１つに基づいて決定される。第２サブバンドについての、第１データパケットセット内のデータパケットに対応するＨＡＲＱ状態は、第１データパケットセット内のデータパケットに対応する１つ以上のＨＡＲＱ−ＡＣＫによって表される。
【０１７７】
更に、第１データパケットセット内のデータパケットは、第１データパケットセット内の全てのデータパケットである。
【０１７８】
更に、第１データパケットセットは、第１デバイスによって基準時間単位で送信されかつ第２サブバンドを占有する全てのデータパケットを含む。
【０１７９】
具体的に、第１データパケットセット内のデータパケットは、第１デバイスによって１つ以上の受信デバイスへ送信されるデータパケットを含む。これは、第１デバイスが１つ以上のデータパケットを１つ以上の第２デバイスへ送信することと同様である。
【０１８０】
具体的に、第１データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する１つ以上のＨＡＲＱ−ＡＣＫと同様である。１つ以上の受信デバイス及び１つ以上の第２デバイスは同じセットであってよく、あるいは、異なるセットであってもよい。
【０１８１】
ここで、第１データパケットセット内のデータパケットと第１データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第１データパケットセット内のいずれかのデータパケットは、１つ以上のＨＡＲＱ−ＡＣＫに対応し得る。
【０１８２】
任意に、第２サブバンドのコンテンションウィンドウサイズは、第２サブバンドについての、第１データパケットに対応するＨＡＲＱ状態に基づいて決定され、あるいは、第２サブバンドのコンテンションウィンドウサイズは、第２サブバンドについての、第１データパケットセット内のデータパケットに対応するＨＡＲＱ状態に少なくとも１つのＡＣＫがあるかどうか、又は第２サブバンドについての、第１データパケットセット内のデータパケットに対応するＨＡＲＱ状態に少なくとも１つのＮＡＣＫがあるかどうかに基づいて決定されてもよい。
【０１８３】
第２サブバンドは、少なくとも２つのサブバンドの中の第１サブバンド以外の如何なるサブバンドでもある、ことが理解されるべきである。言い換えれば、第１デバイスは、ＴＢ  ＨＡＲＱ−ＡＣＫに基づいて少なくとも２つのサブバンドの夫々のＣＷＳを決定する。第１デバイスは、各サブバンドのＣＷＳに基づいて、対応するサブバンドでチャネルリッスンを実行する。例えば、少なくとも２つのサブバンドの中のｉ番目のサブバンド（ｉ＝１，・・・，Ｉ、ここで、Ｉは少なくとも２つのサブバンドの中のサブバンドの総数であり、ｉ及びＩは両方とも自然数である）について、第１デバイスは、ＴＢ  ＨＡＲＱ−ＡＣＫに基づいてｉ番目のサブバンドのＣＷＳを調整する。言い換えれば、ＴＢ  ＨＡＲＱ−ＡＣＫは、ｉ番目のサブバンドのＣＷＳを調整するために使用される。具体的に、ｉ番目のサブバンドについて、第１データパケットに対応するＨＡＲＱ状態は、ＴＢ  ＨＡＲＱ−ＡＣＫによって表される。具体的に、第１デバイスは、ｉ番目のサブバンドについての、第１データパケットに対応するＨＡＲＱ状態に基づいて、ｉ番目のサブバンドのＣＷＳを決定する。これは、第１サブバンドについての、第１データパケットに対応するＨＡＲＱ状態に基づいて、第１サブバンドのＣＷＳを決定する方法と類似している。例えば、図８中、ＵＥ１をスケジューリングするためにアクセスネットワークデバイスによって使用されるダウンリンクデータパケットは、サブバンド１及びサブバンド２で運ばれ、ＵＥ２をスケジューリングするために使用されるダウンリンクデータパケットは、サブバンド２及びサブバンド３で運ばれ、ＵＥ３をスケジューリングするために使用されるダウンリンクデータパケットは、サブバンド３及びサブバンド４で運ばれる。アクセスネットワークデバイスは、サブバンドについての、データパケットに対応するＨＡＲＱ状態内のＮＡＣＫの割合に基づいて、そのサブバンドのＣＷＳを調整する。ＵＥ１からの、ダウンリンクデータパケットに対応するＨＡＲＱ−ＡＣＫはＡＣＫであり、ＵＥ２からの、ダウンリンクデータパケットに対応するＨＡＲＱ−ＡＣＫはＮＡＣＫであり、ＵＥ３からの、ダウンリンクデータパケットに対応するＨＡＲＱ−ＡＣＫはＮＡＣＫである。ＡＣＫ状態であるＵＥ１からのＴＢ  ＨＡＲＱ−ＡＣＫは、サブバンド１及びサブバンド２についてのＨＡＲＱ状態セットの夫々に含まれ、サブバンド１及びサブバンド２のＣＷＳの夫々を調整することに関与し、ＮＡＣＫ状態であるＵＥ２からのＴＢ  ＨＡＲＱ−ＡＣＫは、サブバンド２及びサブバンド３についてのＨＡＲＱ状態セットの夫々に含まれ、サブバンド２及びサブバンド３のＣＷＳの夫々を調整することに関与する。サブバンド１について、サブバンド１についてのＨＡＲＱ状態セットは（ＵＥ１からの）１つのＡＣＫを含み、ＮＡＣＫの割合は０％であって、前もってセットされた割合８０％よりも小さい。従って、アクセスネットワークデバイスは、サブバンド１のＣＷＳを低減させる。サブバンド２について、サブバンド２についてのＨＡＲＱ状態セットは（ＵＥ１からの）１つのＡＣＫ及び（ＵＥ２からの）１つのＮＡＣＫを含み、ＮＡＣＫの割合は５０％であって、前もってセットされた割合８０％より小さい。従って、アクセスネットワークデバイスは、サブバンド２のＣＷＳを低減させる。サブバンド３について、サブバンド３についてのＨＡＲＱ状態セットは（ＵＥ２及びＵＥ３からの）２つのＮＡＣＫを含み、ＮＡＣＫの割合は１００％であって、前もってセットされた割合８０％よりも大きい。従って、アクセスネットワークデバイスは、サブバンド３のＣＷＳを増大させる。サブバンド４について、サブバンド４についてのＨＡＲＱ状態セットは（ＵＥ３からの）１つのＮＡＣＫを含み、ＮＡＣＫの割合は１００％であって、前もってセットされた割合８０％よりも大きい。従って、アクセスネットワークデバイスは、サブバンド４のＣＷＳを増大させる。
【０１８４】
例えば、図９中、端末デバイスは、アップリンクデータパケットを送信するために、サブバンド１、サブバンド２，及びサブバンド３を占有する。アップリンクデータパケットに対応するＴＢ  ＨＡＲＱ−ＡＣＫがＡＣＫである場合に、端末デバイスは、ＡＣＫに基づいてサブバンド１、サブバンド２、及びサブバンド３のＣＷＳを別々に低減させる。
【０１８５】
本願のこの実施形態における方法では、第１デバイスは、ワイドバンドデータパケットについて１つ以上の第２デバイスによってフィードバックされるＴＢ  ＨＡＲＱ−ＡＣＫに基づいて、少なくとも２つのサブバンドの夫々のＣＷＳを調整し、ＴＢ  ＨＡＲＱ−ＡＣＫは、少なくとも２つのサブバンドの夫々のＣＷＳを調整するために繰り返し使用される。少なくとも２つのサブバンドの夫々のチャネル状態は、ＴＢ  ＨＡＲＱ−ＡＣＫに寄与する。例えば、ワイドバンドデータパケットが第２デバイスによって正確に受信されるとき、ＴＢ  ＨＡＲＱ−ＡＣＫは、ワイドバンドデータパケットが位置する少なくとも２つのサブバンドが全て相対的に良いチャネル品質を有している、ことを反映する。従って、第１デバイスは、次のチャネルアクセスの効率を改善するように、少なくとも２つのサブバンドの夫々のＣＷＳを低減させることができる。第１デバイスがサブバンド上で他の隣接ノードと衝突することでそのサブバンドのチャネル品質が低下し、ワイドバンドデータパケットが第２デバイスによって正確に受信され得ないとき、ＴＢ  ＨＡＲＱ−ＡＣＫは、少なくとも２つのサブバンドが、チャネル品質が悪いサブバンドを含む、ことを反映する。従って、第１デバイスは、次の伝送中の衝突可能性を減らすように、少なくとも２つのサブバンドの夫々のＣＷＳを増大させる。
【０１８６】
本願のこの実施形態における方法では、ＴＢ  ＨＡＲＱ−ＡＣＫはワイドバンドデータパケットに対応するので、サブバンドＨＡＲＱ−ＡＣＫが各サブバンドでデータパケットについてフィードバックされる先行技術と比較して、アップリンクフィードバックオーバーヘッドは低減され得る。従って、本願のこの実施形態に従って、サブバンドのＣＷＳは、同じライセンス不要スペクトルで動作する隣接ノードとの友好的な共存を実装するように、ＨＡＲＱ−ＡＣＫフィードバックオーバーヘッドを増大することなしに正確に調整され得る。
【実施例２】
【０１８７】
本願で提供される方法では、１つ以上のデータパケットは第２データパケットを含み、第２データパケットは第１サブバンドで運ばれ、第２データパケットは１つ以上の符号ブロックグループＣＢＧを含む。代替的に、第２データパケットは１つ以上のＣＢＧから成る。第２デバイスは、ＣＢＧの粒度でＨＡＲＱ−ＡＣＫをフィードバックする。この場合に、第２データパケットについて第２デバイスによってフィードバックされる１つ以上のＨＡＲＱ−ＡＣＫは、１つ以上の符号ブロックグループに対応する１つ以上のＣＢＧ  ＨＡＲＱ−ＡＣＫを含み、１つ以上のＨＡＲＱ−ＡＣＫは、１つ以上のＣＢＧ−ＡＣＫとも呼ばれる。この実施形態で、第２データパケットは、サブバンドデータパケットであり、１つ以上のＣＢＧ−ＡＣＫは、１つのＴＢ−ＡＣＫに変換されてよく、第１サブバンドのＣＷＳを調整するために使用される。言い換えれば、第１デバイスが第１サブバンドのＣＷＳを調整するとき、１つ以上のＣＢＧ  ＨＡＲＱ−ＡＣＫは、１つのＨＡＲＱ状態（例えば、第１ＨＡＲＱ状態、このとき、第１ＨＡＲＱ状態は、第２データパケット及び第１サブバンドに対応するＨＡＲＱ状態である）として表され、第１サブバンドのＣＷＳを決定するために使用される。
【０１８８】
任意に、１つ以上の符号ブロックグループは、第２データパケットに含まれる全ての符号ブロックグループを含む。
【０１８９】
更に、１つ以上の符号ブロックグループは、複数の符号ブロックグループである。
【０１９０】
具体的に、上述されたように、第２データパケット内のいずれかのＣＢＧに対応するＨＡＲＱ−ＡＣＫがＮＡＣＫ（又はＤＴＣ）であるとき、それは、第２データパケットが正確に受信されないことを示す。それは、第２データパケット内の全てのＣＢＧに対応するＨＡＲＱ−ＡＣＫがＡＣＫであるときにのみ第２データパケットが正確に受信されることを示す。従って、変換方法は次の通りである。
【０１９１】
１つ以上のＣＢＧ  ＨＡＲＱ−ＡＣＫが全てＡＣＫであるとき、第１サブバンドについての、第２データパケットに対応するＨＡＲＱ状態は、ＡＣＫであり、あるいは、１つ以上のＣＢＧ  ＨＡＲＱ−ＡＣＫが１つ以上のＮＡＣＫを含むとき、第１サブバンドについての、第２データパケットに対応するＨＡＲＱ状態は、ＮＡＣＫである。
【０１９２】
更に、１つ以上のＣＢＧ  ＨＡＲＱ−ＡＣＫが全てＤＴＸであるとき、第１サブバンドについての、第２データパケットに対応するＨＡＲＱ状態は、ＮＡＣＫとして表され、第１サブバンドのＣＷＳを決定するために使用され（言い換えれば、第１サブバンドについての、第２データパケットに対応するＨＡＲＱ状態は、ＮＡＣＫである）、あるいは、１つ以上のＨＡＲＱ−ＡＣＫは、第１サブバンドのＣＷＳの調整中、無視される。
【０１９３】
１つ以上のＣＢＧは、次のいくつかの具体的な対応方法で、１つ以上のＣＢＧ  ＨＡＲＱ−ＡＣＫに対応する、ことが理解されるべきである。
【０１９４】
１．１つ以上のＣＢＧ  ＨＡＲＱ−ＡＣＫの夫々は、１つ以上のＣＢＧのうちの１つに対応し、あるいは、１つ以上のＣＢＧ  ＨＡＲＱ−ＡＣＫは、１つ以上のＣＢＧに一対一で対応する。
【０１９５】
２．１つ以上のＣＢＧ  ＨＡＲＱ−ＡＣＫのうちの１つは、１つ以上のＣＢＧのうちの少なくとも２つに対応する。
【０１９６】
３．１つ以上のＣＢＧのうちの１つは、１つ以上のＣＢＧ  ＨＡＲＱ−ＡＣＫのうちの少なくとも２つに対応する。
【０１９７】
１つ以上のＣＢＧは少なくとも２つのＣＢＧを含む、ことが理解されるべきである。言い換えれば、少なくとも２つのＣＢＧ−ＡＣＫがある。第２データパケットが少なくとも２つのＣＢＧを含み、第２デバイスによってフィードバックされるＨＡＲＱ−ＡＣＫがＣＢＧ−ＡＣＫであるとき、第１デバイスは、少なくとも２つのＣＢＧ−ＡＣＫが１つのＴＢ−ＡＣＫに等しいと見なし、ＴＢ−ＡＣＫを使用して第１サブバンドのＣＷＳを調整する。これは、本願と先行技術（第２デバイスによってフィードバックされるＨＡＲＱ−ＡＣＫはＴＢ−ＡＣＫであり、第１デバイスはＴＢ−ＡＣＫを直接使用してＣＷＳを調整する）との間の相違点である。
【０１９８】
更に、第２データパケットは、少なくとも第１サブバンド及び第３サブバンドで運ばれ、第１デバイスは、１つ以上のＣＢＧ  ＨＡＲＱ−ＡＣＫに基づいて第３サブバンドのコンテンションウィンドウサイズを更に決定する。
【０１９９】
任意に、第１デバイスが１つ以上のＣＢＧ  ＨＡＲＱ−ＡＣＫに基づいて第３サブバンドのコンテンションウィンドウサイズを更に決定することは、第１デバイスによって、第３サブバンドについての、第２データパケットに対応するＨＡＲＱ状態に基づいて、第３サブバンドのコンテンションウィンドウサイズを更に決定することを含み、このとき、
１つ以上のＣＢＧ−確認応答が全てＡＣＫであるとき、第３サブバンドについての、第２データパケットに対応するＨＡＲＱ状態は、ＡＣＫであり、あるいは、
１つ以上のＣＢＧ−確認応答が１つ以上のＮＡＣＫを含むとき、第３サブバンドについての、第２データパケットに対応するＨＡＲＱ状態は、ＮＡＣＫである。
【０２００】
更に、１つ以上のＣＢＧ  ＨＡＲＱ−ＡＣＫが全てＤＴＸであるとき、第１サブバンドについての、第２データパケットに対応するＨＡＲＱ状態は、ＮＡＣＫとして表され、第１サブバンドのＣＷＳを決定するために使用され（言い換えれば、第１サブバンドについての、第２データパケットに対応するＨＡＲＱ状態は、ＮＡＣＫである）、あるいは、第１サブバンドについて、第２データパケットに対応するＨＡＲＱ状態は、第１サブバンドのＣＷＳの調整中、無視される。
【０２０１】
例えば、図１０（ａ）及び図１０（ｂ）中、第１デバイスは、基準時間単位でデータパケット１を送信し、他のデータパケットを送信しない。データパケット１は、ＣＢＧ１からＣＢＧ５までを含み、ＣＢＧ１からＣＢＧ５は、第２デバイスによってフィードバックされる５つのＣＢＧ  ＨＡＲＱ−ＡＣＫと一対一で対応する。図１０（ａ）中、ＣＢＧ１のＣＢＧ  ＨＡＲＱ−ＡＣＫはＮＡＣＫであり、ＣＢＧ２からＣＢＧ５までのＣＢＧ  ＨＡＲＱ−ＡＣＫは全てＡＣＫである。この場合に、第１デバイスは、５つのＣＢＧ−ＡＣＫを１つのＮＡＣＫに変換し、ＮＡＣＫを、第１サブバンドについての、データパケット１に対応するＨＡＲＱ状態として使用して、第１サブバンドのＣＷＳを増大させるように第１サブバンドのＣＷＳを調整する。図１０（ｂ）中、ＣＢＧ１からＣＢＧ５までのＣＢＧ  ＨＡＲＱ−ＡＣＫは全てＡＣＫである。この場合に、第１デバイスは、５つのＣＢＧ−ＡＣＫを１つのＡＣＫに変換し、ＡＣＫを、第１サブバンドについての、データパケット１に対応するＨＡＲＱ状態として使用して、第１サブバンドのＣＷＳを低減させるように第１サブバンドのＣＷＳを調整する。
【０２０２】
本願のこの実施形態における方法では、一方で、第１デバイスがアクセスネットワークデバイスであり、第２デバイスが端末デバイスであるとき、アクセスネットワークデバイスは、ダウンリンク伝送中に複数の端末デバイスをスケジューリングしてよく、いくつかの端末デバイス（例えば、第２デバイス）はＣＢＧ−ＡＣＫをフィードバックし、他の端末デバイスはＴＢ−ＡＣＫをフィードバックする。ＣＢＧ−ＡＣＫをフィードバックする端末デバイスの場合に、複数のＣＢＧ−ＡＣＫが１つのデータパケット（ＴＢ）についてフィードバックされてよい。ＴＢ−ＡＣＫをフィードバックする端末デバイスの場合に、１つのＣＢＧ−ＡＣＫが１つのデータパケット（ＴＢ）についてフィードバックされる。２つの異なるタイプのＨＡＲＱ−ＡＣＫに基づきいかにしてＣＷＳを調整するかは、追加の評価及び標準化を必要とし、これはまた、アクセスネットワークデバイスのアルゴリズム複雑性を高める。ＣＢＧ−ＡＣＫをフィードバックする端末デバイスによってフィードバックされるＣＢＧ−ＡＣＫは、ＴＢ−ＡＣＫに変換され。ＣＷＳは、ＴＢ−ＡＣＫ内のＮＡＣＫ又はＡＣＫの割合に基づいて一様に調整される。これは、従来のＣＷＳ調整原理により適応することができ、アルゴリズムも、より簡単になる。
【０２０３】
他方で、ＣＷＳがＨＡＲＱ−ＡＣＫ内のＮＡＣＫ又はＡＣＫの割合、あるいは、ＨＡＲＱ−ＡＣＫのタイプにかかわらずＨＡＲＱ−ＡＣＫにＡＣＫがあるかどうかに基づき直接調整される場合に、チャネル状態が同じであるときに、この方法で取得されるＮＡＣＫの割合は、従来のＣＷＳ調整方法（例えば、端末デバイスは全てＴＢ−ＡＣＫをフィードバックし、アクセスネットワークデバイスは常にＴＢ−ＡＣＫに基づいてＣＷＳを調整する）におけるそれよりも小さい。ＣＷＳがＮＡＣＫ又はＡＣＫの既存の前もってセットされた割合に基づいて依然として調整される場合に、ＣＷＳは比較的に小さい。これは、友好的な共存を促さない。しかし、本願のこの実施形態に従って、同じ場合に、得られるＮＡＣＫ又はＡＣＫの割合は、従来のＣＷＳ調整方法におけるそれと一致し、これは、周囲ノードとの友好的な共存をより良く促す。
【０２０４】
データパケットがワイドバンドで運ばれ、ＨＡＲＱ−ＡＣＫがＣＢＧ−確認応答である場合に、第１デバイスは、ＣＢＧ−確認応答に基づいてサブバンドのＣＷＳを調整する。本願のこの実施形態で提供される方法では、データパケットは少なくとも２つのサブバンドで運ばれ、データパケットは１つ以上のＣＢＧを含み、第２デバイスはＣＢＧの粒度でＨＡＲＱ−ＡＣＫをフィードバックする。言い換えれば、第２デバイスによってフィードバックされるＨＡＲＱ−ＡＣＫはＣＢＧ−ＡＣＫである。言い換えれば、第１デバイスは、データパケットに対応するＣＢＧ−ＡＣＫに基づいてサブバンドのＣＷＳを決定する。実施例３及び実施例４における２つの方法が含まれ、以下で具体的に記載される。
【実施例３】
【０２０５】
本願のこの実施形態で提供される方法では、１つ以上のデータパケットは第２データパケットを含み、第２データパケットは、第１サブバンドを含む複数のサブバンド（すなわち、少なくとも２つのサブバンド）で運ばれ、第２データパケットは１つ以上の符号ブロックグループＣＢＧを含む。１つ以上のＨＡＲＱ−ＡＣＫは、１つ以上の符号ブロックグループに対応する１つ以上のＣＢＧ  ＨＡＲＱ−ＡＣＫを含む。
【０２０６】
第２データパケットは、１つ以上の符号ブロックグループを含む。言い換えれば、１つ以上の符号ブロックグループは、第２データパケットに含まれる全ての符号ブロックグループを含む。
【０２０７】
更に、１つ以上の符号ブロックグループは、複数の符号ブロックグループである。
【０２０８】
本願のこの実施形態で、第２データパケットはワイドバンドデータパケットであり、第２データパケットについて第２デバイスによってフィードバックされる１つ以上のＨＡＲＱ−ＡＣＫは、１つ以上のＣＢＧについてのＨＡＲＱ−ＡＣＫであり、１つ以上のＨＡＲＱ−ＡＣＫは１つ以上のＣＢＧ−ＡＣＫと呼ばれる。第１デバイスは、１つ以上のＣＢＧ−ＡＣＫを１つのＴＢ−ＡＣＫに変換してよく、ＴＢ−ＡＣＫを使用して第１サブバンドのＣＷＳを調整する。言い換えれば、第１デバイスが第１サブバンドのＣＷＳを調整するとき、１つ以上のＨＡＲＱ−ＡＣＫは、第１サブバンドのＣＷＳを決定するために使用される１つのＨＡＲＱ状態として表される。この場合に、変換により得られるＴＢ−ＡＣＫに対応する周波数領域範囲は、チャネルリッスンのための周波数領域範囲よりも広い。１つ以上のサブバンドに含まれる第１サブバンドの例では、第１デバイスは、変換により得られるＴＢ−ＡＣＫに基づいて、第１サブバンドのＣＷＳを調整する。
【０２０９】
具体的に、実施形態２における従来の方法と同様に、１つ以上のＣＢＧ  ＨＡＲＱ−ＡＣＫは、第２データパケットに対応する１つのＴＢ−ＡＣＫに変換され、ＴＢ−ＡＣＫは、第１サブバンドのＣＷＳを調整するために、第１サブバンドについての、第２データパケットに対応するＨＡＲＱ状態として使用される。
【０２１０】
１つ以上のＣＢＧ  ＨＡＲＱ−ＡＣＫが全てＡＣＫであるとき、第１サブバンドについての、第２データパケットに対応するＨＡＲＱ状態は、ＡＣＫであり、あるいは、１つ以上のＣＢＧ  ＨＡＲＱ−ＡＣＫが１つ以上のＮＡＣＫを含むとき、第１サブバンドについての、第２データパケットに対応するＨＡＲＱ状態は、ＮＡＣＫである。
【０２１１】
更に、１つ以上のＣＢＧ  ＨＡＲＱ−ＡＣＫが全てＤＴＸであるとき、第１サブバンドについての，第２データパケットに対応するＨＡＲＱ状態は、ＮＡＣＫとして表され、第１サブバンドのＣＷＳを決定するために使用され（言い換えれば、第１サブバンドについての、第２データパケットに対応するＨＡＲＱ状態は、ＮＡＣＫである）、あるいは、第１サブバンドについての、第２データパケットに対応するＨＡＲＱ状態は、第１サブバンドのＣＷＳの調整中、無視される（言い換えれば、１つ以上のＣＢＧ  ＨＡＲＱ−ＡＣＫは無視される）。
【０２１２】
更に、第１デバイスは、第３サブバンドのＣＷＳに基づいて、第３サブバンドでチャネルリッスンを実行する。
【０２１３】
第２データパケットが少なくとも２つのサブバンドで運ばれることを考えると、第２データパケットは、第１サブバンド以外に少なくとももう１つのサブバンドを占有し、そのもう１つのサブバンドは、第３サブバンドと呼ばれる。第３サブバンドのチャネル状態も、１つ以上のＣＢＧ  ＨＡＲＱ−ＡＣＫに寄与する。従って、１つ以上のＣＢＧ  ＨＡＲＱ−ＡＣＫから変換されるＴＢ−ＡＣＫは、第３サブバンドのＣＷＳを調整するためにも使用される。具体的に、第３サブバンドについての、第２データパケットに対応するＨＡＲＱ状態も、１つ以上のＣＢＧ  ＨＡＲＱ−ＡＣＫによって表される。具体的に、第１デバイスは、第３サブバンドについての、第２データパケットに対応するＨＡＲＱ状態に基づいて、第３サブバンドのＣＷＳを決定する。これは、第１サブバンドについての、第２データパケットに対応するＨＡＲＱ状態に基づいて、第１サブバンドのＣＷＳを決定する方法と類似している。
【０２１４】
更に、第１デバイスが、１つ以上のＣＢＧ  ＨＡＲＱ−ＡＣＫに基づいて第３サブバンドのコンテンションウィンドウサイズを更に決定することは、第１デバイスによって、第３サブバンドについての、第２データパケットに対応するＨＡＲＱ状態に基づいて、第３サブバンドのコンテンションウィンドウサイズを更に決定することを含み、このとき、１つ以上のＣＢＧ−確認応答が全てＡＣＫである場合に、第３サブバンドについての、第２データパケットに対応するＨＡＲＱ状態は、ＡＣＫであり、あるいは、１つ以上のＣＢＧ−確認応答が１つ以上のＮＡＣＫを含む場合に、第３サブバンドについての、第２データパケットに対応するＨＡＲＱ状態は、ＮＡＣＫである。
【０２１５】
任意に、第１デバイスによって、第２データパケットに対応する第３サブバンドについてのＨＡＲＱ状態に基づいて、第３サブバンドのコンテンションウィンドウサイズを更に決定することは、第１デバイスによって、第２データパケットセット内のデータパケットに対応する第３サブバンドについてのＨＡＲＱ状態に基づいて、第３サブバンドのコンテンションウィンドウサイズを決定することを含み、第２データパケットセットは、第１デバイスによって基準時間単位で送信されかつ第３サブバンドを占有する少なくとも１つのデータパケットを含み、第２データパケットセットは、第２データパケットを含む。第３サブバンドのコンテンションウィンドウサイズは、次の情報：第２データパケットセット内のデータパケットに対応する第３サブバンドについてのＨＡＲＱ状態に対するＮＡＣＫの割合、又は第２データパケットセット内のデータパケットに対応する第３サブバンドについてのＨＡＲＱ状態に対応するＡＣＫの割合、又は第２データパケットセット内のデータパケットに対応する第３サブバンドについてのＨＡＲＱ状態の中のＮＡＣＫの数、又は第２データパケットセット内のデータパケットに対応する第３サブバンドについてのＨＡＲＱ状態の中のＡＣＫの数、又は第２データパケットセット内のデータパケットに対応する第３サブバンドについてのＨＡＲＱ状態がＮＡＣＫであるかどうか、又は第２データパケットセット内のデータパケットに対応する第３サブバンドについてのＨＡＲＱ状態がＡＣＫであるかどうか、のうちの１つに基づいて決定される。第３サブバンドについての、第２データパケットセット内のデータパケットに対応するＨＡＲＱ状態は、第２データパケットセット内のデータパケットに対応する１つ以上のＨＡＲＱ−ＡＣＫによって表される。
【０２１６】
更に、第２データパケットセット内のデータパケットは、第２データパケットセット内の全てのデータパケットである。
【０２１７】
更に、第２データパケットセットは、第１デバイスによって基準時間単位で送信されかつ第３サブバンドを占有する全てのデータパケットを含む。
【０２１８】
具体的に、第２データパケットセット内のデータパケットは、第１デバイスによって１つ以上の受信デバイスへ送信される１つ以上のデータパケットを含む。これは、第１デバイスが１つ以上のデータパケットを１つ以上の第２デバイスへ送信することと同様である。
【０２１９】
具体的に、第２データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する１つ以上のＨＡＲＱ−ＡＣＫと同様である。１つ以上の受信デバイス及び１つ以上の第２デバイスは同じセットであってよく、あるいは、異なるセットであってもよい。
【０２２０】
ここで、第２データパケットセット内のデータパケットと第２データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第２データパケットセット内のいずれかのデータパケットは、１つ以上のＨＡＲＱ−ＡＣＫに対応し得る。
【０２２１】
任意に、第３サブバンドのコンテンションウィンドウサイズは、第３サブバンドについての、第２のデータパケットに対応するＨＡＲＱ状態に基づいて決定され、あるいは、第２サブバンドのコンテンションウィンドウサイズは、第３サブバンドについての、第２データパケットに対応する１つ以上のＨＡＲＱ状態に少なくとも１つのＡＣＫがあるかどうか、又は第３サブバンドについての、第２データパケットに対応する１つ以上のＨＡＲＱ状態に少なくとも１つのＮＡＣＫがあるかどうかに基づいて決定されてもよい。
【０２２２】
第３サブバンドは、少なくとも２つのサブバンドの中の第１サブバンド以外の如何なるサブバンドでもある、ことが理解されるべきである。言い換えれば、第１デバイスは、１つ以上のＣＢＧ  ＨＡＲＱ−ＡＣＫに基づいて少なくとも２つのサブバンドの夫々のＣＷＳ長さを決定する。第１デバイスは、各サブバンドのＣＷＳに基づいて、対応するサブバンドでチャネルリッスンを実行する。例えば、少なくとも２つのサブバンドの中のｉ番目のサブバンド（ｉ＝１，・・・，Ｉ、ここで、Ｉは少なくとも２つのサブバンドの中のサブバンドの数である）について、第１デバイスは、１つ以上のＣＢＧ  ＨＡＲＱ−ＡＣＫを変換した後にｉ番目のサブバンドのＣＷＳを調整するか、あるいは、１つ以上のＨＡＲＱ−ＡＣＫを変換した後にＩ個のサブバンドの夫々のＣＷＳを調整するために１つ以上のＨＡＲＱ−ＡＣＫを繰り返し使用する。具体的に、ｉ番目のサブバンドについて、第２データパケットに対応するＨＡＲＱ状態は、１つ以上のＣＢＧ  ＨＡＲＱ−ＡＣＫによって表される。具体的に、第１デバイスは、ｉ番目のサブバンドについての、第２データパケットに対応するＨＡＲＱ状態に基づいて、第３サブバンドのＣＷＳを決定する。これは、第１サブバンドについての、第２データパケットに対応するＨＡＲＱ状態に基づいて、第１サブバンドのＣＷＳを決定する方法と類似している。
【０２２３】
具体的に、第１デバイスが、第１サブバンドのＣＷＳを調整するために、１つ以上のＨＡＲＱ−ＡＣＫ（ＣＢＧ−ＡＣＫ）を第２データパケットに対応するＴＢ−ＡＣＫに変換する方法と同様に、変換により得られるＴＢ−ＡＣＫは、第３サブバンド／ｉ番目のサブバンドのＣＷＳを調整するために、第３サブバンド／ｉ番目のサブバンドについての、第２データパケットに対応するＨＡＲＱ状態として、更に使用される。
【０２２４】
１つ以上のＣＢＧ  ＨＡＲＱ−ＡＣＫが全て確認応答ＡＣＫであるとき、第１サブバンドについての、第２データパケットに対応するＨＡＲＱ状態は、ＡＣＫであり、第３サブバンド／ｉ番目のサブバンドのＣＷＳを決定するために使用される。
【０２２５】
１つ以上のＣＢＧ  ＨＡＲＱ−ＡＣＫが１つ以上の否定応答ＮＡＣＫを含むとき、第１サブバンドについての、第２データパケットに対応するＨＡＲＱ状態は、ＮＡＣＫであり、第３サブバンド／ｉ番目のサブバンドのＣＷＳを決定するために使用される。
【０２２６】
更に、１つ以上のＣＢＧ  ＨＡＲＱ−ＡＣＫが全てＤＴＸであるとき、第１サブバンドについての，第２データパケットに対応するＨＡＲＱ状態は、ＮＡＣＫとして表され、第３サブバンド／ｉ番目のサブバンドのＣＷＳを決定するために使用され（言い換えれば、第３サブバンド／ｉ番目のサブバンドについての、第２データパケットに対応するＨＡＲＱ状態は、ＮＡＣＫである）、あるいは、１つ以上のＣＢＧ  ＨＡＲＱ−ＡＣＫは、第３サブバンド／ｉ番目のサブバンドのＣＷＳの調整中、無視される。
【０２２７】
１つ以上のＣＢＧは、次のいくつかの具体的な対応方法で、１つ以上のＣＢＧ  ＨＡＲＱ−ＡＣＫに対応してよい、ことが理解されるべきである。
【０２２８】
１．１つ以上のＣＢＧ  ＨＡＲＱ−ＡＣＫの夫々は、１つ以上のＣＢＧのうちの１つに対応し、あるいは、１つ以上のＣＢＧ  ＨＡＲＱ−ＡＣＫは、１つ以上のＣＢＧに一対一で対応する。
【０２２９】
２．１つ以上のＣＢＧ  ＨＡＲＱ−ＡＣＫのうちの１つは、１つ以上のＣＢＧのうちの少なくとも２つに対応する。
【０２３０】
３．１つ以上のＣＢＧのうちの１つは、１つ以上のＣＢＧ  ＨＡＲＱ−ＡＣＫのうちの少なくとも２つに対応する。１つ以上のＣＢＧは少なくとも２つのＣＢＧを含み、１つ以上のＨＡＲＱ−ＡＣＫは少なくとも２つのＨＡＲＱ−ＡＣＫ、すなわち、少なくとも２つのＣＢＧ−ＡＣＫを含む、ことが理解されるべきである。これは、本願と先行技術との間の相違点であり、実施例２で記載されるそれと同様である。詳細は再び記載されない。
【０２３１】
例えば、図１１中、ＵＥをスケジューリングするためにアクセスネットワークデバイスによって使用されるダウンリンクデータパケット１は、サブバンド１からサブバンド４で運ばれ、サブバンド１からサブバンド４は他のデータパケットを運ばない。データパケット１はＣＢＧ１からＣＢＧ８を含み、ＣＢＧ１からＣＢＧ８は、第２デバイスによってフィードバックされる８つのＣＢＧ  ＨＡＲＱ−ＡＣＫと一対一で対応する。ＣＢＧ１及びＣＢＧ６に対応するＣＢＧ−ＡＣＫはＮＡＣＫであり、他のＣＢＧに対応するＣＢＧ−ＡＣＫはＡＣＫである。データパケット１に対応する８つのＣＢＧ−ＡＣＫはＮＡＣＫ状態を含むので、アクセスネットワークデバイスはＣＢＧ−ＡＣＫをＮＡＣＫ状態に変換し、サブバンド１からサブバンド４の夫々についての、データパケット１に対応するＨＡＲＱ状態として、ＮＡＣＫ状態を使用して、サブバンド１からサブバンド４のＣＷＳを増大させるようにサブバンド１からサブバンド４のＣＷＳを調整する。
【０２３２】
本願のこの実施形態で、実施例２と同様に、ＣＢＧ−ＡＣＫは、サブバンドのＣＷＳを調整するために、ワイドバンドＴＢ−ＡＣＫに変換される。これは、従来のＣＷＳ調整原理により適応することができ、アルゴリズムをより簡単にし、周囲ノードとの友好的な共存をより良く促す。
【実施例４】
【０２３３】
本願のこの実施形態で提供される方法では、データパケットは少なくとも２つのサブバンドで運ばれ、データパケットは１つ以上のＣＢＧを含み、第２デバイスは、ＣＢＧの粒度でＨＡＲＱ−ＡＣＫをフィードバックする。言い換えれば、第２デバイスによってフィードバックされるＨＡＲＱ−ＡＣＫは、ＣＢＧ−ＡＣＫである。第１デバイスは、データパケットに含まれる１つ以上のＣＢＧの中にあってかつサブバンドを占有するＣＢＧに対応するＣＢＧ−ＡＣＫに基づいて、そのサブバンドのＣＷＳを決定する。言い換えれば、データパケットに含まれる１つ以上のＣＢＧの中にあるがサブバンドを占有しないＣＢＧ−ＡＣＫは、そのサブバンドのＣＷＳを決定するために使用されない。
【０２３４】
具体的に、１つ以上のデータパケットは第３データパケットを含み、第３データパケットは、第１サブバンドを含む複数のサブバンドで運ばれ、第３データパケットは第１符号ブロックグループセットを含み、第１符号ブロックグループセットは、第１サブバンドを占有する１つ以上の符号ブロックグループから成り、１つ以上のＨＡＲＱ−ＡＣＫは、第１符号ブロックグループセット内の１つ以上の符号ブロックグループに対応する１つ以上のＣＢＧ  ＨＡＲＱ−ＡＣＫを含む。
【０２３５】
任意に、第１符号ブロックグループセットは、複数の符号ブロックグループを含む。
【０２３６】
符号ブロックグループセット（例えば、第１符号ブロックグループセット又は第２符号ブロックグループセット）が、サブバンド（例えば、第１サブバンド又は第４サブバンド）を占有する１つ以上の符号ブロックグループを含むことは、符号ブロックグループセット内の全ての符号ブロックグループが、そのサブバンドを占有する符号ブロックグループであることを意味する、ことが理解されるべきである。言い換えれば、符号ブロックグループセットは、第３データパケットに含まれる全ての符号ブロックグループの中にあってサブバンドを占有する全ての符号ブロックグループを含むセットである。言い換えれば、符号ブロックグループセットは、第３データパケット内にあるが第１サブバンドを占有しないＣＢＧを含まない。
【０２３７】
更に、第３データパケットに含まれるが第１サブバンドを占有しないＣＢＧ（第２ＣＢＧと呼ばれる）の場合に、第２ＣＢＧに対応するＣＢＧ  ＨＡＲＱ−ＡＣＫは、第１サブバンドのコンテンションウィンドウサイズを調整するために使用されない。言い換えれば、第２ＣＢＧに対応するＣＢＧ  ＨＡＲＱ−ＡＣＫは、第１サブバンドについての、第３データパケットに対応するＨＡＲＱ状態を表すために、使用されない。
【０２３８】
データパケットに含まれる全てのＣＢＧに対応するＣＢＧ  ＨＡＲＱ−ＡＣＫを１つのＴＢ−ＡＣＫに変換する、実施例２及び実施例３の変換方法とは異なり、この実施形態では、第３データパケット内にありかつ第１サブバンドを占有する符号ブロックグループ（第１符号ブロックグループセット内の符号ブロックグループ）に対応するＣＢＧ  ＨＡＲＱ−ＡＣＫは、第１サブバンドについての、第３データパケットに対応する１つのＨＡＲＱ状態（サブバンド−ＡＣＫと呼ばれる）に変換され、第１サブバンドのＣＷＳを調整するために使用される。
【０２３９】
第１符号ブロックグループセット内の符号ブロックグループに対応するＣＢＧ  ＨＡＲＱ−ＡＣＫが全てＡＣＫであるとき、第１サブバンドについての、第３データパケットに対応するＨＡＲＱ状態は、ＡＣＫであり、あるいは、
第１符号ブロックグループセット内の符号ブロックグループに対応するＣＢＧ  ＨＡＲＱ−ＡＣＫが１つ以上のＮＡＣＫを含むとき、第１サブバンドについての、第３データパケットに対応するＨＡＲＱ状態は、ＮＡＣＫである。
【０２４０】
更に、第１符号ブロックグループセット内の符号ブロックグループに対応するＣＢＧ  ＨＡＲＱ−ＡＣＫが全てＤＴＸであるとき、第１サブバンドについての、第３データパケットに対応するＨＡＲＱ状態は、ＮＡＣＫとして表され、第１サブバンドのＣＷＳを決定するために使用され（言い換えれば、第１サブバンドについての、第３データパケットに対応するＨＡＲＱ状態は、ＮＡＣＫである）、あるいは、第１サブバンドについての、第３データパケットに対応するＨＡＲＱ状態は、第１サブバンドのＣＷＳの調整中、無視される（言い換えれば、第１符号ブロックグループセット内の符号ブロックグループに対応するＣＢＧ  ＨＡＲＱ−ＡＣＫは無視される）。
【０２４１】
更に、第１符号ブロックグループセット内の符号ブロックグループに対応するＣＢＧ  ＨＡＲＱ−ＡＣＫは、第１符号ブロックグループセット内の全ての符号ブロックグループに対応するＣＢＧ  ＨＡＲＱ−ＡＣＫを含む。
【０２４２】
具体的に、第１符号ブロックグループセットは、第１符号ブロックグループを含み、第１符号ブロックグループは、第１サブバンド及び第４サブバンドを占有し、第３データパケットは、第２符号ブロックグループセットを更に含み、第２符号ブロックグループセットは、第４サブバンドを占有する１つ以上の符号ブロックグループから成り、第２符号ブロックグループセットは、第１符号ブロックグループを含み、第１デバイスは、第１符号ブロックグループに対応するＣＢＧ  ＨＡＲＱ−ＡＣＫに基づいて第４サブバンドのコンテンションウィンドウサイズを更に決定する。
【０２４３】
第３データパケットに含まれるいくつかの符号ブロックグループが、第１サブバンドを含む少なくとも２つのサブバンドで運ばれ、例えば、第１符号ブロックグループは第１サブバンド及び第２サブバンドを占有する、と考えると、この場合に、第４サブバンドのチャネル状態も、第１符号ブロックグループに対応するＣＢＧ  ＨＡＲＱ−ＡＣＫに寄与する。従って、第１符号ブロックグループに対応するＣＢＧ  ＨＡＲＱ−ＡＣＫは、第４サブバンドのＣＷＳを調整するためにも使用される。具体的に、第４サブバンドについての、第３データパケットに対応するＨＡＲＱ状態は、第２符号ブロックグループセット内の１つ以上の符号ブロックグループの１つ以上のＣＢＧ  ＨＡＲＱ−ＡＣＫ（第１符号ブロックグループのＣＢＧ  ＨＡＲＱ−ＡＣＫを含む）によって表される。具体的に、第１デバイスは、第４サブバンドについての、第３データパケットに対応するＨＡＲＱ状態に基づいて、第３サブバンドのＣＷＳを決定する。これは、第１サブバンドについて、第３データパケットに対応するＨＡＲＱ状態に基づいて、第１サブバンドのＣＷＳを決定する方法と類似している。
【０２４４】
更に、第２符号ブロックグループセットは、複数の符号ブロックグループを含む。
【０２４５】
任意に、第１デバイスが、第１符号ブロックグループに対応するＣＢＧ  ＨＡＲＱ−ＡＣＫに基づいて第４サブバンドのコンテンションウィンドウサイズを更に決定することは、第１デバイスによって、第４サブバンドについての、第３データパケットに対応するＨＡＲＱ状態に基づいて、第４サブバンドのコンテンションウィンドウサイズを更に決定することを含み、このとき、第２符号ブロックグループ内の符号ブロックグループに対応するＣＢＧ  ＨＡＲＱ−ＡＣＫが全てＡＣＫであるとき、第４サブバンドについての、第３データパケットに対応するＨＡＲＱ状態は、ＡＣＫであり、あるいは、第２符号ブロックグループ内の符号ブロックグループに対応するＣＢＧ  ＨＡＲＱ−ＡＣＫが１つ以上のＮＡＣＫを含むとき、第４サブバンドについての、第３データパケットに対応するＨＡＲＱ状態はＮＡＣＫである。
【０２４６】
更に、第２符号ブロックグループセット内の符号ブロックグループに対応するＣＢＧ  ＨＡＲＱ−ＡＣＫが全てＤＴＸであるとき、第４サブバンドについての、第３データパケットに対応するＨＡＲＱ状態は、ＮＡＣＫとして表され、第４サブバンドのＣＷＳを決定するために使用され（言い換えれば、第４サブバンドについての、第３データパケットに対応するＨＡＲＱ状態は、ＮＡＣＫである）、あるいは、第４サブバンドについての、第３データパケットに対応するＨＡＲＱ状態は、第４サブバンドのＣＷＳの調整中、無視される（言い換えれば、第２符号ブロックグループセット内の符号ブロックグループに対応するＣＢＧ  ＨＡＲＱ−ＡＣＫは無視される）。
【０２４７】
更に、第２符号ブロックグループセット内の符号ブロックグループに対応するＣＢＧ  ＨＡＲＱ−ＡＣＫは、第２符号ブロックグループセット内の全ての符号ブロックグループに対応するＣＢＧ  ＨＡＲＱ−ＡＣＫを含む。
【０２４８】
可能な実施において、第１デバイスによって、第３データパケットに対応する第４サブバンドについてのＨＡＲＱ状態に基づいて、第４サブバンドのコンテンションウィンドウサイズを更に決定することは、第１デバイスによって、第４サブバンドについての、第３データパケットセット内のデータパケットに対応するＨＡＲＱ状態に基づいて、第４サブバンドのコンテンションウィンドウサイズを決定することを含み、このとき、第３データパケットセットは、第１デバイスによって基準時間単位で送信されかつ第４サブバンドを占有する１つ以上のデータパケットを含み、第３データパケットセットは、第３データパケットを含む。第４サブバンドのコンテンションウィンドウサイズは、次の情報：第３データパケットセット内のデータパケットに対応する第４サブバンドについてのＨＡＲＱ状態に対するＮＡＣＫの割合、又は第３データパケットセット内のデータパケットに対応する第４サブバンドについてのＨＡＲＱ状態に対応するＡＣＫの割合、又は第３データパケットセット内のデータパケットに対応する第４サブバンドについてのＨＡＲＱ状態の中のＮＡＣＫの数、又は第３データパケットセット内のデータパケットに対応する第４サブバンドについてのＨＡＲＱ状態の中のＡＣＫの数、又は第３データパケットセット内のデータパケットに対応する第４サブバンドについてのＨＡＲＱ状態がＮＡＣＫであるかどうか、又は第３データパケットセット内のデータパケットに対応する第４サブバンドについてのＨＡＲＱ状態がＡＣＫであるかどうか、のうちの１つに基づいて決定される。第４サブバンドについての、第３データパケットセット内のデータパケットに対応するＨＡＲＱ状態は、第３データパケットセット内のデータパケットに対応する１つ以上のＨＡＲＱ−ＡＣＫによって表される。
【０２４９】
任意に、第３サブバンドのコンテンションウィンドウサイズは、第４サブバンドについての、第３のデータパケットに対応するＨＡＲＱ状態に基づいて決定され、あるいは、第２サブバンドのコンテンションウィンドウサイズは、第４サブバンドについての、第３データパケットセット内のデータパケットに対応するＨＡＲＱ状態に少なくとも１つのＡＣＫがあるかどうか、又は第４サブバンドについての、第３データパケットセット内のデータパケットに対応するＨＡＲＱ状態に少なくとも１つのＮＡＣＫがあるかどうかに基づいて決定されてもよい。
【０２５０】
更に、第３データパケットセット内のデータパケットは、第３データパケットセット内の全てのデータパケットである。
【０２５１】
更に、第３データパケットセットは、第１デバイスによって基準時間単位で送信されかつ第４サブバンドを占有する全てのデータパケットを含む。
【０２５２】
具体的に、第３データパケットセット内のデータパケットは、第１デバイスによって１つ以上の受信デバイスへ送信される１つ以上のデータパケットを含む。これは、第１デバイスが１つ以上のデータパケットを１つ以上の第２デバイスへ送信することと同様である。
【０２５３】
具体的に、第３データパケットセット内のデータパケットに対応する１つ以上のＨＡＲＱ−ＡＣＫは、１つ以上の受信デバイスによってフィードバックされる１つ以上のＨＡＲＱ−ＡＣＫであり、１つ以上の第２デバイスによってフィードバックされかつ１つ以上のデータパケットに対応する１つ以上のＨＡＲＱ−ＡＣＫと同様である。１つ以上の受信デバイス及び１つ以上の第２デバイスは同じセットであってよく、あるいは、異なるセットであってもよい。
【０２５４】
ここで、第３データパケットセット内のデータパケットと第３データパケットセット内のデータパケットに対応するＨＡＲＱ−ＡＣＫとの間の対応は、１つ以上のＨＡＲＱ−ＡＣＫと１つ以上のデータパケットとの間の対応と同様であることが理解されるべきであり、第３データパケットセット内のいずれかのデータパケットは、１つ以上のＨＡＲＱ−ＡＣＫに対応し得る。
【０２５５】
任意に、データパケットセット（例えば、第１データパケットセット、第２データパケットセット、又は第３データパケットセット）は、制限なしに、後述される第１データパケット、第２データパケット、又は第３データパケットを含む１つのデータパケットを含む。
【０２５６】
本願の実施例４では、第３データパケットに対応する第１サブバンドについてのＨＡＲＱ状態を表すために使用されるＨＡＲＱ−ＡＣＫは、第１サブバンドで運ばれる第１ＣＢＧセットに対応するＨＡＲＱ−ＡＣＫである（これは、ＨＡＲＱ−ＡＣＫが、第３データパケット内の全てのＣＢＧに対応するＨＡＲＱ−ＡＣＫに対応する実施例３と相違する）
。第１ＣＢＧセットは、第１サブバンドで運ばれるデータパケットに含まれる全てのＣＢＧの一部であり、第１ＣＢＧセット内の符号ブロックグループに対応するＣＢＧ  ＨＡＲＱ−ＡＣＫは、第３データパケットについて第２デバイスによってフィードバックされる全てのＣＢＧ−ＡＣＫの一部である。例えば、データパケットは、サブバンド１及びサブバンド２で運ばれ、ＣＢＧ１からＣＢＧ４を含み、ＣＢＧ１及びＣＢＧ２は、サブバンド１（第１サブバンド）で運ばれ、ＣＢＧ３及びＣＢＧ４は、サブバンド２で運ばれる。第１ＣＧＢセットは、ＣＢＧ１及びＣＢＧ２を含む。第１ＣＢＧセット内の符号ブロックグループに対応するＣＢＧ  ＨＡＲＱ−ＡＣＫは、ＣＢＧ１及びＣＢＧ２に対応するＣＢＧ−ＡＣＫである。
【０２５７】
第１デバイスが、第１サブバンドのＣＷＳを調整するために、第３データパケットに対応するＨＡＲＱ−ＡＣＫのみをＨＡＲＱ状態に変換する実施例３と異なって、実施例４では、第１デバイスは、第１サブバンドのＣＷＳを調整するために、データパケット内の、第１サブバンドを占有する（又は第１サブバンドにマッピングされている）ＣＢＧに対応する１つ以上のＨＡＲＱ−ＡＣＫ（ＣＢＧ−ＡＣＫ）のみをＨＡＲＱ状態に変換する。言い換えれば、第３データパケットによって占有される少なくとも２つのサブバンドについて、第１デバイスは、少なくとも２つのサブバンドの夫々での、第３データパケットに対応するＣＢＧ−ＡＣＫを、サブバンドに特有のＨＡＲＱ状態に変換して、サブバンドのＣＷＳを調整する。
【０２５８】
更に、第１デバイスは、１つ以上のＣＢＧ  ＨＡＲＱ−ＡＣＫにおける第１ＨＡＲＱ−ＡＣＫ（又は第１ＣＢＧ  ＨＡＲＱ−ＡＣＫと呼ばれる）に基づいて、第４サブバンドのＣＷＳを更に決定する。第４サブバンドは少なくとも２つのサブバンドに含まれ、第１ＨＡＲＱ−ＡＣＫは、第１ＣＢＧに対応するＨＡＲＱ−ＡＣＫであり、第１ＣＢＧは、第１ＣＢＧセットに含まれ、第１ＣＢＧは、第１サブバンド及び第４サブバンドを占有する。第１デバイスは、第４サブバンドのＣＷＳに基づいて、第４サブバンドでチャネルリッスンを実行する。
【０２５９】
ＴＢ−ＡＣＫが複数のサブバンドのＣＷＳを調整するために繰り返し使用され得ることと同様に、第１ＣＢＧセット内のＣＢＧ（第１ＣＢＧと呼ばれる）も第４サブバンドで運ばれる（第１ＣＢＧは交差サブバンドＣＢＧである）場合に、第１ＣＢＧに対応する第１ＨＡＲＱ−ＡＣＫは更に、第４サブバンドのＣＷＳの調整に寄与する。
【０２６０】
第４サブバンドは、第１ＣＢＧによって占有されるサブバンド内の、第１サブバンド以外の如何なるサブバンドでもある、ことが理解されるべきである。言い換えれば、第１デバイスは、第１ＨＡＲＱ−ＡＣＫに基づいて、第１ＣＢＧよって占有される全てのサブバンドの夫々のＣＷＳを決定し、第１デバイスは、各サブバンドのＣＷＳに基づいて、対応するサブバンドでチャネルリッスンを実行する。例えば、第１ＣＢＧによって占有される全てのサブバンドの中のｉ番目のサブバンド（ｉ＝１，・・・，Ｉ、ここで、Ｉは、第１ＣＢＧによって占有される全てのサブバンドの数である）について、第１デバイスは、ｉ番目のサブバンドのＣＷＳを調整するために第１ＨＡＲＱ−ＡＣＫを使用し、言い換えれば、第１ＨＡＲＱ−ＡＣＫは、Ｉ個のサブバンドの夫々のＣＷＳを調整するために繰り返し使用される。
【０２６１】
具体的に、第１デバイスが、第１サブバンドのＣＷＳを調整するために、１つ以上のＨＡＲＱ−ＡＣＫを、第３データパケットに対応する第１サブバンドについてのＨＡＲＱ状態（サブバンド−ＡＣＫ呼ばれる）に変換する方法と同様に、第１デバイスは、第４サブバンドのＣＷを調整するために、第１ＨＡＲＱ−ＡＣＫと、１つ以上のＣＢＧに含まれかつ第４サブバンドを占有する他のＣＢＧに対応するＨＡＲＱ−ＡＣＫとを、第４サブバンドに対応するＨＡＲＱ状態に変換する。
【０２６２】
第１デバイスは、第２ＣＢＧセットに対応するＨＡＲＱ−ＡＣＫに基づいて第４サブバンドのＣＷＳを決定する。第２ＣＢＧセットに対応するＨＡＲＱ−ＡＣＫは、第１ＨＡＲＱ−ＡＣＫを含み、第１ＣＢＧは、第２ＣＢＧセットに更に含まれ、第２ＣＢＧセットは、１つ以上のＣＢＧセット内にあって第４サブバンドを占有するＣＢＧを含む。
【０２６３】
第１サブバンドを占有するデータパケット内の第１ＣＢＧのみが第４サブバンドを占有するとき、第２ＣＢＧセットは第１ＣＢＧしか含まない、ことが理解されるべきである。データパケット内の第１ＣＢＧ以外の他のＣＢＧが第４サブバンドを占有するとき、第２ＣＢＧセットは、第１ＣＢＧと、第４サブバンドを占有する他のＣＢＧとの両方を含む。
【０２６４】
より具体的に、第２ＣＢＧセット内の符号ブロックグループのＨＡＲＱ−ＡＣＫに基づいて、第４サブバンド／ｉ番目のサブバンドについての、データパケットに対応するＨＡＲＱ状態を変換する具体的な変換方法は、次の通りである。
【０２６５】
第２ＣＢＧセット内の符号ブロックグループに対応するＣＢＧ  ＨＡＲＱ−ＡＣＫが全て確認応答ＡＣＫであるとき、第２ＣＢＧセット内の符号ブロックグループに対応するＣＢＧ  ＨＡＲＱ−ＡＣＫは、ＡＣＫとして表され、第４サブバンド／ｉ番目のサブバンドのＣＷＳを決定するために使用される。この場合に、第４サブバンド／ｉ番目のサブバンドについての、第３データパケットに対応するＨＡＲＱ状態は、ＡＣＫと呼ばれ得る。
【０２６６】
第２ＣＢＧセット内の符号ブロックグループに対応するＣＢＧ  ＨＡＲＱ−ＡＣＫが１つ以上の否定応答ＮＡＣＫを含むとき、第２ＣＢＧセット内の符号ブロックグループに対応するＣＢＧ  ＨＡＲＱ−ＡＣＫは、ＮＡＣＫとして表され、第４サブバンド／ｉ番目のサブバンドのＣＷＳを決定するために使用される。この場合に、第４サブバンド／ｉ番目のサブバンドについての、第３データパケットに対応するＨＡＲＱ状態は、ＮＡＣＫと呼ばれ得る。
【０２６７】
任意、第２ＣＢＧセット内の符号ブロックグループに対応するＣＢＧ  ＨＡＲＱ−ＡＣＫが全てＤＴＸであるとき、第２ＣＢＧセット内の符号ブロックグループに対応するＣＢＧ  ＨＡＲＱ−ＡＣＫは、ＮＡＣＫとして表され、第４サブバンド／ｉ番目のサブバンドのＣＷＳを決定するために使用され（言い換えれば、第４サブバンド／ｉ番目のサブバンドについての、第３データパケットに対応するＨＡＲＱ状態は、ＮＡＣＫである）、あるいは、第２ＣＢＧセット内の符号ブロックグループに対応するＣＢＧ  ＨＡＲＱ−ＡＣＫは、第４サブバンド／ｉ番目のサブバンドのＣＷＳの調整中、無視される。
【０２６８】
第１ＣＢＧセット内の少なくとも１つのＣＢＧは、次のいくつかの方法で、少なくとも１つのＣＢＧ  ＨＡＲＱ−ＡＣＫに具体的に対応してよい、ことが理解されるべきである。
【０２６９】
１．１つ以上のＣＢＧ  ＨＡＲＱ−ＡＣＫの夫々は、少なくとも１つのＣＢＧのうちの１つに対応し、あるいは、少なくとも１つのＣＢＧ  ＨＡＲＱ−ＡＣＫは、少なくとも１つのＣＢＧに一対一で対応する。
【０２７０】
２．少なくとも１つのＣＢＧ  ＨＡＲＱ−ＡＣＫのうちの１つは、少なくとも１つのＣＢＧのうちの少なくとも２つに対応する。
【０２７１】
３．少なくとも１つのＣＢＧのうちの１つは、少なくとも１つのＣＢＧ  ＨＡＲＱ−ＡＣＫのうちの少なくとも２つに対応する。
【０２７２】
同様に、ＣＢＧ  ＨＡＲＱ−ＡＣＫは、第２ＣＢＧセット内のＣＢＧに一対一で対応してよく、あるいは、複数のＣＢＧ  ＨＡＲＱ−ＡＣＫは、第２ＣＢＧセット内の１つのＣＢＧに対応し、あるいは、１つのＣＢＧ  ＨＡＲＱ−ＡＣＫは、第２ＣＢＧセット内の複数のＣＢＧ  に対応する。
【０２７３】
第１ＣＢＧセットは少なくとも２つのＣＢＧを含み、１つ以上のＨＡＲＱ−ＡＣＫは少なくとも２つのＨＡＲＱ−ＡＣＫ、すなわち、少なくとも２つのＣＢＧ−ＡＣＫを含む、ことが理解されるべきである。これは、本願と先行技術との間の相違点であり、実施例２で記載されるそれと同様である。詳細は再び記載されない。
【０２７４】
同様に、第２ＣＢＧセットは少なくとも２つのＣＢＧを含み、第２ＣＢＧセットに対応するＨＡＲＱ−ＡＣＫは少なくとも２つのＨＡＲＱ−ＡＣＫを含む。
【０２７５】
例えば、図１２中、ＵＥをスケジューリングするためにアクセスネットワークデバイスによって使用されるダウンリンクデータパケット１は、サブバンド１からサブバンド４で運ばれ、サブバンド１からサブバンド４は他のデータパケットを運ばない。データパケット１はＣＢＧ１からＣＢＧ８を含み、ＣＢＧ１からＣＢＧ８は、第２デバイスによってフィードバックされる８つのＣＢＧ  ＨＡＲＱ−ＡＣＫと一対一で対応する。ＣＢＧ１、ＣＢＧ３、ＣＢＧ４、及びＣＢＧ６は、サブバンド１を占有し、ＣＢＧ１、ＣＢＧ２、ＣＢＧ４、ＣＢＧ６、及びＣＢＧ７は、サブバンド２を占有し、ＣＢＧ２、ＣＢＧ５、及びＣＢＧ７は、サブバンド１を占有し、ＣＢＧ３、ＣＢＧ５、及びＣＢＧ８は、サブバンド１を占有する。ＣＢ１及びＣＢＧ６に対応するＣＢＧ−ＡＣＫはＮＡＣＫであり、他のＣＢＧに対応するＣＢＧ−ＡＣＫはＡＣＫである。サブバンド１及びサブバンド２は夫々、ＮＡＣＫに対応するＣＢＧを運ぶので、データパケット１に対応しかつ変換により取得される２つのサブバンドについてのサブバンド−ＡＣＫ（すなわち、サブバンド１についての、データパケット１に対応するＨＡＲＱ状態、及びサブバンド２についての、データパケット１に対応するＨＡＲＱ状態）は、全てＮＡＣＫである。従って、２つのサブバンドＣＷは、夫々増大される。サブバンド＃３及びサブバンド＃４で運ばれるＣＢＧは全てＡＣＫに対応するので、データパケット１に対応しかつ変換によって取得される２つのサブバンドについてのサブバンド−ＡＣＫ（すなわち、サブバンド３についての、データパケット１に対応するＨＡＲＱ状態、及びサブバンド４についての、データパケット１に対応するＨＡＲＱ状態）は、全てＡＣＫである。従って、２つのサブバンドのＣＷＳは、夫々、低減される。
【０２７６】
本願のこの実施形態で、異なるサブバンドは、異なるチャネル状態を有する。サブバンド（例えば、第１サブバンド）が比較的に良いチャネル状態を有する場合に、そのサブバンドで運ばれる情報（例えば、データパケット内にあってそのサブバンドで運ばれるＣＢＧ）に対応するＨＡＲＱ−ＡＣＫ（ＣＢＧ−ＡＣＫ）は、ＡＣＫである。サブバンドが比較的に悪いチャネル状態を有する場合に、そのサブバンドで運ばれる情報に対応するＨＡＲＱ−ＡＣＫ（ＣＢＧ−ＡＣＫ）は、ＮＡＣＫである。第２データパケットに含まれる全てのＣＢＧが、第１サブバンドのＣＷＳを調整するために１つのＨＡＲＱ状態に変換する場合に、たとえ第１サブバンドが比較的に良いチャネル状態を有し、他のサブバンドが比較的に悪いチャネル状態を有するとしても、変換により得られるＨＡＲＱ状態も、比較的に悪いチャネル状態を有するサブバンドによって制限される、ことは明らかである。例えば、ＨＡＲＱ状態がＮＡＣＫである場合に、第１サブバンドのＣＷＳは、比較的に良いチャネル状態を有するサブバンドから恩恵を受けるように低減され得ず、比較的に悪いチャネル状態を有するサブバンドによって影響を及ぼされるように増大される。
【０２７７】
本願の実施形態で提供される方法に従って、データパケット内にあって各サブバンドで分配されるＣＢＧ−ＡＣＫは、サブバンドのＣＷＳを調整するために、サブバンドについてのＨＡＲＱ状態に変換される。サブバンドのＣＷＳは、そのサブバンドのチャネル状態によってのみ影響を及ぼされ、他のサブバンドのチャネル状態によっては影響を及ぼされない。従って、サブバンドのＣＷは、より正確に決定され得、サブバンドのチャネルアクセス効率は、改善される。
【実施例５】
【０２７８】
実施例１、実施例３、及び実施例４について、第１データパケットに対応する１つ以上のＨＡＲＱ−ＡＣＫは、第１データパケットによって占有される１つ以上のサブバンドのＣＷを調整するために使用されるだけでなく、第１データパケットによって占有されないサブバンド（第５サブバンドと呼ばれる）のＣＷＳを調整するためにも使用される、ことが理解されるべきである。
【０２７９】
言い換えれば、第１デバイスは、１つ以上のＨＡＲＱ−ＡＣＫに基づいて第５サブバンドのコンテンションウィンドウＣＷＳを決定し、第５サブバンドは、１つ以上のサブバンドに含まれず、第１デバイスは、情報を基準時間単位で送信するために第５サブバンドを占有しない。
【０２８０】
この実施形態で、１つ以上のデータパケットは、第４データパケットを含み、第４データパケットは、第１サブバンドを含む１つ以上のサブバンドで運ばれ、第４データパケットは、第５サブバンドを占有せず、１つ以上のＨＡＲＱ−ＡＣＫは、第４データパケットに対応するＨＡＲＱ−ＡＣＫを含む。第１デバイスは、第４データパケットに対応するＨＡＲＱ−ＡＣＫに基づいて第５サブバンドのコンテンションウィンドウサイズを決定する。
【０２８１】
任意に、第４データパケットに対応するＨＡＲＱ−ＡＣＫは、第４データパケットに対応するＴＢについてのＴＢ  ＨＡＲＱ−ＡＣＫである。
【０２８２】
任意に、第４データパケットに対応するＨＡＲＱ−ＡＣＫは、第４データパケットに含まれるＣＢＧに対応する少なくとも１つのＣＢＧ  ＨＡＲＱ−ＡＣＫである。
【０２８３】
更に、第１デバイスは、情報を基準時間単位で送信するために第５サブバンドを占有しない。例えば、第１デバイスはアクセスネットワークデバイスであり、第２デバイスは端末デバイスであり、第１デバイスは、データパケット（第４データパケットと呼ばれる）を基準時間単位で送信するために、第５サブバンドと、第１サブバンドを含む１つ以上のサブバンドとを占有すると期待される。代替的に、第１デバイスは端末デバイスであり、第２デバイスはアクセスネットワークデバイスであり、第２デバイスは、原データパケットを基準時間単位で送信するために、第５サブバンドと、第１サブバンドを含む１つ以上のサブバンドとを占有するよう第１デバイスをスケジューリングする。具体的に、原データパケットは、完全なデータパケットである。原データパケット送信する前に、第１デバイスは、各サブバンドでＬＢＴを実行する。第１サブバンドを含む１つ以上のサブバンドでのＬＢＴは成功するが、第５サブバンドでのＬＢＴは失敗する。従って、第１デバイスは、データ情報を送信するために、第１サブバンドを含む１つ以上のサブバンドのみを占有することができ、データ情報は第４データパケットであり、原データパケットの部分である。例えば、第４データパケットは、原データパケット内にあって第５サブバンドで運ばれるデータ情報をパンクチャリングすることによって取得される。第１デバイスは、情報を基準時間単位で送信するために第５サブバンドを占有しないが、第５サブバンドについて、基準時間単位での第４データパケットに対応するＨＡＲＱ−ＡＣＫは、第５サブバンドのＣＷＳを調整するために依然として使用され得る。
【０２８４】
第５サブバンドが１つ以上のサブバンドに含まれないことは、第４データパケットが第５サブバンドで運ばれないことを意味する、ことが理解されるべきである。言い換えれば、第４データパケットは、第５サブバンドの如何なる周波数領域リソースも占有しない。言い換えれば、第１デバイスは、情報を基準時間単位で送信するために第５サブバンドを占有しない。具体的に、第１デバイスは、基準時間単位の前に第５サブバンドでＬＢＴを実行することができず、情報を基準時間単位で送信するために第５サブバンドを占有しない。
【０２８５】
更に、第４データパケットは、原データパケットの部分であり、原データパケットは、１つ以上のサブバンド及び第５サブバンドを占有することによって第１スケジューリングシグナリングに基づいて基準時間単位で第１デバイスによって送信されるデータパケットである。上述されたように、スケジューリングされると期待されるデータパケットは、原データパケットであり、原データパケットは、１つ以上のサブバンド及び第５サブバンドを占有すると期待される。しかし、第１デバイスは、基準時間単位の前に第５サブバンドでＬＢＴを実行することができず、第５サブバンドを占有しない。従って、原データパケット内にあって第５サブバンドで運ばれるデータ情報は、パンクチャリングされ、原データパケット内にあって１つ以上のサブバンドで運ばれるデータ情報、すなわち、第４データパケットのみが、送信される。この場合に、第４データパケットは、部分的なデータパケットである。
【０２８６】
第４データパケットは、１つ以上のサブバンド及び第５サブバンドのみを占有してよく、あるいは、１つ以上のサブバンド及び第５サブバンド以外のサブバンドを占有してもよい、ことが理解されるべきである。例えば、原データパケットは、１つ以上のサブバンド及び第５サブバンド以外のサブバンドを更に占有すると期待される。しかし、他のサブバンドでのＬＢＴは失敗するので、他のサブバンドは占有されない。これは、第５サブバンドが占有されないことと同様である。
【０２８７】
第１スケジューリングシグナリングは、原データパケットをスケジューリングするスケジューリングシグナリングである、ことが理解されるべきである。例えば、スケジューリングシグナリングは、原データパケットのスケジューリング情報を示すために使用される。スケジューリング情報は、原データパケットによって占有される時間領域及び／又は周波数領域物理リソースに関する情報、原データパケットの変調及び符号化スキーム情報、原データパケットが位置する物理チャネルの基準信号情報、原データパケットのＨＡＲＱプロセス番号、原データパケットの新規データインジケータ（new  data  indicator，ＮＤＩ）情報、原データパケットの冗長性バージョン（redundancy  version、ＲＶ）情報などの情報のうちの少なくとも１つを含む。例えば、第１デバイスはアクセスネットワークデバイスであり、第２デバイスは端末デバイスである。スケジューリングシグナリングは、第１デバイスによって送信されるダウンリンクスケジューリングシグナリングであり、原データパケットは、ダウンリンクデータパケットである。例えば、第１デバイスは端末デバイスであり、第２デバイスはアクセスネットワークデバイスである。スケジューリングシグナリングは、アクセスネットワークデバイスによって送信されるアップリンクスケジューリングシグナリングであり、原データパケットは、アップリンクデータパケットである。代替的に、スケジューリングシグナリングは、原データパケットのスケジューリング情報を示すために端末デバイスによって送信されるスケジューリングシグナリングであり、原データパケットは、アップリンクデータパケットである。
【０２８８】
言い換えれば、第４データパケットは、第１スケジューリングシグナリングに基づいて第１デバイスによって送信されるデータパケットであり、第１スケジューリングシグナリングは、第１データ情報を送信するために第５サブバンドを占有するように第１デバイスに指示するために更に使用される。原データパケットをスケジューリングするスケジューリングシグナリングは、第４データパケットをスケジューリングするスケジューリングシグナリングとも呼ばれ得る。第４データパケットをスケジューリングすることに加えて、スケジューリングシグナリングは更に、第１データ情報を送信するために第５サブバンドを占有するように第１デバイスをスケジューリングする。第４データパケット及び第１データ情報は、原データパケットに含まれる。
【０２８９】
第５サブバンドについて、第５サブバンドに対応しかつ第１デバイスによって決定される基準時間単位は、第４データパケットが位置する基準時間単位である、ことが理解されるべきである（これは、第５サブバンドの基準時間単位が、第１デバイスが情報を送信するために第５サブバンドを占有する時間単位として決定される先行技術と相違する）。
【０２９０】
具体的に、第１デバイスは、第５サブバンドについての、第４データパケットセット内のデータパケットに対応するＨＡＲＱ状態に基づいて、第５サブバンドのコンテンションウィンドウサイズを決定し、第４データパケットセットは、第５サブバンドを占有せずに基準時間単位で第１デバイスによって送信されるデータパケットを含む。第５サブバンドのコンテンションウィンドウサイズを決定する方法は、第１デバイスによって１つ以上のＨＡＲＱ−ＡＣＫに基づいて第１サブバンドのコンテンションウィンドウサイズを決定する方法（例えば、実施例１から実施例４）と類似しており、相違点は、第１デバイスが第５サブバンドを占有しないことにある。例えば、第５サブバンドについての、第４データパケットセット内のデータパケットに対応するＨＡＲＱ状態は、第４データパケットセット内のデータパケットに対応する１つ以上のＨＡＲＱ−ＡＣＫによって表される。
【０２９１】
更に、第４データパケットセット内の各データパケットに対応する原データパケットは、第５サブバンドを占有する。原データパケットは、第１デバイスが基準時間単位で送信するようスケジューリングされるデータパケット、又は第１デバイスが基準時間単位で送信するようスケジューリングするデータパケットである。
【０２９２】
例えば、図１３に示されるように、アクセスネットワークデバイスは、情報を基準時間単位で送信するためにサブバンド１からサブバンド４を占有すると期待される。アクセスネットワークデバイスは、データパケット１をＵＥ１へ送るためにサブバンド１及びサブバンド２を占有すると期待され、データパケット２をＵＥ２へ送るためにサブバンド２及びサブバンド３を占有すると期待され、データパケット３（原データパケット）をＵＥ３へ送り、かつ、データパケット３のスケジューリング情報をＵＥ３に示すようスケジューリングシグナリングを送るために、サブバンド３及びサブバンド４を占有すると期待される。アクセスネットワークデバイスは、サブバンド１からサブバンド３でＬＢＴを成功裏に実行するが、サブバンド４ではＬＢＴを実行することができない。従って、アクセスネットワークデバイスは、データパケット３の一部のデータ情報（すなわち、第４データパケット）を送信するためにサブバンド３を占有する。データパケット３についてＵＥ３によってフィードバックされるＨＡＲＱ−ＡＣＫはＮＡＣＫであり、それにより、アクセスネットワークデバイスは、ＮＡＣＫに基づいてサブバンド３及びサブバンド４のＣＷＳを調整する。サブバンド３について、累積されたＮＡＣＫの割合は１００％である。従って、サブバンド３のＣＷＳは増大される。サブバンド４について、データパケット３（又は第４データパケット）に対応するＨＡＲＱ−ＡＣＫはＮＡＣＫである。従って、サブバンド４のＣＷＳは増大される。
【実施例６】
【０２９３】
１つ以上のデータパケットは第５データパケットを含み、第５データパケットは第１サブバンドで運ばれ、第５データパケットは他のサブバンドを占有しない。１つ以上のＨＡＲＱ−ＡＣＫは、第５データパケットに対応するトランスポートブロックＴＢについてのＴＢ  ＨＡＲＱ−ＡＣＫを含み、ＴＢ  ＨＡＲＱ−ＡＣＫは、第５データパケットに対応するＴＢ  ＨＡＲＱ−ＡＣＫと呼ばれる。
【０２９４】
この場合に、１つ以上のデータパケットに対応する第１サブバンドについての１つ以上のＨＡＲＱ情報は、第１サブバンドについての、第５データパケットに対応するＨＡＲＱ状態を含み、第１サブバンドについての、第５データパケットに対応するＨＡＲＱ状態は、第１サブバンドのコンテンションウィンドウを決定するために使用される。
【０２９５】
第５データパケットに対応するＴＢ  ＨＡＲＱ−ＡＣＫがＡＣＫであるとき、第１サブバンドについての、第５データパケットに対応するＨＡＲＱ状態は、ＡＣＫであり、あるいは、
第５データパケットに対応するＴＢ  ＨＡＲＱ−ＡＣＫがＮＡＣＫであるとき、第１サブバンドについての、第５データパケットに対応するＨＡＲＱ状態は、ＮＡＣＫである。
【０２９６】
更に、第５データパケットに対応するＴＢ  ＨＡＲＱ−ＡＣＫがＤＴＸであるとき、第５データパケットに対応するＴＢ  ＨＡＲＱ−ＡＣＫは、ＮＡＣＫとして表され、第１サブバンドのＣＷＳを決定するために使用され（言い換えれば、第１サブバンドについての、第５データパケットに対応するＨＡＲＱ状態は、ＮＡＣＫである）、あるいは、第５データパケットに対応するＴＢ  ＨＡＲＱ−ＡＣＫは、第１サブバンドのＣＷＳの決定中、無視される（言い換えれば、第１サブバンドについての、第５データパケットに対応するＨＡＲＱ状態は、第１サブバンドのＣＷＳの決定中、無視される）。
【０２９７】
本願のこの実施形態で、サブバンド（例えば、第１サブバンド、第２サブバンド、第３サブバンド、第４サブバンド、又は第５サブバンド）について、第１デバイスがＣＷＳを増大させることは、第１デバイスがＣＷを倍にすること、又はｐ（ｐは正の整数である）が調整前のＣＷＳの値であるとして、第１デバイスがＣＷＳを２×ｐ＋１に調整すること、又は第１デバイスがＣＷをＣＷセット内の次に大きい値に増大させることを意味する、ことが理解されるべきであり、なお、各優先度のＣＷＳセットは、背景で記載されている。更に、ＣＷＳが調整される前に、ＣＷＳがＣＷＳセット内の最大値である場合に、第１デバイスがＣＷＳを増大させることは、第１デバイスがＣＷＳを不変なままとすることを意味する。
【０２９８】
本願のこの実施形態で、サブバンド（例えば、第１サブバンド、第２サブバンド、第３サブバンド、第４サブバンド、又は第５サブバンド）について、第１デバイスがＣＷＳを低減させることは、第１デバイスがＣＷを半分にすること、又はｐ（ｐは正の整数である）が調整前のＣＷの値であるとして、第１デバイスがＣＷＳを（ｐ−１）／２に調整すること、又は第１デバイスがＣＷをＣＷセット内の次に小さい値に低減させることを意味する、ことが理解されるべきであり、なお、各優先度のＣＷセットは、背景で記載されている。更に、ＣＷＳが調整される前に、ＣＷがＣＷセット内の最小値である場合に、第１デバイスがＣＷＳを低減させることは、第１デバイスがＣＷＳを不変なままとすることを意味する。
【０２９９】
本願のこの実施形態で、一方で、基準時間単位を決定するとき、第１デバイスは、スケジューリングされるべき第４データパケットによって占有されるワイドバンドを決定してよく、実施アルゴリズムは比較的に簡単である。他方で、第５サブバンドのＣＷＳは場合により増大されるので、第５サブバンドでの周囲ノードとの友好的な共存は実装可能である。
【０３００】
本願のこの実施形態で提供される方法に従って、各サブバンドのＣＷＳは、ｃ番目のデータパケット（例えば、第１データパケットから第３データパケット）に対応するＨＡＲＱ−ＡＣＫ（例えば、ＴＢ  ＨＡＲＱ−ＡＣＫ又はＣＢＧ  ＨＡＲＱ−ＡＣＫ）に基づいて具体的に調整されてよい。以下は、第１デバイスがＨＡＲＱ−ＡＣＫに基づいてｊ番目のサブバンド（例えば、第１サブバンドから第５サブバンド）のＣＷＳをいかにして調整するかについて記載するために、２つの方法を例として使用する。
【０３０１】
１つの方法で、第１デバイスは、基準時間単位でｊ番目のサブバンド上で運ばれるデータパケット（例えば、ｊ番目のサブバンドで運ばれる全てのデータパケット）に対応するＨＡＲＱ状態に対応するＡＣＫ又はＮＡＣＫの割合に基づいて、ｊ番目のサブバンドのＣＷＳを調整する。ｊ番目のサブバンドについての、ｃ番目のデータパケットに対応するＨＡＲＱ状態は、上述されたように、ｃ番目のデータパケットに対応するＨＡＲＱ−ＡＣＫによって表される。その上、第１デバイスは、ＨＡＲＱ状態を、ｊ番目のサブバンドのＨＡＲＱ状態セットに加える。例えば、ｃ番目のデータパケットに対応するＴＢ  ＨＡＲＱ−ＡＣＫがＡＣＫであるとき、ｊ番目のサブバンドについての、ｃ番目のデータパケットに対応するＨＡＲＱ状態は、ＡＣＫであり、あるいは、ｃ番目のデータパケットに対応するＴＢ  ＨＡＲＱ−ＡＣＫがＮＡＣＫであるとき、ｊ番目のサブバンドについての、ｃ番目のデータパケットに対応するＨＡＲＱ状態は、１つのＮＡＣＫである。代替的に、ｃ番目のデータパケットに対応するＣＢＧ  ＨＡＲＱ−ＡＣＫが全てＡＣＫであるとき、ｊ番目のサブバンドについての、ｃ番目のデータパケットに対応するＨＡＲＱ状態は、ＡＣＫであり、あるいは、ｃ番目のデータパケットに対応するＣＢＧ  ＨＡＲＱ−ＡＣＫが少なくとも１つのＮＡＣＫを含むとき、ｊ番目のサブバンドについての、ｃ番目のデータパケットに対応するＨＡＲＱ状態は、ＮＡＣＫである。代替的に、ｃ番目のデータパケット内にあってｊ番目のサブバンドを占有する全てのＣＢＧに対応するＣＢＧ  ＨＡＲＱ−ＡＣＫがＡＣＫであるとき、ｊ番目のサブバンドについての、ｃ番目のデータパケットに対応するＨＡＲＱ状態は、ＡＣＫであり、あるいは、ｃ番目のデータパケット内にあってｊ番目のサブバンドを占有する全てのＣＢＧに対応するＣＢＧ  ＨＡＲＱ−ＡＣＫが少なくとも１つのＮＡＣＫを含むとき、ｊ番目のサブバンドについての、ｃ番目のデータパケットに対応するＨＡＲＱ状態は、ＮＡＣＫである。代替的に、ｃ番目のデータパケットに対応するＨＡＲＱ−ＡＣＫがＤＴＸであるとき、ｊ番目のサブバンドについての、ｃ番目のデータパケットに対応するＨＡＲＱ状態は、ＮＡＣＫであり、あるいは、ＨＡＲＱ状態は、無視され、ｊ番目のサブバンドのＨＡＲＱ状態セットに加えられない。
【０３０２】
更に、基準時間単位でｊ番目のサブバンド上で運ばれる他のデータパケットのＨＡＲＱ−ＡＣＫの変換方法は、ｃ番目のデータパケットのＨＡＲＱ−ＡＣＫのそれと類似している。ｊ番目のサブバンドについて、ｊ番目のサブバンドで運ばれる全てのデータパケットに対応するＨＡＲＱ状態において、ｊ番目のサブバンドのＨＡＲＱ状態セットに対するＮＡＣＫの割合が、前もってセットされた割合（例えば、８０％）を超える場合に、第１デバイスはＣＷＳを増大させる。そうでない場合には、第１デバイスはＣＷＳを低減させる。代替的に、ｊ番目のサブバンドのＨＡＲＱ状態セットに対するＡＣＫの割合が、前もってセットされた割合（例えば、２０％）を超える場合に、第１デバイスはＣＷＳを増大させる。そうでない場合には、第１デバイスはＣＷＳを低減させる。前もってセットされた割合は、プロトコル又は規制において定義された固定閾値であってよく、あるいは、アクセスネットワークデバイスによって設定された閾値であってもよい。
【０３０３】
他の方法で、第１デバイスは、基準時間単位でｊ番目のサブバンド上で運ばれるデータパケット（例えば、ｊ番目のサブバンドで運ばれる全てのデータパケット）に対応するＨＡＲＱ状態にＡＣＫがあるかどうかに基づいて、ｊ番目のサブバンドのＣＷＳを調整する。ｃ番目のデータパケットについて、ｊ番目のサブバンドについての、ｃ番目のデータパケットに対応するＨＡＲＱ状態は、ｃ番目のデータパケットに対応するＨＡＲＱ−ＡＣＫによって表される。具体的な変換方法は、上記の方法で記載される。その上、基準時間単位でｊ番目のサブバンド上で運ばれる他のデータパケットのＨＡＲＱ−ＡＣＫの変換方法は、ｃ番目のデータパケットのＨＡＲＱ−ＡＣＫのそれと類似している。ｊ番目のサブバンドについて、基準時間単位でｊ番目のサブバンド上で運ばれる全てのデータパケットに対応するＨＡＲＱ状態において、ＡＣＫがある場合に、第１デバイスはＣＷＳを増大させ、そうでない場合に、第１デバイスはＣＷＳを低減させる。ｃ番目のデータパケットはｊ番目のサブバンドを占有するので、ｊ番目のサブバンドについての、ｃ番目のデータパケットに対応するＨＡＲＱ状態は、ｊ番目のサブバンドのＣＷＳを決定するためにも使用される。具体的に、ｊ番目のサブバンドについての、ｃ番目のデータパケットに対応するＨＡＲＱ状態がＡＣＫであるとき、第１デバイスはＣＷＳを低減させる。ｊ番目のサブバンドについての、ｃ番目のデータパケットに対応するＨＡＲＱ状態がＮＡＣＫであり、ｊ番目のサブバンドについての、ｊ番目のサブバンドを占有する他のデータパケットに対応するＨＡＲＱ状態もＮＡＣＫであるとき、第１デバイスはＣＷＳを増大させる。
【０３０４】
上記の２つの方法で、第１デバイスは、基準時間単位で情報を送信するために２つの異なるサブバンド、例えば、ｐ番目のサブバンド及びｊ番目のサブバンドを占有し、ｐ≠ｊである、ことが理解されるべきである。ｐ番目のサブバンドで運ばれるデータパケットの数及びセットは夫々、ｊ番目のサブバンドで運ばれるデータパケットの数及びセットと同じであっても又は異なってもよく、ｐは自然数である。言い換えれば、ｐ番目のサブバンドのＨＡＲＱ状態セットに含まれる要素（ＨＡＲＱ状態の数及び／又はＨＡＲＱ状態に対応するデータパケット）は、ｊ番目のサブバンドのＨＡＲＱ状態セットに含まれる要素（ＨＡＲＱ状態の数及び／又はＨＡＲＱ状態に対応するデータパケット）と同じであっても又は異なってもよい。例えば、基準時間単位で第１デバイスによって送信される複数のデータパケットにおいて、データパケット１、データパケット２、及びデータパケット３は、ｊ番目のサブバンドを占有し、データパケット３及びデータパケット４は、ｐ番目のサブバンドを占有する。この場合に、ｊ番目のＨＡＲＱ−ＡＣＫセットは、データパケット１、データパケット２、及びデータパケット３に対応する３つのＨＡＲＱ状態を含み、ｐ番目のＨＡＲＱ−ＡＣＫセットは、データパケット３及びデータパケット４に対応する２つのＨＡＲＱ状態を含む。
【０３０５】
ダウンリンク伝送の例では、アクセスネットワークデバイスは、基準時間単位で１つ以上の端末デバイスをスケジューリングし、１つ以上のダウンリンクデータパケットを１つ以上の端末デバイスへ送信する、ことが理解されるべきである。ＣＷＳを調整する第１デバイスがアクセスネットワークであると考えると、ｊ番目のサブバンドで運ばれる全てのデータパケットは、ｊ番目のサブバンドを占有することによって基準時間単位で各端末デバイスへアクセスネットワークデバイスによって送信される各ダウンリンクデータパケットを含む。
【０３０６】
例えば、アップリンク伝送中、端末デバイスは、１つ以上のアップリンクデータパケットを基準時間単位で送信する。ＣＷＳを調整する第１デバイスが端末デバイスであると考えると、ｊ番目のサブバンドで運ばれる全てのデータパケットは、ｊ番目のサブバンドを占有することによって基準時間単位で端末デバイスによって送信される各アップリンクデータパケットを含む。
【０３０７】
本願は、免許不要スペクトルでのＣＷＳ決定方法を提供する。ワイドバンドデータパケットが複数のサブバンドを占有するとき、送信ノードは、各サブバンドのＣＷＳを調整するために、ワイドバンドデータパケットに対応するＨＡＲＱ−ＡＣＫを繰り返し使用する。その上、受信ノードがＣＢＧ−ＡＣＫをフィードバックするとき、送信ノードは、同じデータパケットに対応するサブバンドについての複数のＣＢＧ−ＡＣＫをＴＢ−ＡＣＫに変換し、次いで、ＴＢ−ＡＣＫを使用してサブバンドのＣＷＳを調整する。このようにして、チャネルへの効率的なアクセス及び周囲の競合ノードとの友好的な共存は実装され得、通知シグナリングオーバーヘッドは低減される。
【０３０８】
以上は、図１から図１３を参照して本願の実施形態に従うコンテンションウィンドウサイズ決定方法について詳細に記載する。以下は、図１４を参照して本願の実施形態に従うコンテンションウィンドウサイズ決定装置について記載する。方法の実施形態で記載される技術的特徴は、下記の装置の実施形態にも適用可能である。
【０３０９】
図１４は、本願の実施形態に従うコンテンションウィンドウサイズ決定装置１４００の略ブロック図である。図１４に示されるように、装置１４００は、
第１サブバンドを占有する１つ以上のデータパケットを基準時間単位で１つ以上の第２デバイスへ送信するよう構成される送信ユニット１４１０と、
１つ以上の第２デバイスによってフィードバックされかつ１つ以上のデータパケットに対応する１つ以上のハイブリッド自動再送要求ＨＡＲＱ−ＡＣＫを受信するよう構成される受信ユニット１４２０と、
１つ以上のＨＡＲＱ−ＡＣＫに基づいて第１サブバンドのコンテンションウィンドウサイズを決定するよう構成される処理ユニット１４３０と
を含む。
【０３１０】
任意に、処理ユニット１４３０は、１つ以上のデータパケットに対応する第１サブバンドについての１つ以上のＨＡＲＱ状態に基づいて第１サブバンドのコンテンションウィンドウサイズを決定するよう更に構成され、このとき、第１サブバンドのコンテンションウィンドウサイズは、次の情報：
１つ以上のデータパケットに対応する第１サブバンドについての１つ以上のＨＡＲＱ状態の中のＮＡＣＫの割合、又は
１つ以上のデータパケットに対応する第１サブバンドについての１つ以上のＨＡＲＱ状態の中のＡＣＫの割合、又は
１つ以上のデータパケットに対応する第１サブバンドについての１つ以上のＨＡＲＱ状態の中のＮＡＣＫの数、又は
１つ以上のデータパケットに対応する第１サブバンドについての１つ以上のＨＡＲＱ状態の中のＡＣＫの数、又は
１つのデータパケットに対応する第１サブバンドについてのＨＡＲＱ状態がＮＡＣＫであるかどうか、又は
１つのデータパケットに対応する第１サブバンドについてのＨＡＲＱ状態がＡＣＫであるかどうか
のうちの１つに基づいて決定され、
１つ以上のデータパケットに対応する第１サブバンドについての１つ以上のＨＡＲＱ状態は、１つ以上のＨＡＲＱ−ＡＣＫによって表される。
【０３１１】
ここで表現する意味は上述されており、詳細は再び記載されない、ことが理解されるべきである。
【０３１２】
可能な実施において、１つ以上のデータパケットは、第１データパケットを含み、第１データパケットは、第１サブバンドを含む複数のサブバンドにおいて運ばれ、１つ以上のＨＡＲＱ−ＡＣＫは、第１データパケットに対応するトランスポートブロックＴＢについてのＴＢ  ＨＡＲＱ−ＡＣＫを含む。ＴＢ  ＨＡＲＱ−ＡＣＫがＡＣＫであるとき、第１データパケットに対応する第１サブバンドについてのＨＡＲＱ状態はＡＣＫであり、あるいは、ＴＢ  ＨＡＲＱ−ＡＣＫがＮＡＣＫであるとき、第１データパケットに対応する第１サブバンドについてのＨＡＲＱ状態はＮＡＣＫである。
【０３１３】
任意に、複数のサブバンドは、第２サブバンドを更に含み、処理ユニットは、ＴＢ  ＨＡＲＱ−ＡＣＫに基づいて第２サブバンドのコンテンションウィンドウサイズを決定するよう更に構成される。
【０３１４】
更に、１つ以上のデータパケットは、第２データパケットを含み、第２データパケットは、１つ以上の符号ブロックグループＣＢＧを含み、１つ以上のＨＡＲＱ−ＡＣＫは、１つ以上の符号ブロックグループに対応する１つ以上のＣＢＧ  ＨＡＲＱ−ＡＣＫを含む。１つ以上のＣＢＧ  ＨＡＲＱ−ＡＣＫが全てＡＣＫであるとき、第２データパケットに対応する第１サブバンドについてのＨＡＲＱ状態はＡＣＫであり、あるいは、１つ以上のＣＢＧ  ＨＡＲＱ−ＡＣＫが１つ以上のＮＡＣＫを含むとき、第２データパケットに対応する第１サブバンドについてのＨＡＲＱ状態はＮＡＣＫである。
【０３１５】
可能な実施において、第２データパケットは、少なくとも第１サブバンド及び第３サブバンドで運ばれ、第１デバイスは、１つ以上のＣＢＧ  ＨＡＲＱ−ＡＣＫに基づいて第３サブバンドのコンテンションウィンドウサイズを更に決定する。
【０３１６】
任意に、１つ以上のデータパケットは、第３データパケットを含み、第３データパケットは、第１サブバンドを含む複数のサブバンドにおいて運ばれ、第３データパケットは、第１符号ブロックグループセットを含み、第１符号ブロックグループセットは、第１サブバンドを占有する１つ以上の符号ブロックグループから成り、１つ以上のＨＡＲＱ−ＡＣＫは、第１符号ブロックグループセットの中の１つ以上の符号ブロックグループに対応する１つ以上のＣＢＧ  ＨＡＲＱ−ＡＣＫを含む。第１符号ブロックグループセットの中の１つ以上の符号ブロックグループに対応する１つ以上のＣＢＧ  ＨＡＲＱ−ＡＣＫが全てＡＣＫであるとき、第３データパケットに対応する第１サブバンドについてのＨＡＲＱ状態はＡＣＫであり、あるいは、第１符号ブロックグループセットの中の１つ以上の符号ブロックグループに対応する１つ以上のＣＢＧ  ＨＡＲＱ−ＡＣＫが１つ以上のＮＡＣＫを含むとき、第３データパケットに対応する第１サブバンドについてのＨＡＲＱ状態はＮＡＣＫである。
【０３１７】
更に、第１符号ブロックグループセットは、第１符号ブロックグループを含み、第１符号ブロックグループは、第１サブバンド及び第４サブバンドを占有し、第３データパケットは、第２符号ブロックグループセットを更に含み、第２符号ブロックグループセットは、第４サブバンドを占有する１つ以上の符号ブロックグループから成り、第２符号ブロックグループセットは、第１符号ブロックグループを含み、第１デバイスは、第１符号ブロックグループに対応するＣＢＧ  ＨＡＲＱ−ＡＣＫに基づいて第４サブバンドのコンテンションウィンドウサイズを更に決定する。
【０３１８】
図１４に示される装置１４００における送信ユニット１４１０は、送信器に対応してよく、図１４に示される装置１４００における受信ユニット１４２０は、受信器に対応してよく、図１４に示される装置１４００における処理ユニット１４３０は、プロセッサに対応してよい。他の実施では、送信器及び受信器は、同じコンポーネント、すなわち、トランシーバによって実装されてもよい。
【０３１９】
本願の例は、上記の方法を実装するよう構成された装置（例えば、集積回路、ワイヤレスデバイス、又は回路モジュール）を更に提供する。本明細書で記載される電力追跡器及び／又は電力発生器を実装する装置は、独立したデバイスであってよく、あるいは、より大きいデバイスの部分であってもよい。デバイスは：（ｉ）独立したＩＣ、（ｉｉ）データ及び／又は命令を記憶するよう構成されたメモリＩＣを含み得る、１つ以上のＩＣの組、（ｉｉｉ）ＲＧ受信器又はＲＦ送信器／受信器などのＲＦＩＣ、（ｉｖ）移動局モデムなどのＡＳＩＣ、（ｖ）他のデバイスに埋め込まれ得るモジュール、（ｖｉ）受信器、セルラー電話機、ワイヤレスデバイス、携帯電話機、又は移動体ユニット、あるいは、（ｖｉｉ）他、であってよい。
【０３２０】
本願の実施形態で提供される方法及び装置は、端末デバイス又はアクセスネットワークデバイス（ワイヤレスデバイスと総称されてもよい）に適用されてよい。端末デバイス、アクセスデバイス、又はワイヤレスデバイスは、ハードウェアレイヤ、ハードウェアレイヤで実行されるオペレーティングシステムレイヤ、及びオペレーティングシステムレイヤで実行されるアプリケーションレイヤを含んでよい。ハードウェアレイヤは、中央演算処理装置（central  processing  unit，ＣＰＵ）、メモリ管理ユニット（memory  management  unit，ＭＭＵ）、及びメモリ（メインメモリとも呼ばれる）などのハードウェアを含む。オペレーティングシステムは、プロセス（process）を通じてサービスを処理する任意の１つ以上のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム又はＷｉｎｄｏｗｓオペレーティングシステム、であってよい。アプリケーションレイヤは、ブラウザ、アドレス帳、ワードプロセッシングソフトウェア、及びインスタントメッセージングソフトウェアなどのアプリケーションを含む。その上、本願の実施形態では、方法の実行本体の具体的な構造は、本願の実施形態における方法のコードを記録するプログラムが、本願の実施形態における信号伝送方法に従って通信を実行するよう実行され得るという条件で、本願の実施形態において制限されない。例えば、本願の実施形態における無線通信方法は、端末デバイス又はアクセスネットワークデバイスによって実行されてよく、あるいは、端末デバイス又はアクセスネットワークデバイスでプログラムを呼び出しかつプログラムを実行することができる機能モジュールによって実行されてもよい。
【０３２１】
当業者であれば、本願で開示される実施形態で記載される例と組み合わせて、ユニット及びアルゴリズムステップは、電子ハードウェア又はコンピュータソフトウェアと電子ハードウェアとの組み合わせによって実装されてよい、と気づき得る。機能がハードウェア又はソフトウェアによって実行されるかどうかは、技術的解決法の特定の用途及び設計制約条件に依存する。当業者であれば、記載される機能を夫々の特定の用途ごとに実装するために、異なる方法を使用し得るが、実施が本願の実施形態の範囲を超えることは、考えられるべきではない。
【０３２２】
更に、本願の実施形態における態様又は特徴は、標準のプログラミング及び／又はエンジニアリング技術を使用する方法、装置、又は製品として実装されてよい。本願で使用される「製品」との語は、如何なるコンピュータ可読コンポーネント、担体、又は媒体からもアクセスされ得るコンピュータプログラムをカバーする。例えば、コンピュータ可読媒体は、制限なしに、磁気記憶コンポーネント（例えば、ハードディスク、フロッピーディスク、若しくは磁気テープ）、光ディスク（例えば、コンパクトディスク（compact  disc，ＣＤ）、デジタル・バーサタイル・ディスク（digital  versatile  disc，ＤＶＤ）、スマートカード及びフラッシュメモリコンポーネント（例えば、消去可能なプログラム可能リード・オンリー・メモリ（erasable  programmable  read-only  memory，ＥＰＲＯＭ）、カード、スティック、又はキードライブ）を含んでよい。その上、本願で記載される様々な記憶媒体は、情報を記憶するよう構成される１つ以上のデバイス及び／又は他のマシン可読媒体を示してよい。「マシン可読媒体」との語は、制限なしに、無線チャネルと、命令及び／又はデータを記憶、包含、及び／又は搬送することができる様々な他の媒体とを含んでよい。
【０３２３】
上記の実施形態の全部又は一部は、ソフトウェア、ハードウェア、ファームウェア、又はそれらの任意の組み合わせを使用することによって実装されてよい。ソフトウェアが実施形態を実装するために使用されるとき、実施形態は、完全にまたは部分的にコンピュータプログラム製品の形で実装されてよい。コンピュータプログラム製品は、１つ以上のコンピュータ命令を含む。コンピュータプログラム命令がコンピュータでロードされ実行されるとき、本願の実施形態に従うプロシージャ又は機能は、全て又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、又はデジタル加入者回線（ＤＳＬ））又は無線（例えば、赤外線、電波、又はマイクロ波）で伝送されてもよい。コンピュータ可読記憶媒体は、コンピュータによってアクセス可能な任意の使用可能な媒体、あるいは、１つ以上の使用可能な媒体を組み込む、サーバ又はデータセンターなどのデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、ソリッドステートドライブ（Solid  State  Disk，ＳＳＤ））、などであってよい。
【０３２４】
上記のプロセスの連続番号は、本願の様々な実施形態において実行順序を意味しない、ことが理解されるべきである。プロセスの実行順序は、プロセスの機能及び内部ロジックに基づいて決定されるべきであり、本願の実施形態の実装プロセスに対する如何なる制限としても解釈されるべきではない。
【０３２５】
当業者には当然ながら、便宜上、かつ、簡潔な記載のために、上記のシステム、装置、及びユニットの詳細な作動プロセスについては、上記の方法の実施形態における対応するプロセスを参照されたく、詳細は再びここで記載されない。
【０３２６】
本願で提供されるいくつかの実施形態で、開示されるシステム、装置、及び方法は、他の様態で実装されてもよい、ことが理解されるべきである。例えば、記載される装置の実施形態は、一例に過ぎない。例えば、ユニット分割は、論理的な機能分割に過ぎず、実際の実施では他の分割であってもよい。例えば、複数のユニット又はコンポーネントは、他のシステムへと結合又は一体化されてよく、あるいは、いくつかの機能は無視されるか又は実行されなくてよい。その上、表示または議論されている相互結合又は直接的な結合若しくは通信接続は、いくつかのインターフェースを使用することによって実装されてよい。装置又はユニット間の間接的な結合又は通信接続は、電子的な、機械的な、又は他の形態で実装されてもよい。
【０３２７】
別個の部分として記載されるユニットは、物理的に分離していてもいなくてもよく、ユニットとして表示されている部分は、物理的なユニットであってもなくてもよく、１つの場所に位置してよく、あるいは、複数のネットワークユニットにおいて分配されてもよい。ユニットの全部又は一部は、実施形態の解決法の目的を達成するために、実際の要件に基づいて選択されてもよい。
【０３２８】
機能がソフトウェア機能ユニットの形で実装され、独立した製品として販売又は使用されるとき、機能は、コンピュータ可読記憶媒体に記憶されてよい。そのような理解に基づいて、本願の技術的解決法は本質的に、又は先行技術に寄与する部分、又は技術的解決法のいくつかは、ソフトウェア製品の形で実装されてよい。コンピュータソフトウェア製品は記憶媒体に記憶され、本願の実施形態で記載される方法のステップの全部又は一部を実行するようにコンピュータデバイス（パーソナルコンピュータ、サーバ、又はネットワークデバイスであってよい）に指示するいくつかの命令を含む。上記の記憶媒体は、ＵＳＢフラッシュドライブ、リムーバブルハードディスク、リード・オンリー・メモリ（Read-Only  Memory，ＲＯＭ）、ランダム・アクセス・メモリ（Random  Access  Memory，ＲＡＭ）、磁気ディスク、又は光ディスクなどの、プログラムコードを記憶することができる如何なる媒体も含む。
【０３２９】
上記の説明は、単に、本願の具体的な実施であり、本願の保護範囲を制限する意図はない。本願で開示されている技術的範囲内で当業者によって容易に考え出される如何なる変形又は置換も、本願の保護範囲にあるべきである。
【０３３０】
本願は、２０１８年２が１４日付で「CONTENTION  WINDOW  SIZE  DETERMINING  METHOD  AND  APPARATUS」と題されて中国国家知識産権局に出願された中国特許出願第２０１８１０１５１３５２．５号の優先権を主張する。なお、先の中国出願は、その全文を参照により本願に援用される。
【図１】
2021513308.tif 000003
【図２】
2021513308.tif 000004
【図３】
2021513308.tif 000005
【図４】
2021513308.tif 000006
【図５】
2021513308.tif 000007
【図６】
2021513308.tif 000008
【図７】
2021513308.tif 000009
【図８】
2021513308.tif 000010
【図９】
2021513308.tif 000011
【図１０】
2021513308.tif 000012
【図１１】
2021513308.tif 000013
【図１２】
2021513308.tif 000014
【図１３】
2021513308.tif 000015
【図１４】
2021513308.tif 000016
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
コンテンションウィンドウサイズを決定する方法であって、
第１デバイスによって、第１サブバンドを占有する１つ以上のデータパケットを基準時間単位で１つ以上の第２デバイスへ送信することと、
前記第１デバイスによって、前記１つ以上の第２デバイスによってフィードバックされかつ前記１つ以上のデータパケットに対応する１つ以上のハイブリッド自動再送要求−確認応答（ＨＡＲＱ−ＡＣＫ）を受信することと、
前記第１デバイスによって、前記１つ以上のＨＡＲＱ−ＡＣＫに基づいて前記第１サブバンドのコンテンションウィンドウサイズを決定することと
を有する方法。
【請求項２】
前記第１デバイスによって、前記１つ以上のＨＡＲＱ−ＡＣＫに基づいて前記第１サブバンドのコンテンションウィンドウサイズを決定することは、
前記１つ以上のデータパケットに対応する前記第１サブバンドについての１つ以上のＨＡＲＱ状態に基づいて前記第１サブバンドの前記コンテンションウィンドウサイズを決定することを有し、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項１に記載の方法。
【請求項３】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロック（ＴＢ）についてのＴＢ  ＨＡＲＱ−ＡＣＫを有する、
請求項１又は２に記載の方法。
【請求項４】
前記複数のサブバンドは、第２サブバンドを更に含み、当該方法は、
前記第１デバイスによって、前記ＴＢ  ＨＡＲＱ−ＡＣＫに基づいて前記第２サブバンドのコンテンションウィンドウサイズを決定することを更に有する、
請求項３に記載の方法。
【請求項５】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有する、
請求項１乃至４のうちいずれか一項に記載の方法。
【請求項６】
前記第１符号ブロックグループセットは、前記第３データパケットにおいて前記第１サブバンドを占有しないＣＢＧを有さない、
請求項５に記載の方法。
【請求項７】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記第１デバイスは、前記第１符号ブロックグループに対応するＣＢＧ  ＨＡＲＱ−ＡＣＫに基づいて前記第４サブバンドのコンテンションウィンドウサイズを更に決定する、
請求項５に記載の方法。
【請求項８】
コンテンションウィンドウサイズを決定する装置であって、
第１サブバンドを占有する１つ以上のデータパケットを基準時間単位で１つ以上の第２デバイスへ送信するよう構成される送信ユニットと、
前記１つ以上の第２デバイスによってフィードバックされかつ前記１つ以上のデータパケットに対応する１つ以上のハイブリッド自動再送要求−確認応答（ＨＡＲＱ−ＡＣＫ）を受信するよう構成される受信ユニットと、
前記１つ以上のＨＡＲＱ−ＡＣＫに基づいて前記第１サブバンドのコンテンションウィンドウサイズを決定するよう構成される処理ユニットと
を有する装置。
【請求項９】
前記処理ユニットは、前記１つ以上のデータパケットに対応する前記第１サブバンドについての１つ以上のＨＡＲＱ状態に基づいて前記第１サブバンドの前記コンテンションウィンドウサイズを決定するよう更に構成され、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項８に記載の装置。
【請求項１０】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロック（ＴＢ）についてのＴＢ  ＨＡＲＱ−ＡＣＫを有する、
請求項８又は９に記載の装置。
【請求項１１】
前記複数のサブバンドは、第２サブバンドを更に含み、
前記処理ユニットは、前記ＴＢ  ＨＡＲＱ−ＡＣＫに基づいて前記第２サブバンドのコンテンションウィンドウサイズを決定するよう更に構成される、
請求項１０に記載の装置。
【請求項１２】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有する、
請求項８乃至１１のうちいずれか一項に記載の装置。
【請求項１３】
前記第１符号ブロックグループセットは、前記第３データパケットにおいて前記第１サブバンドを占有しないＣＢＧを有さない、
請求項１２に記載の装置。
【請求項１４】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記処理ユニットは、前記第１符号ブロックグループに対応するＣＢＧ  ＨＡＲＱ−ＡＣＫに基づいて前記第４サブバンドのコンテンションウィンドウサイズを更に決定する、
請求項１２に記載の装置。
【請求項１５】
プロセッサ及びメモリを有する通信装置であって、
前記メモリは、コンピュータ実行可能命令を記憶するよう構成され、
前記プロセッサは、当該通信装置が請求項１乃至７のうちいずれか一項に記載の方法を実行するように、前記メモリに記憶されている前記コンピュータ実行可能命令を実行するよう構成される、
通信装置。
【請求項１６】
コンピュータで実行されるときに、該コンピュータに、請求項１乃至７のうちいずれか一項に記載の方法を実行させるコンピュータプログラム。
【手続補正２】
【補正対象書類名】明細書
【補正対象項目名】０００３
【補正方法】変更
【補正の内容】
【０００３】
第５世代（5th  generation，５Ｇ）通信システム及びニュー・ラジオ（new  radio，ＮＲ）に基づく通信システムなどの将来の通信システムでは、データ通信は、免許不要周波数帯域リソースを使用することによって実行される可能性がある。免許不要周波数帯域リソースのためのリソース競合方法は、リッスン・ビフォア・トーク（listen  before  talk，ＬＢＴ、あるいは、チャネルリスニングと呼ばれる）規則を含む。以上の背景に基づいて、チャネルへの効率的なアクセス及び周囲の競合ノードとの友好的な共存を達成するために、免許不要周波数帯域で動作するｙＮＲシステムのためのコンテンションウィンドウ（contention  window，ＣＷ）サイズを決定する方法が、本願で解決されるべき課題である。
【手続補正３】
【補正対象書類名】明細書
【補正対象項目名】０００５
【補正方法】変更
【補正の内容】
【０００５】
第１の態様に従って、本願の実施形態は、第１デバイスによって、第１サブバンドを占有する１つ以上のデータパケットを基準時間単位で１つ以上の第２デバイスへ送信することと、第１デバイスによって、１つ以上の第２デバイスによってフィードバックされかつ１つ以上のデータパケットに対応する１つ以上のハイブリッド自動再送要求−確認応答ＨＡＲＱ−ＡＣＫを受信することと、第１デバイスによって、１つ以上のＨＡＲＱ−ＡＣＫに基づいて第１サブバンドのコンテンションウィンドウサイズを決定することとを含む、コンテンションウィンドウサイズ決定方法を提供する。
【手続補正４】
【補正対象書類名】明細書
【補正対象項目名】００５５
【補正方法】変更
【補正の内容】
【００５５】
具体的に、第１符号ブロックグループセットが、第１サブバンドを占有する１つ以上の符号ブロックグループを含むことは、第１符号ブロックグループセットが、全て第３データパケットに含まれる符号ブロックグループであってかつ第１サブバンドを占有する全ての符号ブロックグループを含むセットである、ことを意味する。
【手続補正５】
【補正対象書類名】明細書
【補正対象項目名】０１０１
【補正方法】変更
【補正の内容】
【０１０１】
プロセッサ２０１及びモデムプロセッサ３０４は、同じタイプのプロセッサであってよく、あるいは、異なるタイプのプロセッサであってよく、例えば、中央演算処理装置（central  processing  unit，ＣＰＵ）、汎用プロセッサ、デジタル信号プロセッサ（digital  signal  processor，ＤＳＰ）、特定用途向け集積回路（application-specific  integrated  circuit，ＡＳＩＣ）、フィールド・プログラマブル・ゲート・アレイ（field  programmable  gate  array，ＦＰＧＡ）若しくは他のプログラム可能な論理デバイス、トランジスタ論理デバイス、ハードウェア部品、他の集積回路、又はそれらの任意の組み合わせとして実装されてよい。プロセッサ２０１及びモデムプロセッサ３０４は、本願の実施形態で開示される内容を参照して記載される論理ブロック、モジュール、及び回路の様々な例を実装又は実行してよい。代替的に、プロセッサは、計算機能を実装するコンポーネントの組み合わせ、例えば、１つ以上のマイクロプロセッサの組み合わせ、ＤＳＰ及びマイクロプロセッサの組み合わせ、又はシステム・オン・ア・チップ（system-on-a-chip，ＳＯＣ）であってよい。
【手続補正６】
【補正対象書類名】明細書
【補正対象項目名】０１１３
【補正方法】変更
【補正の内容】
【０１１３】
免許不要の周波数帯域での隣接ノードとの友好的な共存と、チャネルアクセス効率の改善とのバランスをとるよう、送信ノードはＣＷＳを動的に調整し、次のチャネルリッスンのためにＣＷＳを使用する。具体的に、情報を送信する前に、送信ノードは、データパケットが送信された前回の基準時間単位を決定し、基準時間単位でデータパケットに基づいて受信ノードによってフィードバックされたＨＡＲＱ−ＡＣＫ（hybrid  automatic  repeat  request-acknowledgement，ＨＡＲＱ−ＡＣＫ）（又はＨＡＲＱ確認応答、ＨＡＲＱ情報、ＨＡＲＱフィードバック、ＨＡＲＱ確認応答フィードバック、ＨＡＲＱ受信状態、などと呼ばれる）に基づいてＣＷＳを動的に調整する。受信ノードは、ＨＡＲＱ−ＡＣＫを送信ノードへフィードバックし、それにより、送信ノードは、不正確に送信されたデータパケットを再送する。例えば、基準時間単位でのデータパケットに対応するＨＡＲＱ−ＡＣＫが確認応答（acknowledgement，ＡＣＫ）状態を含まないか、あるいは、否定応答（negative  acknowledgement，ＮＡＣＫ）状態の割合が比較的に大きいとき、送信ノードは、拡張されたリッスン期間を犠牲にして周囲の競合ノードとの衝突を回避するように、ＣＷＳを増大させ、次のＬＢＴ中に、増大されたＣＷに基づいてチャネルリッスンを実行し、それによって、周囲の競合ノードとの友好的な共存を実装する。基準時間単位でのデータパケットに対応するＨＡＲＱ−ＡＣＫがＡＣＫ状態を含むか、あるいは、ＮＡＣＫ状態の割合が比較的に小さいとき、送信ノードは、リッスン期間を短縮し、チャネルアクセス効率を改善するように、ＣＷＳを低減する。他の例として、送信ノードが基準時間単位について１つ以上のＡＣＫを受け取るとき、送信ノードはＣＷＳを低減し、送信ノードが基準時間単位について１つ以上のＮＡＣＫを受け取るとき、送信ノードはＣＷＳを増大させる。
【手続補正７】
【補正対象書類名】明細書
【補正対象項目名】０１２８
【補正方法】変更
【補正の内容】
【０１２８】
任意に、サブバンドは、受信デバイスがチャネルを測定する周波数領域単位である。例えば、サブバンドの粒度で受信デバイスによって実行されるチャネル測定は、チャネル品質指示（channel  quality  indication，ＣＱＩ）／プリコーディング行列指示（precoding  matrix  indication，ＰＭＩ）測定又は無線リソース管理（radio  resource  management，ＲＲＭ）測定を含む。言い換えれば、受信デバイスは、１つのサブバンドでＣＱＩ／ＰＭＩ／ＲＲＭ測定結果を報告する。言い換えれば、受信デバイスは、１つのサブバンドの限られた範囲内でＣＱＩ／ＰＭＩ／ＲＲＭ測定を実行し、交差サブバンド測定を実行しない。
【手続補正８】
【補正対象書類名】明細書
【補正対象項目名】０１４３
【補正方法】変更
【補正の内容】
【０１４３】
ステップ６０２：第１デバイスは、１つ以上の第２デバイスによってフィードバックされかつ１つ以上のデータパケットに対応する１つ以上のハイブリッド自動再送要求−確認応答ＨＡＲＱ−ＡＣＫを受信する。
【手続補正９】
【補正対象書類名】明細書
【補正対象項目名】０１６３
【補正方法】変更
【補正の内容】
【０１６３】
任意に、１つ以上のデータパケットの夫々は、第１サブバンドについての１つのＨＡＲＱ状態を有している。具体的に、１つ以上のデータパケットがｍ（ｍは正の整数である）個のデータパケットである場合に、第１デバイスは、ｍ個のデータパケットに対応する第１サブバンドについてのｍ個のＨＡＲＱ状態に基づいて、第１サブバンドのコンテンションウィンドウサイズを決定する。例えば、ｍ個のＨＡＲＱ状態において、ＮＡＣＫの割合が第１の前もってセットされた割合を超えるか、あるいは、ＡＣＫの割合が第２の前もってセットされた割合を超えないか、あるいは、ＮＡＣＫの数が第１の前もってセットされた閾数を超えるか、あるいは、ＡＣＫの数が第２の前もってセットされた閾数を超えないか、あるいは、ＡＣＫがないとき、第１サブバンドのコンテンションウィンドウサイズは増大されるべきである。他の例として、ｍ個のＨＡＲＱ状態において、ＮＡＣＫの割合が第１の前もってセットされた割合を超えないか、あるいは、ＡＣＫの割合が第２の前もってセットされた割合を超えるか、あるいは、ＮＡＣＫの数が第１の前もってセットされた閾数を超えないか、あるいは、ＡＣＫの数が第２の前もってセットされた閾数を超えるか、あるいは、少なくとも１つのＡＣＫがあるとき、第１サブバンドのコンテンションウィンドウサイズは低減されるべきである。他の例として、１つ以上のデータパケットは１つのデータパケットであり、第１サブバンドについての、データパケットに対応するＨＡＲＱ状態がＮＡＣＫであるとき、第１サブバンドのコンテンションウィンドウサイズは、増大されるべきである。他の例として、１つ以上のデータパケットは１つのデータパケットであり、第１サブバンドについての、データパケットに対応するＨＡＲＱ状態がＡＣＫであるとき、第１サブバンドのコンテンションウィンドウサイズは低減されるべきである。
【手続補正１０】
【補正対象書類名】明細書
【補正対象項目名】０２００
【補正方法】変更
【補正の内容】
【０２００】
更に、１つ以上のＣＢＧ  ＨＡＲＱ−ＡＣＫが全てＤＴＸであるとき、第３サブバンドについての、第２データパケットに対応するＨＡＲＱ状態は、ＮＡＣＫとして表され、第１サブバンドのＣＷＳを決定するために使用され（言い換えれば、第１サブバンドについての、第２データパケットに対応するＨＡＲＱ状態は、ＮＡＣＫである）、あるいは、第３サブバンドについて、第２データパケットに対応するＨＡＲＱ状態は、第３サブバンドのＣＷＳの調整中、無視される。
【手続補正１１】
【補正対象書類名】明細書
【補正対象項目名】０２０２
【補正方法】変更
【補正の内容】
【０２０２】
本願のこの実施形態における方法では、一方で、第１デバイスがアクセスネットワークデバイスであり、第２デバイスが端末デバイスであるとき、アクセスネットワークデバイスは、ダウンリンク伝送中に複数の端末デバイスをスケジューリングしてよく、いくつかの端末デバイス（例えば、第２デバイス）はＣＢＧ−ＡＣＫをフィードバックし、他の端末デバイスはＴＢ−ＡＣＫをフィードバックする。ＣＢＧ−ＡＣＫをフィードバックする端末デバイスの場合に、複数のＣＢＧ−ＡＣＫが１つのデータパケット（ＴＢ）についてフィードバックされてよい。ＴＢ−ＡＣＫをフィードバックする端末デバイスの場合に、１つのＴＢ−ＡＣＫが１つのデータパケット（ＴＢ）についてフィードバックされる。２つの異なるタイプのＨＡＲＱ−ＡＣＫに基づきいかにしてＣＷＳを調整するかは、追加の評価及び標準化を必要とし、これはまた、アクセスネットワークデバイスのアルゴリズム複雑性を高める。ＣＢＧ−ＡＣＫをフィードバックする端末デバイスによってフィードバックされるＣＢＧ−ＡＣＫは、ＴＢ−ＡＣＫに変換され。ＣＷＳは、ＴＢ−ＡＣＫ内のＮＡＣＫ又はＡＣＫの割合に基づいて一様に調整される。これは、従来のＣＷＳ調整原理により適応することができ、アルゴリズムも、より簡単になる。
【手続補正１２】
【補正対象書類名】明細書
【補正対象項目名】０２２１
【補正方法】変更
【補正の内容】
【０２２１】
任意に、第３サブバンドのコンテンションウィンドウサイズは、第３サブバンドについての、第２のデータパケットに対応するＨＡＲＱ状態に基づいて決定され、あるいは、第３サブバンドのコンテンションウィンドウサイズは、第３サブバンドについての、第２データパケットに対応する１つ以上のＨＡＲＱ状態に少なくとも１つのＡＣＫがあるかどうか、又は第３サブバンドについての、第２データパケットに対応する１つ以上のＨＡＲＱ状態に少なくとも１つのＮＡＣＫがあるかどうかに基づいて決定されてもよい。
【手続補正１３】
【補正対象書類名】明細書
【補正対象項目名】０２４３
【補正方法】変更
【補正の内容】
【０２４３】
第３データパケットに含まれるいくつかの符号ブロックグループが、第１サブバンドを含む少なくとも２つのサブバンドで運ばれ、例えば、第１符号ブロックグループは第１サブバンド及び第２サブバンドを占有する、と考えると、この場合に、第４サブバンドのチャネル状態も、第１符号ブロックグループに対応するＣＢＧ  ＨＡＲＱ−ＡＣＫに寄与する。従って、第１符号ブロックグループに対応するＣＢＧ  ＨＡＲＱ−ＡＣＫは、第４サブバンドのＣＷＳを調整するためにも使用される。具体的に、第４サブバンドについての、第３データパケットに対応するＨＡＲＱ状態は、第２符号ブロックグループセット内の１つ以上の符号ブロックグループの１つ以上のＣＢＧ  ＨＡＲＱ−ＡＣＫ（第１符号ブロックグループのＣＢＧ  ＨＡＲＱ−ＡＣＫを含む）によって表される。具体的に、第１デバイスは、第４サブバンドについての、第３データパケットに対応するＨＡＲＱ状態に基づいて、第４サブバンドのＣＷＳを決定する。これは、第１サブバンドについて、第３データパケットに対応するＨＡＲＱ状態に基づいて、第１サブバンドのＣＷＳを決定する方法と類似している。
【手続補正１４】
【補正対象書類名】明細書
【補正対象項目名】０２４９
【補正方法】変更
【補正の内容】
【０２４９】
任意に、第４サブバンドのコンテンションウィンドウサイズは、第４サブバンドについての、第３のデータパケットに対応するＨＡＲＱ状態に基づいて決定され、あるいは、第４サブバンドのコンテンションウィンドウサイズは、第４サブバンドについての、第３データパケットセット内のデータパケットに対応するＨＡＲＱ状態に少なくとも１つのＡＣＫがあるかどうか、又は第４サブバンドについての、第３データパケットセット内のデータパケットに対応するＨＡＲＱ状態に少なくとも１つのＮＡＣＫがあるかどうかに基づいて決定されてもよい。
【手続補正１５】
【補正対象書類名】明細書
【補正対象項目名】０２６１
【補正方法】変更
【補正の内容】
【０２６１】
具体的に、第１デバイスが、第１サブバンドのＣＷＳを調整するために、１つ以上のＨＡＲＱ−ＡＣＫを、第３データパケットに対応する第１サブバンドについてのＨＡＲＱ状態（サブバンド−ＡＣＫ呼ばれる）に変換する方法と同様に、第１デバイスは、第４サブバンドのＣＷＳを調整するために、第１ＨＡＲＱ−ＡＣＫと、１つ以上のＣＢＧに含まれかつ第４サブバンドを占有する他のＣＢＧに対応するＨＡＲＱ−ＡＣＫとを、第４サブバンドに対応するＨＡＲＱ状態に変換する。
【手続補正１６】
【補正対象書類名】明細書
【補正対象項目名】０２７５
【補正方法】変更
【補正の内容】
【０２７５】
例えば、図１２中、ＵＥをスケジューリングするためにアクセスネットワークデバイスによって使用されるダウンリンクデータパケット１は、サブバンド１からサブバンド４で運ばれ、サブバンド１からサブバンド４は他のデータパケットを運ばない。データパケット１はＣＢＧ１からＣＢＧ８を含み、ＣＢＧ１からＣＢＧ８は、第２デバイスによってフィードバックされる８つのＣＢＧ  ＨＡＲＱ−ＡＣＫと一対一で対応する。ＣＢＧ１、ＣＢＧ３、ＣＢＧ４、及びＣＢＧ６は、サブバンド１を占有し、ＣＢＧ１、ＣＢＧ２、ＣＢＧ４、ＣＢＧ６、及びＣＢＧ７は、サブバンド２を占有し、ＣＢＧ２、ＣＢＧ５、及びＣＢＧ７は、サブバンド３を占有し、ＣＢＧ３、ＣＢＧ５、及びＣＢＧ８は、サブバンド４を占有する。ＣＢ１及びＣＢＧ６に対応するＣＢＧ−ＡＣＫはＮＡＣＫであり、他のＣＢＧに対応するＣＢＧ−ＡＣＫはＡＣＫである。サブバンド１及びサブバンド２は夫々、ＮＡＣＫに対応するＣＢＧを運ぶので、データパケット１に対応しかつ変換により取得される２つのサブバンドについてのサブバンド−ＡＣＫ（すなわち、サブバンド１についての、データパケット１に対応するＨＡＲＱ状態、及びサブバンド２についての、データパケット１に対応するＨＡＲＱ状態）は、全てＮＡＣＫである。従って、２つのサブバンドＣＷＳは、夫々増大される。サブバンド＃３及びサブバンド＃４で運ばれるＣＢＧは全てＡＣＫに対応するので、データパケット１に対応しかつ変換によって取得される２つのサブバンドについてのサブバンド−ＡＣＫ（すなわち、サブバンド３についての、データパケット１に対応するＨＡＲＱ状態、及びサブバンド４についての、データパケット１に対応するＨＡＲＱ状態）は、全てＡＣＫである。従って、２つのサブバンドのＣＷＳは、夫々、低減される。
【手続補正１７】
【補正対象書類名】明細書
【補正対象項目名】０２７７
【補正方法】変更
【補正の内容】
【０２７７】
本願の実施形態で提供される方法に従って、データパケット内にあって各サブバンドで分配されるＣＢＧ−ＡＣＫは、サブバンドのＣＷＳを調整するために、サブバンドについてのＨＡＲＱ状態に変換される。サブバンドのＣＷＳは、そのサブバンドのチャネル状態によってのみ影響を及ぼされ、他のサブバンドのチャネル状態によっては影響を及ぼされない。従って、サブバンドのＣＷＳは、より正確に決定され得、サブバンドのチャネルアクセス効率は、改善される。
【手続補正１８】
【補正対象書類名】明細書
【補正対象項目名】０２７８
【補正方法】変更
【補正の内容】
【０２７８】
実施例１、実施例３、及び実施例４について、第１データパケットに対応する１つ以上のＨＡＲＱ−ＡＣＫは、第１データパケットによって占有される１つ以上のサブバンドのＣＷＳを調整するために使用されるだけでなく、第１データパケットによって占有されないサブバンド（第５サブバンドと呼ばれる）のＣＷＳを調整するためにも使用される、ことが理解されるべきである。
【手続補正１９】
【補正対象書類名】明細書
【補正対象項目名】０２７９
【補正方法】変更
【補正の内容】
【０２７９】
言い換えれば、第１デバイスは、１つ以上のＨＡＲＱ−ＡＣＫに基づいて第５サブバンドのコンテンションウィンドウサイズＣＷＳを決定し、第５サブバンドは、１つ以上のサブバンドに含まれず、第１デバイスは、情報を基準時間単位で送信するために第５サブバンドを占有しない。
【手続補正２０】
【補正対象書類名】明細書
【補正対象項目名】０２９４
【補正方法】変更
【補正の内容】
【０２９４】
この場合に、１つ以上のデータパケットに対応する第１サブバンドについての１つ以上のＨＡＲＱ情報は、第１サブバンドについての、第５データパケットに対応するＨＡＲＱ状態を含み、第１サブバンドについての、第５データパケットに対応するＨＡＲＱ状態は、第１サブバンドのコンテンションウィンドウサイズを決定するために使用される。
【手続補正２１】
【補正対象書類名】明細書
【補正対象項目名】０２９７
【補正方法】変更
【補正の内容】
【０２９７】
本願のこの実施形態で、サブバンド（例えば、第１サブバンド、第２サブバンド、第３サブバンド、第４サブバンド、又は第５サブバンド）について、第１デバイスがＣＷＳを増大させることは、第１デバイスがＣＷＳを倍にすること、又はｐ（ｐは正の整数である）が調整前のＣＷＳの値であるとして、第１デバイスがＣＷＳを２×ｐ＋１に調整すること、又は第１デバイスがＣＷＳをＣＷＳセット内の次に大きい値に増大させることを意味する、ことが理解されるべきであり、なお、各優先度のＣＷＳセットは、背景で記載されている。更に、ＣＷＳが調整される前に、ＣＷＳがＣＷＳセット内の最大値である場合に、第１デバイスがＣＷＳを増大させることは、第１デバイスがＣＷＳを不変なままとすることを意味する。
【手続補正２２】
【補正対象書類名】明細書
【補正対象項目名】０２９８
【補正方法】変更
【補正の内容】
【０２９８】
本願のこの実施形態で、サブバンド（例えば、第１サブバンド、第２サブバンド、第３サブバンド、第４サブバンド、又は第５サブバンド）について、第１デバイスがＣＷＳを低減させることは、第１デバイスがＣＷＳを半分にすること、又はｐ（ｐは正の整数である）が調整前のＣＷＳの値であるとして、第１デバイスがＣＷＳを（ｐ−１）／２に調整すること、又は第１デバイスがＣＷＳをＣＷＳセット内の次に小さい値に低減させることを意味する、ことが理解されるべきであり、なお、各優先度のＣＷＳセットは、背景で記載されている。更に、ＣＷＳが調整される前に、ＣＷＳがＣＷＳセット内の最小値である場合に、第１デバイスがＣＷＳを低減させることは、第１デバイスがＣＷＳを不変なままとすることを意味する。
【手続補正２３】
【補正対象書類名】明細書
【補正対象項目名】０２９９
【補正方法】変更
【補正の内容】
【０２９９】
本願のこの実施形態で、一方で、基準時間単位を決定するとき、第１デバイスは、スケジューリングされるべき第４データパケットによって基準時間単位として占有される時間単位を決定してよく、実施アルゴリズムは比較的に簡単である。他方で、第５サブバンドのＣＷＳは場合により増大されるので、第５サブバンドでの周囲ノードとの友好的な共存は実装可能である。
【手続補正２４】
【補正対象書類名】明細書
【補正対象項目名】０３０４
【補正方法】変更
【補正の内容】
【０３０４】
上記の２つの方法で、第１デバイスは、基準時間単位で情報を送信するために２つの異なるサブバンド、例えば、ｐ番目のサブバンド及びｊ番目のサブバンドを占有し、ｐ≠ｊである、ことが理解されるべきである。ｐ番目のサブバンドで運ばれるデータパケットの数及びセットは夫々、ｊ番目のサブバンドで運ばれるデータパケットの数及びセットと同じであっても又は異なってもよく、ｐは自然数である。言い換えれば、ｐ番目のサブバンドのＨＡＲＱ状態セットに含まれる要素（ＨＡＲＱ状態の数及び／又はＨＡＲＱ状態に対応するデータパケット）は、ｊ番目のサブバンドのＨＡＲＱ状態セットに含まれる要素（ＨＡＲＱ状態の数及び／又はＨＡＲＱ状態に対応するデータパケット）と同じであっても又は異なってもよい。例えば、基準時間単位で第１デバイスによって送信される複数のデータパケットにおいて、データパケット１、データパケット２、及びデータパケット３は、ｊ番目のサブバンドを占有し、データパケット３及びデータパケット４は、ｐ番目のサブバンドを占有する。この場合に、ｊ番目のサブバンドのＨＡＲＱ−ＡＣＫセットは、データパケット１、データパケット２、及びデータパケット３に対応する３つのＨＡＲＱ状態を含み、ｐ番目のサブバンドのＨＡＲＱ−ＡＣＫセットは、データパケット３及びデータパケット４に対応する２つのＨＡＲＱ状態を含む。
【手続補正２５】
【補正対象書類名】明細書
【補正対象項目名】０３１３
【補正方法】変更
【補正の内容】
【０３１３】
任意に、複数のサブバンドは、第２サブバンドを更に含み、処理ユニット１４３０は、ＴＢ  ＨＡＲＱ−ＡＣＫに基づいて第２サブバンドのコンテンションウィンドウサイズを決定するよう更に構成される。
【手続補正２６】
【補正対象書類名】明細書
【補正対象項目名】０３１５
【補正方法】変更
【補正の内容】
【０３１５】
可能な実施において、第２データパケットは、少なくとも第１サブバンド及び第３サブバンドで運ばれ、処理ユニット１４３０は、１つ以上のＣＢＧ  ＨＡＲＱ−ＡＣＫに基づいて第３サブバンドのコンテンションウィンドウサイズを更に決定する。
【手続補正２７】
【補正対象書類名】明細書
【補正対象項目名】０３１７
【補正方法】変更
【補正の内容】
【０３１７】
更に、第１符号ブロックグループセットは、第１符号ブロックグループを含み、第１符号ブロックグループは、第１サブバンド及び第４サブバンドを占有し、第３データパケットは、第２符号ブロックグループセットを更に含み、第２符号ブロックグループセットは、第４サブバンドを占有する１つ以上の符号ブロックグループから成り、第２符号ブロックグループセットは、第１符号ブロックグループを含み、処理ユニット１４３０は、第１符号ブロックグループに対応するＣＢＧ  ＨＡＲＱ−ＡＣＫに基づいて第４サブバンドのコンテンションウィンドウサイズを更に決定する。
【手続補正２８】
【補正対象書類名】明細書
【補正対象項目名】０３２２
【補正方法】変更
【補正の内容】
【０３２２】
更に、本願の実施形態における態様又は特徴は、標準のプログラミング及び／又はエンジニアリング技術を使用する方法、装置、又は製品として実装されてよい。本願で使用される「製品」との語は、如何なるコンピュータ可読コンポーネント、担体、又は媒体からもアクセスされ得るコンピュータプログラムをカバーする。例えば、コンピュータ可読媒体は、制限なしに、磁気記憶コンポーネント（例えば、ハードディスク、フロッピーディスク、若しくは磁気テープ）、光ディスク（例えば、コンパクトディスク（compact  disc，ＣＤ）、デジタル・バーサタイル・ディスク（digital  versatile  disc，ＤＶＤ））、スマートカード及びフラッシュメモリコンポーネント（例えば、消去可能なプログラム可能リード・オンリー・メモリ（erasable  programmable  read-only  memory，ＥＰＲＯＭ）、カード、スティック、又はキードライブ）を含んでよい。その上、本願で記載される様々な記憶媒体は、情報を記憶するよう構成される１つ以上のデバイス及び／又は他のマシン可読媒体を示してよい。「マシン可読媒体」との語は、制限なしに、無線チャネルと、命令及び／又はデータを記憶、包含、及び／又は搬送することができる様々な他の媒体とを含んでよい。
【国際調査報告】
2021513308.tif 000017
2021513308.tif 000018
2021513308.tif 000019
2021513308.tif 000020